(57)【要約】  疑似サイクリック低密度パリティチェック（ＬＤＰＣ）符号化の設計方法と装置を提供する。前記方法は以下を有する：疑似サイクリックＬＤＰＣ符号のパリティチェック行列にしたがって、符号化するＫビット情報シーケンスに対してＬＤＰＣ符号化を実施して、ＮビットＬＤＰＣ符号化シーケンスを取得するステップ；前記パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である。【選択図】図１
2020526117.tif 000002
【特許請求の範囲】
【請求項１】
疑似サイクリック低密度パリティチェック（ＬＤＰＣ）符号化の設計方法であって、
疑似サイクリックＬＤＰＣ符号のパリティチェック行列にしたがって、符号化するＫビット情報シーケンスに対してＬＤＰＣ符号化を実施して、ＮビットＬＤＰＣ符号化シーケンスを取得するステップ； 
を有し、
前記パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である
ことを特徴とする方法。
【請求項２】
前記リフトサイズＺは、規定リフトサイズセットＺｓｅｔ内の要素であり、前記リフトサイズセットＺｓｅｔは、Ａ個のリフトサイズサブセット内の全要素を有し、Ａ個のリフトサイズサブセット内のｉ番目リフトサイズサブセットはＺｓｅｔｉ（ｉ＝１，２，３，・・・，Ａ）と表記し、Ａ個のリフトサイズサブセットは共通要素を有しておらず、
前記係数行列は、規定係数行列セット内の係数行列であり、前記係数行列セット内のｉ番目係数行列がサポートする全リフトサイズは、ｉ番目リフトサイズサブセットＺｓｅｔｉを構成し、
前記係数行列セットはＡ個の係数行列を有し、Ａは１よりも大きい整数であり、前記Ａ個の係数行列は同じ行数と同じ列数を有し、かつ非−１要素が配置される位置も同じであり、前記リフトサイズセットＺｓｅｔ内の全要素は正整数である
ことを特徴とする請求項１記載の方法。
【請求項３】
前記リフトサイズセットＺｓｅｔ内の各リフトサイズと前記係数行列セット内の前記ｉ番目係数行列によって決定される全基本行列の６以上のｇｉｒｔｈを有するパリティチェック行列に対応する全リフトサイズは、セットＺ０ｓｅｔｉを構成し、
前記セットＺ０ｓｅｔｉは、前記ｉ番目リフトサイズサブセットＺｓｅｔｉに属するＬ０ｉ個の要素と、前記ｉ番目リフトサイズサブセットＺｓｅｔｉに属さないＬ１ｉ個の要素とを有し、
Ｌ０ｉはＬｉ以下の正整数であり、Ｌｉは前記ｉ番目リフトサイズサブセットＺｓｅｔｉの要素数であり、Ｌ１ｉ≧２，Ｌ１ｉ≧３，Ｌ１ｉ≧４，Ｌ１ｉ≧５，Ｌ１ｉ≧６，Ｌ１ｉ≧７，Ｌ１ｉ≧８，Ｌ１ｉ≧９，Ｌ１ｉ≧１０，またはＬ１ｉ≧１１である
ことを特徴とする請求項２記載の方法。
【請求項４】
第１係数行列セット内の全係数行列は、同じ行数と同じ列数を有し、前記第１係数行列セット内の任意の係数行列は、前記係数行列セット内の前記Ａ個の係数行列と同じ行数と列数を有する
ことを特徴とする請求項２記載の方法。
【請求項５】
前記係数行列セットは、前記第１係数行列セット内の少なくとも１つの係数行列を有する
ことを特徴とする請求項４記載の方法。
【請求項６】
前記係数行列セットは、前記第１係数行列セット内の１つの係数行列を調整することによって取得した少なくとも１つの調整済係数行列を有する
ことを特徴とする請求項４記載の方法。
【請求項７】
前記調整済係数行列のｓ番目行内の第１要素から（ｋｂ＋Ｍ）番目要素までの−１ではない全要素は、リフトサイズＺｍａｘの元の係数行列プラスＲｓのｓ番目行内の第１要素から（ｋｂ＋Ｍ）番目要素までの−１ではない各要素全ての剰余演算から取得した全整数と等しく、ｓ＝１，２，３，・・・，ｒｏｗであり、Ｒｓはｓ番目行に対応する加算する整数であり、Ｒ０，Ｒ１，・・・，Ｒ（ｒｏｗ）のうち少なくとも１つは非ゼロ整数であり；あるいは
前記調整済係数行列のｔ番目列内の第１要素からｒｏｗ番目要素までの−１ではない全要素は、リフトサイズＺｍａｘの元の係数行列プラスＣｔのｔ番目列内の第１要素からｒｏｗ番目要素までの−１ではない各要素全ての剰余演算から取得した全整数と等しく、ｔ＝１，２，３，・・・，ｃｏｌであり、Ｃｔはｔ番目列に対応する加算する整数であり、Ｃ０，C１，・・・，Ｃ（ｃｏｌ）のうち少なくとも１つは非ゼロ整数であり、
ｒｏｗは前記係数行列の行数、ｃｏｌは前記係数行列の列数、ｋｂはｃｏｌとｒｏｗとの間の差分、Ｍは１０未満の非負整数、Ｚｍａｘは前記調整済係数行列がサポートする最大リフトサイズ、Ｚｍａｘは正整数である
ことを特徴とする請求項６記載の方法。
【請求項８】
前記調整済係数行列のｓ番目行ｔ番目列内の要素は、リフトサイズＺｍａｘの元の係数行列プラス（Ｘｓ＋Ｙｔ）のｓ番目行ｔ番目列の要素の剰余演算から取得した整数と等しく、
前記元の係数行列のｓ番目行ｔ番目列の前記要素は、−１ではない整数であり、ｓ＝１，２，３，・・・，ｒｏｗ、ｔ＝１，２，３，・・・，ｋｂ＋Ｍ、ｋｂはｃｏｌとｒｏｗとの間の差分、ｒｏｗは前記係数行列の行数、ｃｏｌは前記係数行列の列数、Ｍは１０未満の非負整数、ＸｓとＹｔはともに整数、Ｘ０，Ｘ１，・・・，Ｘ（ｒｏｗ）とＹ０，Ｙ１，・・・，Ｙ（ｋｂ＋Ｍ）のうち少なくとも１つは非ゼロ整数である
ことを特徴とする請求項６記載の方法。
【請求項９】
Ａは８であり、８個のリフトサイズサブセットはそれぞれ、
Zset1={2, 4, 8, 16, 32, 64, 128, 256}, Zset2={3, 6, 12, 24, 48, 96, 192}, Zset3={5, 10, 20, 40, 80, 160}, Zset4={7, 14, 28, 56, 112, 224}, Zset5={9, 18, 36, 72, 144}, Zset6={11, 22, 44, 88, 176}, Zset7={13, 26, 52, 104, 208}, Zset8={15, 30, 60, 120, 240}
である
ことを特徴とする請求項２から８のいずれか１項記載記載の方法。
【請求項１０】
前記セットＺ０ｓｅｔｉはそれぞれ、
Z0set1={ 56, 80, 104, 112, 120, 128, 160, 176, 192, 208, 224, 240, 256}, Z0set2={ 44, 48, 72, 88, 96, 144, 160, 176, 192, 208, 224, 240, 256}, Z0set3={ 60, 80, 120, 128, 160, 208, 224, 240, 256}, Z0set4={ 56, 60, 104, 112, 120, 128, 192, 208, 224, 240, 256}, Z0set5={ 72, 128, 144, 160, 176, 192, 224, 240, 256}, Z0set6={ 88, 96, 104, 128, 176, 192, 208, 224, 240, 256}, Z0set7={ 26, 52, 80, 104, 144, 160, 176, 192, 208, 224, 240}, and Z0set8={ 30, 60, 112, 120, 144, 160, 208, 224, 240, 256}
である
ことを特徴とする請求項９記載の方法。
【請求項１１】
Ａは８であり、８個のリフトサイズサブセットはそれぞれ、
Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}
である
ことを特徴とする請求項２から８のいずれか１項記載記載の方法。
【請求項１２】
前記セットＺ０ｓｅｔｉはそれぞれ、
Z0set1={16, 32, 48, 64, 80, 96, 112, 128, 144, 160, 176, 192, 208, 224, 240, 256, 288, 320, 352, 384}, Z0set2={12, 24, 36, 48, 60, 72, 96, 120, 144, 192, 240, 256, 288, 352, 384}, Z0set3={20, 40, 60, 80, 120, 160, 240, 320, 352}, Z0set4={56, 112, 224, 288, 352, 384}, Z0set5={18, 36, 72, 144, 176, 192, 288, 352, 384}, Z0set6={22, 44, 88, 176, 256, 320, 352, 384}, Z0set7={13, 26, 52, 104, 176, 208, 224, 240, 256, 288, 320, 352, 384}, and Z0set8={30, 60, 120, 240, 320, 352}
である
ことを特徴とする請求項１１記載記載の方法。
【請求項１３】
６以上のｇｉｒｔｈを有する全基本行列に対応し、前記リフトサイズセットＺｓｅｔ内の各リフトサイズと前記係数行列セット内の前記ｉ番目係数行列によって規定される疑似サイクリックＬＤＣ符号化レートＲａｔｅ０に対応する全リフトサイズは、セットＺ０ｓｅｔｉを構成し、
６以上のｇｉｒｔｈを有する全基本行列に対応し、前記リフトサイズセットＺｓｅｔ内の各リフトサイズと前記係数行列セット内の前記ｉ番目係数行列によって規定される疑似サイクリックＬＤＣ符号化レートＲａｔｅ１に対応する全リフトサイズは、セットＺ０ｓｅｔ１ｉを構成し、
Ｒａｔｅ０はＲａｔｅ１よりも小さく、前記セットＺ０ｓｅｔ０ｉ内の要素数は前記セットＺ０ｓｅｔ１ｉ内の要素数以下であり、Ｒａｔｅ０とＲａｔｅ１はともに０よりも大きく１未満の実数であり、前記セットＺ０ｓｅｔ０ｉと前記セットＺ０ｓｅｔ１ｉは空ではないセットである
ことを特徴とする請求項３記載記載の方法。
【請求項１４】
前記第１係数行列セットは、以下の４２行５２列係数行列を少なくとも有する：
3,26,53,35,-1,-1,115,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
19,-1,-1,94,104,66,84,98,69,50,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
95,106,-1,92,110,-1,-1,-1,111,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,120,121,-1,22,4,73,49,128,79,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
42,24,-1,-1,-1,-1,-1,-1,-1,-1,-1,51,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
40,140,-1,-1,-1,84,-1,137,-1,-1,-1,71,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
109,-1,-1,-1,-1,87,-1,107,-1,133,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,135,-1,35,-1,-1,-1,108,-1,65,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
70,69,-1,-1,-1,-1,-1,-1,-1,-1,-1,-1,88,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,-1,-1,-1,40,-1,24,49,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
46,41,-1,-1,-1,-1,101,96,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
28,-1,-1,-1,-1,-1,-1,30,-1,116,-1,-1,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,33,-1,122,-1,-1,-1,-1,-1,-1,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
76,37,-1,-1,-1,-1,-1,-1,62,-1,-1,-1,-1,47,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,143,-1,-1,-1,-1,51,-1,-1,-1,-1,130,-1,97,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
139,-1,-1,-1,-1,-1,-1,-1,-1,-1,96,128,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
-1,48,-1,-1,-1,-1,-1,-1,-1,9,-1,28,8,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,120,-1,-1,-1,43,-1,-1,-1,-1,-1,65,42,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
17,-1,-1,-1,-1,-1,106,142,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
79,28,-1,-1,-1,-1,-1,-1,-1,-1,41,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
-1,2,-1,-1,103,-1,-1,-1,-1,-1,-1,78,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
91,-1,-1,-1,-1,-1,-1,-1,75,-1,-1,-1,-1,81,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
-1,54,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
68,-1,-1,115,-1,56,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
-1,30,42,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
128,-1,-1,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
-1,-1,142,-1,-1,-1,-1,28,-1,-1,-1,-1,100,133,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
13,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
-1,106,77,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
133,-1,-1,-1,25,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
-1,-1,87,-1,-1,56,-1,104,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,80,-1,-1,-1,-1,-1,-1,-1,-1,-1,-1,-1,139,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
32,-1,-1,-1,-1,89,-1,-1,-1,-1,-1,-1,71,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,-1,135,-1,-1,-1,-1,6,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
37,-1,-1,-1,-1,-1,-1,-1,-1,-1,-1,-1,25,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,60,-1,-1,-1,137,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
121,-1,129,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,-1,-1,-1,-1,-1,-1,-1,-1,-1,97,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
-1,1,-1,-1,-1,70,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
119,-1,-1,-1,-1,-1,-1,32,-1,-1,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
-1,-1,6,-1,-1,-1,-1,-1,-1,-1,73,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,48,-1,-1,-1,47,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0
ことを特徴とする請求項４から８のいずれか１項記載記載の方法。
【請求項１５】
前記第１係数行列セットは、以下の４６行６８列係数行列を少なくとも有する：
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
22,-1,11,124,0,10,-1,0,0,2,-1,16,60,-1,0,6,30,0,-1,168,-1,31,105,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
132,37,21,-1,180,4,149,48,38,122,195,-1,-1,155,28,85,-1,47,179,42,66,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
4,6,-1,33,113,-1,49,21,6,-1,151,83,154,87,5,-1,92,173,120,-1,2,142,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
24,204,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
185,100,-1,24,-1,-1,-1,-1,-1,-1,-1,-1,65,-1,-1,-1,207,-1,-1,-1,-1,161,72,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,-1,-1,-1,-1,-1,27,-1,-1,-1,163,50,-1,48,-1,-1,-1,24,38,-1,91,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
145,88,-1,-1,112,-1,-1,153,159,-1,-1,-1,-1,-1,76,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
172,2,-1,131,-1,-1,-1,-1,-1,-1,-1,-1,141,-1,-1,-1,96,-1,-1,99,-1,101,35,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,10,-1,-1,-1,-1,-1,-1,-1,-1,145,53,-1,201,-1,-1,-1,4,164,-1,173,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,126,77,-1,156,-1,-1,16,12,-1,-1,-1,-1,-1,70,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
184,194,-1,-1,-1,-1,-1,-1,-1,-1,-1,-1,123,-1,-1,-1,16,-1,-1,-1,-1,104,109,124,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,20,-1,-1,-1,-1,-1,-1,-1,-1,203,153,-1,104,-1,-1,-1,-1,207,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
52,-1,-1,147,-1,-1,-1,1,-1,-1,-1,-1,-1,-1,-1,-1,-1,-1,-1,-1,16,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
1,-1,-1,-1,-1,-1,-1,-1,-1,-1,-1,-1,202,-1,-1,118,130,1,-1,-1,-1,2,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
173,6,-1,-1,-1,-1,-1,-1,-1,-1,81,-1,-1,182,-1,-1,-1,-1,53,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,88,-1,198,-1,-1,-1,-1,-1,-1,-1,160,-1,-1,-1,-1,-1,-1,-1,-1,122,-1,182,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
91,-1,-1,-1,-1,-1,-1,-1,-1,-1,-1,-1,-1,-1,184,-1,30,3,-1,-1,-1,155,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,1,-1,-1,-1,-1,-1,-1,-1,-1,-1,-1,41,167,-1,-1,-1,-1,68,148,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
12,6,-1,-1,-1,-1,-1,166,184,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
6,-1,-1,12,-1,-1,-1,-1,-1,15,-1,5,-1,-1,-1,-1,-1,-1,-1,-1,-1,-1,30,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,6,-1,-1,-1,86,-1,-1,-1,-1,-1,-1,-1,-1,-1,-1,96,-1,-1,-1,42,199,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
44,-1,-1,-1,-1,-1,-1,-1,-1,-1,-1,-1,58,130,-1,-1,-1,131,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
-1,45,18,-1,-1,-1,-1,-1,-1,-1,132,-1,-1,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
9,-1,-1,125,191,-1,-1,-1,-1,-1,-1,28,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
-1,4,-1,-1,-1,-1,74,16,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
21,-1,142,-1,192,-1,-1,-1,-1,-1,-1,-1,-1,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
-1,98,-1,-1,-1,-1,140,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
4,-1,-1,-1,1,-1,-1,-1,-1,-1,-1,-1,-1,-1,-1,-1,-1,-1,-1,40,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
-1,92,-1,-1,-1,-1,-1,-1,-1,-1,-1,-1,-1,-1,136,-1,-1,-1,106,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
2,-1,-1,-1,-1,-1,-1,-1,-1,-1,88,-1,-1,112,-1,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
-1,4,-1,-1,-1,-1,-1,49,-1,-1,-1,-1,-1,-1,-1,-1,-1,-1,-1,-1,-1,-1,125,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
6,-1,-1,-1,-1,-1,-1,-1,-1,-1,-1,-1,126,-1,63,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
-1,10,30,-1,-1,-1,-1,-1,-1,-1,-1,6,-1,-1,-1,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
4,-1,-1,-1,-1,-1,-1,153,-1,-1,-1,-1,-1,-1,-1,197,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,4,-1,-1,-1,-1,45,-1,-1,-1,-1,-1,168,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
6,-1,-1,-1,-1,-1,-1,-1,-1,-1,-1,-1,-1,-1,200,177,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,82,-1,-1,-1,-1,-1,-1,-1,-1,-1,-1,-1,2,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
91,-1,-1,-1,-1,-1,-1,-1,-1,64,198,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,4,-1,28,-1,-1,-1,109,-1,-1,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
10,-1,-1,-1,-1,-1,-1,-1,84,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,2,-1,75,-1,-1,-1,-1,-1,142,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
163,-1,-1,-1,10,-1,-1,-1,-1,-1,-1,-1,-1,-1,-1,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
-1,1,-1,-1,-1,-1,-1,-1,-1,-1,-1,-1,-1,-1,-1,-1,163,-1,99,-1,-1,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
4,-1,-1,-1,-1,-1,-1,6,-1,142,-1,-1,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,181,-1,-1,-1,-1,45,-1,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0. 
ことを特徴とする請求項４から８のいずれか１項記載記載の方法。
【請求項１６】
疑似サイクリック低密度パリティチェック（ＬＤＰＣ）符号化の設計装置であって、
疑似サイクリックＬＤＰＣ符号のパリティチェック行列にしたがって、符号化するＫビット情報シーケンスに対してＬＤＰＣ符号化を実施して、ＮビットＬＤＰＣ符号化シーケンスを取得する、疑似サイクリックＬＤＰＣ符号化モジュール；
を備え、
前記パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である
ことを特徴とする装置。
【請求項１７】
前記装置はさらに、
リフトサイズセットＺｓｅｔを記憶するように構成された第１記憶モジュールであって、前記リフトサイズＺは、リフトサイズセットＺｓｅｔ内の要素であり、Ａ個のリフトサイズサブセットはそれぞれＺｓｅｔｉ（ｉ＝１，２，３，・・・，Ａ）であり、前記Ａ個のリフトサイズサブセット内の全要素はリフトサイズセットＺｓｅｔを構成し、Ａ個のリフトサイズサブセットは共通要素を有していない、第１記憶モジュール、
係数行列を記憶するように構成された第２記憶モジュールであって、前記係数行列は、規定係数行列セット内の係数行列であり、前記係数行列セット内のｉ番目係数行列がサポートする全リフトサイズは、ｉ番目リフトサイズサブセットＺｓｅｔｉを構成する、第２記憶モジュール、
を備え、
前記係数行列セットはＡ個の係数行列を有し、Ａは１よりも大きい整数であり、前記Ａ個の係数行列は同じ行数と同じ列数を有し、かつ−１ではない要素が配置される位置も同じであり、前記リフトサイズセットＺｓｅｔ内の全要素は正整数である
ことを特徴とする請求項１６記載の装置。
【請求項１８】
前記リフトサイズセットＺｓｅｔ内の各リフトサイズと前記係数行列セット内の前記ｉ番目係数行列によって決定される全基本行列の６以上のｇｉｒｔｈを有するパリティチェック行列に対応する全リフトサイズは、セットＺ０ｓｅｔｉを構成し、
前記セットＺ０ｓｅｔｉは、前記ｉ番目リフトサイズサブセットＺｓｅｔｉに属するＬ０ｉ個の要素と、前記ｉ番目リフトサイズサブセットＺｓｅｔｉに属さないＬ１ｉ個の要素とを有し、
Ｌ０ｉはＬｉ以下の正整数であり、Ｌｉは前記ｉ番目リフトサイズサブセットＺｓｅｔｉの要素数であり、Ｌ１ｉ≧２，Ｌ１ｉ≧３，Ｌ１ｉ≧４，Ｌ１ｉ≧５，Ｌ１ｉ≧６，Ｌ１ｉ≧７，Ｌ１ｉ≧８，Ｌ１ｉ≧９，Ｌ１ｉ≧１０，またはＬ１ｉ≧１１である
ことを特徴とする請求項１７記載の装置。
【請求項１９】
前記装置はさらに、第１係数行列セットを記憶するように構成された第３記憶モジュールであって、前記第１係数行列セット内の全係数行列は、同じ行数と同じ列数を有し、前記第１係数行列セット内の任意の係数行列は、前記第２記憶モジュールが格納している前記係数行列セット内の前記Ａ個の係数行列と同じ行数と列数を有する、第３記憶モジュールを備える
ことを特徴とする請求項１７記載の装置。
【請求項２０】
前記第２記憶モジュールが格納している前記係数行列セットは、前記第１係数行列セット内の少なくとも１つの係数行列を有する
ことを特徴とする請求項１９記載の装置。
【請求項２１】
前記第２記憶モジュールが格納している前記係数行列セットは、前記第１係数行列セット内の１つの係数行列を調整することによって取得した少なくとも１つの調整済係数行列を有する
ことを特徴とする請求項１９記載の装置。
【請求項２２】
前記調整済係数行列のｓ番目行内の第１要素から（ｋｂ＋Ｍ）番目要素までの−１ではない全要素は、リフトサイズＺｍａｘの元の係数行列プラスＲｓのｓ番目行内の第１要素から（ｋｂ＋Ｍ）番目要素までの−１ではない各要素全ての剰余演算から取得した全整数と等しく、ｓ＝１，２，３，・・・，ｒｏｗであり、Ｒｓはｓ番目行に対応する加算する整数であり、Ｒ０，Ｒ１，・・・，Ｒ（ｒｏｗ）のうち少なくとも１つは非ゼロ整数であり；あるいは
前記調整済係数行列のｔ番目列内の第１要素からｒｏｗ番目要素までの−１ではない全要素は、リフトサイズＺｍａｘの元の係数行列プラスＣｔのｔ番目列内の第１要素からｒｏｗ番目要素までの−１ではない各要素全ての剰余演算から取得した全整数と等しく、ｔ＝１，２，３，・・・，ｃｏｌであり、Ｃｔはｔ番目列に対応する加算する整数であり、Ｃ０，Ｃ１，・・・，Ｃ（ｃｏｌ）のうち少なくとも１つは非ゼロ整数であり、
ｒｏｗは前記係数行列の行数、ｃｏｌは前記係数行列の列数、ｋｂはｃｏｌとｒｏｗとの間の差分、Ｍは１０未満の非負整数、Ｚｍａｘは前記調整済係数行列がサポートする最大リフトサイズ、Ｚｍａｘは正整数である
ことを特徴とする請求項２１記載の装置。
【請求項２３】
前記調整済係数行列のｓ番目行ｔ番目列内の要素は、リフトサイズＺｍａｘの元の係数行列プラス（Ｘｓ＋Ｙｔ）のｓ番目行ｔ番目列の要素の剰余演算から取得した整数と等しく、
前記元の係数行列のｓ番目行ｔ番目列の前記要素は、−１ではない整数であり、ｓ＝１，２，３，・・・，ｒｏｗ、ｔ＝１，２，３，・・・，ｋｂ＋Ｍ、ｋｂはｃｏｌとｒｏｗとの間の差分、ｒｏｗは前記係数行列の行数、ｃｏｌは前記係数行列の列数、Ｍは１０未満の非負整数、ＸｓとＹｔはともに整数、Ｘ０，Ｘ１，・・・，Ｘ（ｒｏｗ）とＹ０，Ｙ１，・・・，Ｙ（ｋｂ＋Ｍ）のうち少なくとも１つは非ゼロ整数である
ことを特徴とする請求項２１記載の装置。
【請求項２４】
Ａは８であり、Ａ個のリフトサイズサブセットはそれぞれ、
Zset1={2, 4, 8, 16, 32, 64, 128, 256}, Zset2={3, 6, 12, 24, 48, 96, 192}, Zset3={5, 10, 20, 40, 80, 160}, Zset4={7, 14, 28, 56, 112, 224}, Zset5={9, 18, 36, 72, 144}, Zset6={11, 22, 44, 88, 176}, Zset7={13, 26, 52, 104, 208}, and Zset8={15, 30, 60, 120, 240}
である
ことを特徴とする請求項１７から２３いずれか１項記載の装置。
【請求項２５】
前記セットＺ０ｓｅｔｉはそれぞれ、
Z0set1={ 56, 80, 104, 112, 120, 128, 160, 176, 192, 208, 224, 240, 256}, Z0set2={ 44, 48, 72, 88, 96, 144, 160, 176, 192, 208, 224, 240, 256}, Z0set3={ 60, 80, 120, 128, 160, 208, 224, 240, 256}, Z0set4={ 56, 60, 104, 112, 120, 128, 192, 208, 224, 240, 256}, Z0set5={ 72, 128, 144, 160, 176, 192, 224, 240, 256}, Z0set6={ 88, 96, 104, 128, 176, 192, 208, 224, 240, 256}, Z0set7={ 26, 52, 80, 104, 144, 160, 176, 192, 208, 224, 240}, and Z0set8={ 30, 60, 112, 120, 144, 160, 208, 224, 240, 256}
である
ことを特徴とする請求項２４記載の装置。
【請求項２６】
Ａは８であり、Ａ個のリフトサイズサブセットはそれぞれ、
Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}
である
ことを特徴とする請求項１７から２３いずれか１項記載の装置。
【請求項２７】
前記セットＺ０ｓｅｔｉはそれぞれ、
Z0set1={16, 32, 48, 64, 80, 96, 112, 128, 144, 160, 176, 192, 208, 224, 240, 256, 288, 320, 352, 384}, Z0set2={12, 24, 36, 48, 60, 72, 96, 120, 144, 192, 240, 256, 288, 352, 384}, Z0set3={20, 40, 60, 80, 120, 160, 240, 320, 352}, Z0set4={56, 112, 224, 288, 352, 384}, Z0set5={18, 36, 72, 144, 176, 192, 288, 352, 384}, Z0set6={22, 44, 88, 176, 256, 320, 352, 384}, Z0set7={13, 26, 52, 104, 176, 208, 224, 240, 256, 288, 320, 352, 384}, and Z0set8={30, 60, 120, 240, 320, 352}
である
ことを特徴とする請求項２６記載の装置。
【請求項２８】
６以上のｇｉｒｔｈを有する全基本行列に対応し、前記リフトサイズセットＺｓｅｔ内の各リフトサイズと前記係数行列セット内の前記ｉ番目係数行列によって規定される符号化レートＲａｔｅ０に対応する全リフトサイズは、セットＺ０ｓｅｔｉを構成し、
６以上のｇｉｒｔｈを有する全基本行列に対応し、前記リフトサイズセットＺｓｅｔ内の各リフトサイズと前記係数行列セット内の前記ｉ番目係数行列によって規定される符号化レートＲａｔｅ１に対応する全リフトサイズは、セットＺ０ｓｅｔ１ｉを構成し、
Ｒａｔｅ０はＲａｔｅ１よりも小さく、前記セットＺ０ｓｅｔ０ｉ内の要素数は前記セットＺ０ｓｅｔ１ｉ内の要素数以下であり、Ｒａｔｅ０とＲａｔｅ１はともに０よりも大きく１未満の実数であり、前記セットＺ０ｓｅｔ０ｉと前記セットＺ０ｓｅｔ１ｉは空ではないセットである
ことを特徴とする請求項１８記載の装置。
【請求項２９】
前記第１係数行列セットは、以下の４２行５２列係数行列を少なくとも有する：
3,26,53,35,-1,-1,115,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
19,-1,-1,94,104,66,84,98,69,50,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
95,106,-1,92,110,-1,-1,-1,111,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,120,121,-1,22,4,73,49,128,79,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
42,24,-1,-1,-1,-1,-1,-1,-1,-1,-1,51,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
40,140,-1,-1,-1,84,-1,137,-1,-1,-1,71,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
109,-1,-1,-1,-1,87,-1,107,-1,133,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,135,-1,35,-1,-1,-1,108,-1,65,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
70,69,-1,-1,-1,-1,-1,-1,-1,-1,-1,-1,88,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,-1,-1,-1,40,-1,24,49,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
46,41,-1,-1,-1,-1,101,96,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
28,-1,-1,-1,-1,-1,-1,30,-1,116,-1,-1,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,33,-1,122,-1,-1,-1,-1,-1,-1,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
76,37,-1,-1,-1,-1,-1,-1,62,-1,-1,-1,-1,47,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,143,-1,-1,-1,-1,51,-1,-1,-1,-1,130,-1,97,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
139,-1,-1,-1,-1,-1,-1,-1,-1,-1,96,128,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
-1,48,-1,-1,-1,-1,-1,-1,-1,9,-1,28,8,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,120,-1,-1,-1,43,-1,-1,-1,-1,-1,65,42,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
17,-1,-1,-1,-1,-1,106,142,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
79,28,-1,-1,-1,-1,-1,-1,-1,-1,41,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
-1,2,-1,-1,103,-1,-1,-1,-1,-1,-1,78,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
91,-1,-1,-1,-1,-1,-1,-1,75,-1,-1,-1,-1,81,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
-1,54,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
68,-1,-1,115,-1,56,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
-1,30,42,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
128,-1,-1,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
-1,-1,142,-1,-1,-1,-1,28,-1,-1,-1,-1,100,133,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
13,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
-1,106,77,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
133,-1,-1,-1,25,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
-1,-1,87,-1,-1,56,-1,104,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,80,-1,-1,-1,-1,-1,-1,-1,-1,-1,-1,-1,139,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
32,-1,-1,-1,-1,89,-1,-1,-1,-1,-1,-1,71,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,-1,135,-1,-1,-1,-1,6,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
37,-1,-1,-1,-1,-1,-1,-1,-1,-1,-1,-1,25,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,60,-1,-1,-1,137,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
121,-1,129,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,-1,-1,-1,-1,-1,-1,-1,-1,-1,97,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
-1,1,-1,-1,-1,70,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
119,-1,-1,-1,-1,-1,-1,32,-1,-1,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
-1,-1,6,-1,-1,-1,-1,-1,-1,-1,73,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,48,-1,-1,-1,47,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0. 
ことを特徴とする請求項１９から２３いずれか１項記載の装置。
【請求項３０】
前記第１係数行列セットは、以下の４６行６８列係数行列を少なくとも有する：
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
22,-1,11,124,0,10,-1,0,0,2,-1,16,60,-1,0,6,30,0,-1,168,-1,31,105,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
132,37,21,-1,180,4,149,48,38,122,195,-1,-1,155,28,85,-1,47,179,42,66,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
4,6,-1,33,113,-1,49,21,6,-1,151,83,154,87,5,-1,92,173,120,-1,2,142,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
24,204,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
185,100,-1,24,-1,-1,-1,-1,-1,-1,-1,-1,65,-1,-1,-1,207,-1,-1,-1,-1,161,72,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,-1,-1,-1,-1,-1,27,-1,-1,-1,163,50,-1,48,-1,-1,-1,24,38,-1,91,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
145,88,-1,-1,112,-1,-1,153,159,-1,-1,-1,-1,-1,76,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
172,2,-1,131,-1,-1,-1,-1,-1,-1,-1,-1,141,-1,-1,-1,96,-1,-1,99,-1,101,35,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,10,-1,-1,-1,-1,-1,-1,-1,-1,145,53,-1,201,-1,-1,-1,4,164,-1,173,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,126,77,-1,156,-1,-1,16,12,-1,-1,-1,-1,-1,70,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
184,194,-1,-1,-1,-1,-1,-1,-1,-1,-1,-1,123,-1,-1,-1,16,-1,-1,-1,-1,104,109,124,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,20,-1,-1,-1,-1,-1,-1,-1,-1,203,153,-1,104,-1,-1,-1,-1,207,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
52,-1,-1,147,-1,-1,-1,1,-1,-1,-1,-1,-1,-1,-1,-1,-1,-1,-1,-1,16,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
1,-1,-1,-1,-1,-1,-1,-1,-1,-1,-1,-1,202,-1,-1,118,130,1,-1,-1,-1,2,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
173,6,-1,-1,-1,-1,-1,-1,-1,-1,81,-1,-1,182,-1,-1,-1,-1,53,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,88,-1,198,-1,-1,-1,-1,-1,-1,-1,160,-1,-1,-1,-1,-1,-1,-1,-1,122,-1,182,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
91,-1,-1,-1,-1,-1,-1,-1,-1,-1,-1,-1,-1,-1,184,-1,30,3,-1,-1,-1,155,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,1,-1,-1,-1,-1,-1,-1,-1,-1,-1,-1,41,167,-1,-1,-1,-1,68,148,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
12,6,-1,-1,-1,-1,-1,166,184,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
6,-1,-1,12,-1,-1,-1,-1,-1,15,-1,5,-1,-1,-1,-1,-1,-1,-1,-1,-1,-1,30,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,6,-1,-1,-1,86,-1,-1,-1,-1,-1,-1,-1,-1,-1,-1,96,-1,-1,-1,42,199,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
44,-1,-1,-1,-1,-1,-1,-1,-1,-1,-1,-1,58,130,-1,-1,-1,131,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
-1,45,18,-1,-1,-1,-1,-1,-1,-1,132,-1,-1,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
9,-1,-1,125,191,-1,-1,-1,-1,-1,-1,28,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
-1,4,-1,-1,-1,-1,74,16,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
21,-1,142,-1,192,-1,-1,-1,-1,-1,-1,-1,-1,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
-1,98,-1,-1,-1,-1,140,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
4,-1,-1,-1,1,-1,-1,-1,-1,-1,-1,-1,-1,-1,-1,-1,-1,-1,-1,40,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
-1,92,-1,-1,-1,-1,-1,-1,-1,-1,-1,-1,-1,-1,136,-1,-1,-1,106,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
2,-1,-1,-1,-1,-1,-1,-1,-1,-1,88,-1,-1,112,-1,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
-1,4,-1,-1,-1,-1,-1,49,-1,-1,-1,-1,-1,-1,-1,-1,-1,-1,-1,-1,-1,-1,125,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
6,-1,-1,-1,-1,-1,-1,-1,-1,-1,-1,-1,126,-1,63,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
-1,10,30,-1,-1,-1,-1,-1,-1,-1,-1,6,-1,-1,-1,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
4,-1,-1,-1,-1,-1,-1,153,-1,-1,-1,-1,-1,-1,-1,197,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,4,-1,-1,-1,-1,45,-1,-1,-1,-1,-1,168,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
6,-1,-1,-1,-1,-1,-1,-1,-1,-1,-1,-1,-1,-1,200,177,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,82,-1,-1,-1,-1,-1,-1,-1,-1,-1,-1,-1,2,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
91,-1,-1,-1,-1,-1,-1,-1,-1,64,198,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,4,-1,28,-1,-1,-1,109,-1,-1,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
10,-1,-1,-1,-1,-1,-1,-1,84,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,2,-1,75,-1,-1,-1,-1,-1,142,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
163,-1,-1,-1,10,-1,-1,-1,-1,-1,-1,-1,-1,-1,-1,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
-1,1,-1,-1,-1,-1,-1,-1,-1,-1,-1,-1,-1,-1,-1,-1,163,-1,99,-1,-1,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
4,-1,-1,-1,-1,-1,-1,6,-1,142,-1,-1,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,181,-1,-1,-1,-1,45,-1,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0. 
ことを特徴とする請求項１９から２３いずれか１項記載の装置。
【請求項３１】
プログラムコードを格納するコンピュータ読取可能記憶媒体であって、前記プログラムコードは、請求項１から１５いずれか１項記載の方法をコンピュータに実行させる
ことを特徴とする記憶媒体。
【発明の詳細な説明】
【技術分野】
【０００１】
＜関連出願への相互参照＞
本願は、２０１７年６月２６日出願の中国特許出願２０１７１０４９６５３３．７の優先権を主張する。同文献の開示内容は、その全体が参照により本願に組み込まれる。
【０００２】
本発明は通信分野に関し、特に疑似サイクリック低密度パリティチェック符号化の設計方法、装置、およびコンピュータ記憶媒体に関する。 
【背景技術】
【０００３】
関連分野におけるデジタル通信システムは一般に、３つの部分を有する：送信端、チャネル、受信端である。送信端は、情報シーケンスに対してチャネル符号化を実施して符号化コードワードを取得し、その符号化コードワードをインターリーブし、インターリーブビットを変調シンボルへマッピングし、通信チャネル情報にしたがって変調シンボルを処理および送信することができる。チャネルにおいて、例えばマルチパスや移動など要因に起因する特定のチャネル応答によってデータ送信が歪み、ノイズと干渉がデータ送信をさらに劣化させる場合がある。受信端は、チャネルを介して歪んだ変調シンボルデータ送信を受信し、特定の処理を実施して元の情報シーケンスを復元する必要がある。
【０００４】
情報シーケンスを符号化するために送信端が用いる符号化方法にしたがって、受信端は対応する処理を受信データに対して実施して、元の情報シーケンスを信頼性高く復元することができる。符号化方法は、送信端と受信端ともに知っている必要がある。一般に符号化方法は、前方エラー訂正（ＦＥＣ）符号化に基づいている。ＦＥＣ符号化は、情報シーケンスに対して冗長情報を付加する。受信端はその冗長情報によって元の情報シーケンスを信頼性高く復元できる。
【０００５】
ＦＥＣコードとして一般的なものとして以下が挙げられる：畳み込み符号、ターボ符号、低密度パリティチェック（ＬＤＰＣ）符号。ＦＥＣ符号化プロセスにおいて、ＦＥＣ符号化はｋビットの情報シーケンスに対して実施され、これによりｎビットの符号化コードワード（ｎ−ｋ冗長ビットを含む）を得る。ＦＥＣ符号化率はｋ／ｎである。ＬＤＰＣ符号は、非常に疎なパリティチェック行列または２部グラフによって定義される線形ブロック符号である。チェック行列が疎であることにより、複雑度が低いＬＤＰＣ符号化および復号化を実現し、ＬＤＰＣ符号はより実用的なものとなる。様々な実用技術や理論によればＬＤＰＣは符号化性能が最も良く、加算性白色ガウスノイズ（ＡＷＧＮ）の下におけるシャノン限界と非常に近い。ＬＤＰＣ符号のパリティチェック行列において、各行はパリティチェック符号である。あるインデックス位置における要素が各行において値１を有する場合、この位置におけるビットはパリティチェック符号に参加することを示す。その要素が０である場合、この位置におけるビットはパリティチェック符号に参加しないことを示す。
【０００６】
構造化されている特性に起因して、疑似サイクリックＬＤＰＣ符号は主なアプリケーションとなっている。例えば疑似サイクリックＬＤＰＣ符号は、ＩＥＥＥ８０２．１１ａｃ、 ＩＥＥＥ８０２．１１ａｄ、ＩＥＥＥ８０２．１１ａｊ、ＩＥＥＥ８０２．１６ｅ、 ＩＥＥＥ８０２．１１ｎ、ＤＶＢ、マイクロ波通信、光ファイバ通信などの分野において広範に用いられている。疑似サイクリックＬＤＰＣ符号のパリティチェック行列Ｈは、Ｍ×Ｚ行とＮ×Ｚ列の行列であり、Ｍ×Ｎサブマトリクスを有する。各サブマトリクスは、Ｚ×Ｚ基礎置換行列の異なる冪行列である。すなわち各サブマトリクスは、Ｚ×Ｚ単位行列のサイクリックシフトを介して得られる。単位行列のサイクリックシフトを数学的観点からより簡易に説明するため、疑似サイクリックＬＤＰＣ符号のパリティチェック行列は、下記数式によって記述できる：
【数１】
2020526117.tif 000003
【０００７】
ｈｂｉｊ＝−１である場合、ＰｈｂｉｊはサイズＺ×Ｚの全ゼロ行列である；そうでなければＰｈｂｉｊは基準置換行列の非負整数乗である。基準置換行列Ｐは下記のように記述できる：
【数２】
2020526117.tif 000004
【０００８】
この定義の下、Ｚと冪ｈｂｉｊは各ブロック行列を一意に識別できる。あるブロック行列が全ゼロ行列である場合、ブロック行列は−１またはｎｕｌｌ値またはその他形態で表現できる。ブロック行列が単位行列の値ｓのサイクリックシフトによって得られる場合、ブロック行列はｓに等しい。全てのｈｂｉｊは疑似サイクリックＬＤＰＣの基本行列Ｈｂを構成することができ、Ｈｂは以下のように記述できる：
【数３】
2020526117.tif 000005
【０００９】
基本行列Ｈｂは、以下の２タイプの要素を有する：全ゼロ正方行列を示す要素；単位行列のサイクリックシフトの値を示し、０から（Ｚ−１）までの範囲内の整数によって表される要素。基本行列Ｈｂは、基本チェック行列またはシフト値行列または置換値行列と呼ぶ場合もある。基本行列Ｈｂにおいて、全ゼロ行列を示す要素が０で置き換えられ、その他要素が１で置き換えられた場合、疑似サイクリックＬＤＰＣ符号のテンプレート行列が得られる。したがって疑似サイクリックＬＤＰＣ符号の基本行列は、疑似サイクリックＬＤＰＣ符号のテンプレート行列とシフト値グループ（または係数グループ）にしたがって決定できる。基礎置換行列または全ゼロ行列の次元数Ｚは、リフトサイズ／リフトサイズまたは拡大係数として定義できる。
【００１０】
実際の疑似サイクリックＬＤＰＣ符号化プロセスにおいて、複数のリフトサイズによって符号化長の柔軟な設計をサポートする必要があり、各リフトサイズは基本行列に対応するので、多数の基本行列を保存する必要がある。したがって疑似サイクリックＬＤＰＣ符号化プロセスにおいて、基本行列係数は、複数のリフトサイズに対応する基本行列をサポートする必要がある。例えば１つの基本行列係数はＨｂ０であり、リフトサイズＺ０、Ｚ１、Ｚ２、Ｚ３をサポートする。−１ではない全要素値をＺｉによって除算して残部を取得するとともに比例的に切り捨て、これにより、ｉ番目リフトサイズＺｉに対応する疑似サイクリックＬＤＰＣ符号の基本行列を取得する。これにより、−１ではない全要素値はリフトサイズよりも小さくなる。Ｚｉに対応する基本行列を取得したとき、疑似サイクリックＬＤＰＣ符号化を情報ビットシーケンスに対して実施して、符号化する。
【００１１】
したがって構造化ＬＤＰＣ符号は、基本チェック行列ＨｂとリフトサイズＺによって一意に決定できる。例えば基本行列Ｈｂ（２行４列）は、リフトサイズｚ＝４に対応し、下記のように記述できる：
【数４】
2020526117.tif 000006
【００１２】
基本行列Ｈｂに対応するテンプレート行列は下記のように記述できる：
【数５】
2020526117.tif 000007
【００１３】
基本行列ＨｂとリフトサイズＺにしたがって取得するパリティチェック行列Ｈは、下記のように記述できる：
【数６】
2020526117.tif 000008
【００１４】
疑似サイクリックＬＤＰＣ符号の良好な復号性能を得るために、ｇｉｒｔｈと短サークルの概念を導入する。サークル長４は以下のように定義される：４つの正整数値｛ａ０，ａ１，ｂ０，ｂ１｝が基本行列の要素Ｈｂ（ａ０，ｂ０），Ｈｂ（ａ０，ｂ１），Ｈｂ（ａ１，ｂ０）Ｈｂ（ａ１，ｂ１）に対応し、これら要素が全て非−１要素である場合、基本行列は長さ４の短サークルを有する。同様に６つの正整数値｛ａ０，ａ１，ａ２，ｂ０，ｂ１，ｂ２｝が基本行列内の要素Ｈｂ（ａ０，ｂ０），Ｈｂ（ａ０，ｂ１），Ｈｂ（ａ１，ｂ１），Ｈｂ（ａ１，ｂ２），Ｈｂ（ａ２，ｂ２），Ｈｂ（ａ２，ｂ０） に対応し、これら要素が全て非−１要素である場合、基本行列は長さ４の短サークルを有する。同様に８つの正整数値｛ａ０，ａ１，ａ２，ａ３，ｂ０，ｂ１，ｂ２，ｂ３｝が基本行列内の要素Ｈｂ（ａ０，ｂ０），Ｈｂ（ａ０，ｂ１），Ｈｂ（ａ１，ｂ１），Ｈｂ（ａ１，ｂ２），  Ｈｂ（ａ２，ｂ２），Ｈｂ（ａ２，ｂ３），Ｈｂ（ａ３，ｂ２），Ｈｂ（ａ３，ｂ０）に対応し、 これら要素が全て非−１要素である場合、基本行列は長さ８の短サークルを有する。同様に、基本行列の長さ１０、１２などの短サークルを定義できる。ｇｉｒｔｈは以下のように定義される：基本行列内の長さ４の短サークルのうち少なくとも１つが、ｍｏｄ（Ｈｂ（ａ０，ｂ０）−Ｈｂ（ａ０，ｂ１）＋Ｈｂ（ａ１，ｂ１）−Ｈｂ（ａ１，ｂ０），Ｚ）＝０を満たす場合、基本行列とリフトサイズＺにしたがって規定されるパリティチェック行列は、ｇｉｒｔｈ４を有する。長さ４の短サークル全てがｍｏｄ（Ｈｂ（ａ０，ｂ０）−Ｈｂ（ａ０，ｂ１）＋Ｈｂ（ａ１，ｂ１）−Ｈｂ（ａ１，ｂ０），Ｚ）≠０を満たし、長さ６の短サークルのうち少なくとも１つがｍｏｄ（Ｈｂ（ａ０，ｂ０）−Ｈｂ（ａ０，ｂ１）＋Ｈｂ（ａ１，ｂ１）−Ｈｂ（ａ１，ｂ２）＋Ｈｂ（ａ２，ｂ２）−Ｈｂ（ａ２，ｂ０），Ｚ）＝０を満たす場合、基本行列とリフトサイズＺにしたがって規定されるパリティチェック行列は、ｇｉｒｔｈ６を有する。同様に、ｇｉｒｔｈ４とｇｉｒｔｈ６の短サークルが存在せず、長さ８の短サークルのうち少なくとも１つがｍｏｄ（Ｈｂ（ａ０，ｂ０）−Ｈｂ（ａ０，ｂ１）＋Ｈｂ（ａ１，ｂ１）−Ｈｂ（ａ１，ｂ２）＋Ｈｂ（ａ２，ｂ２）−Ｈｂ（ａ２，ｂ３）＋Ｈｂ（ａ３，ｂ３）−Ｈｂ（ａ３，ｂ０），Ｚ）＝０を満たす場合、基本行列とリフトサイズＺにしたがって規定されるパリティチェック行列は、ｇｉｒｔｈ８を有する。計算式ｍｏｄ（ｘ１，ｘ２）は、ｘ２によるｘ１の剰余演算を意味する。例えばｍｏｄ（１０，３）＝１である。上記基本行列を例とすると、基本行列とリフトサイズにしたがって規定されるパリティ行列は、ｇｉｒｔｈ４を有する。｛ａ０，ａ１，ｂ０，ｂ１｝＝｛１，２，１，３｝がｍｏｄ（Ｈｂ（ａ０，ｂ０）−Ｈｂ（ａ０，ｂ１）＋Ｈｂ（ａ１，ｂ１）−Ｈｂ（ａ１，ｂ０），Ｚ）＝０を充足することにしたがって規定される４要素について、ｇｉｒｔｈ４の短サークルが存在するからである。疑似サイクリックＬＤＰＣ符号化について、基本行列とリフトサイズにしたがって規定されるパリティチェック行列がより大きいｇｉｒｔｈを有する場合、ＬＤＰＣコードワードは��ンダム性がより大きく、性能がよりよく、最小符号距離がより大きくなり、これによりエラーフロアはより発生しにくくなる。したがって、ＬＤＰＣ設計プロセスにおいて、疑似サイクリックＬＤＰＣ符号の基本行列のｇｉｒｔｈ特性は非常に重要であり、疑似サイクリックＬＤＰＣ符号化の性能は基本的に、基本行列のｇｉｒｔｈ特性にしたがって定められる。ただし、より大きいｇｉｒｔｈを有する疑似サイクリックＬＤＰＣ符号の基本行列を決定するのは難しい。
【００１５】
上述のＬＤＰＣ符号のパリティチェック行列について、パリティチェック行列の第１行内の１に等しい要素のインデックスは［１  ６  ９］であり、これは構造化ＬＤＰＣ符号において、第１ビット、第６ビット、第９ビットが１つのパリティチェック符号を構成することを示す。同様に、第２行の１に等しい要素のインデックスは［２  ７  １０］であり、これは第２ビット、第７ビット、第１０ビットがパリティチェック符号を構成することを示す。同様にＬＤＰＣ符号は実質的に、集積した多数のパリティチェック符号を有するコードワードであることが分かる。疑似サイクリックＬＤＰＣ符号化の上記定義にしたがって、パリティチェック行列の各行は１つのパリティチェック符号に対応するので、有効な符号化を実施するためには、パリティチェック行列の行数は、パリティチェック行列のチェック列数と一致しなければならない。上記パリティチェック行列において、最初の８列（２×Ｚ＝２×４）はパリティチェック行列のシステム列であり、最後の８列（２×Ｚ＝２×４）はパリティチェック行列のチェック列である。同様に基本行列の行数は、基本行列のチェック列数と一致しなければならない。上記例の疑似サイクリックＬＤＰＣの基本行列において、最初の２列はシステム列であり、最後の２列はチェック列である。基本行列の行数は基本行列のチェック列数と正確に一致する。疑似サイクリックＬＤＰＣ符号化は、基本行列ＨｂとリフトサイズＺにしたがって規定したパリティチェック行列にしたがって直接実施できる。ＬＤＰＣ符号の定義にしたがって、Ｈ×Ｃ＝０；パリティチェック行列Ｈは［Ｈｓ  Ｈｐ］を含み、Ｈｓはパリティチェック行列のシステム列の部分行列であり、Ｈｐはパリティチェック行列のチェック列の部分行列である；ＬＤＰＣコードワードＣは［Ｃｓ  Ｃｐ］を含む場合があり、ＣｓはＬＤＰＣ符号のシステムビットシーケンス（情報ビット、既知ビット）であり、ＣｐはＬＤＰＣ符号のチェックビットシーケンス（未知ビット）である。ＬＤＰＣ符号化プロセスは、チェックビットシーケンスを計算するプロセスである。Ｈ×Ｃ＝０にしたがって、Ｈｓ×Ｃｓ＝Ｈｐ×Ｃｐが得られ、チェックビットシーケンスはＣｐ＝Ｈｐ−１×Ｈｓ×Ｃｓとして計算できる。したがって、疑似サイクリック符号化シーケンスが［Ｃｓ  Ｃｐ］となるように、パリティチェック行列のチェック列の部分行列は、正方行列かつバイナリ可逆でなければならない。疑似サイクリックＬＤＰＣ符号化シーケンスは、全Ｚビットブロックのサイクリックシフトを介して取得することもできる。
【００１６】
階層的復号、すなわち行並列復号法は、一般にＬＤＰＣ復号において用いられる。行並列復号法は、繰り返し回数を大幅に削減し、フラッディング復号の繰り返し回数の約半分のみを必要とする。上記構造化ＬＤＰＣ符号のパリティチェック行列は８行を有し（拡張係数Ｚ＝４、基本行列は２行４列）、これはパリティチェック符号が８個存在するかまたは８個のチェック式が存在することを示す。復号プロセスにおいて、各パリティチェック符号を復号する必要があり、これは繰り返しにより８つのパリティチェック符号全てをデータ更新することを必要とする。階層化復号プロセスにおける全行または一部行を並列復号する場合、各繰り返しにおける並列度がｐであれば（ｐ個のパリティチェック符号を同時更新する）、繰り返しプロセスにおける現在のｐ個のパリティチェック符号と次のｐ個のパリティチェック符号は、同じ更新モジュール（パリティチェック符号更新モジュール）によって更新される。このように、復号器は複雑度が大幅に小さく、現在の更新データを用いて、階層化復号プロセスの次層における更新データを更新できる。したがって、必要な繰り返し回数はより少なく、復号スループットはより高い。上記Ｈについて、並列度が２である場合、パリティチェック行列の各４行における２つのパリティチェック符号（基本チェック行列の１つの行に対応）は、同時更新される。
【００１７】
したがって、疑似サイクリックＬＤＰＣ符号化設計において、基本行列の設計は非常に重要である。設計が悪いと、疑似サイクリックＬＤＰＣ符号化の性能とエラーフロアが非常に悪くなる。例えば疑似サイクリックＬＤＰＣ符号の性能悪化などのような、基本行列を設計することの困難性に対する有用な手段は提供されていない。
【発明の概要】
【発明が解決しようとする課題】
【００１８】
本発明の実施形態は、少なくとも疑似サイクリックＬＤＰＣ符号の性能悪化に関する当該分野における課題を解決する、疑似サイクリック低密度パリティチェック符号化の設計方法、装置、コンピュータ記憶媒体を提供する。
【課題を解決するための手段】
【００１９】
本発明の実施形態は、疑似サイクリック低密度パリティチェック（ＬＤＰＣ）符号化の設計方法を提供する。前記方法は：疑似サイクリックＬＤＰＣ符号のパリティチェック行列にしたがって、符号化するＫビット情報シーケンスに対してＬＤＰＣ符号化を実施し、ＮビットＬＤＰＣ符号化シーケンスを取得するステップを有し、前記パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である。
【００２０】
本発明の別実施形態は、疑似サイクリックＬＤＰＣ符号化の設計装置を提供する。前記装置は、疑似サイクリックＬＤＰＣ符号化モジュールを有する。前記疑似サイクリックＬＤＰＣ符号化モジュールは、疑似サイクリックＬＤＰＣ符号のパリティチェック行列にしたがって、符号化するＫビット情報シーケンスに対してＬＤＰＣ符号化を実施し、ＮビットＬＤＰＣ符号化シーケンスを取得するように構成されている。前記パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である。
【００２１】
本発明の別実施形態はさらに、上記ステップを実行するプログラムコードを格納するように構成された記憶媒体を提供する。
【００２２】
疑似サイクリックＬＤＰＣ符号のパリティチェック行列にしたがって、符号化するＫビット情報シーケンスに対してＬＤＰＣ符号化を実施して、ＮビットＬＤＰＣ符号化シーケンスを取得する。
【００２３】
パリティチェック行列は、基本行列とリフトサイズＺにしたがって規定され、前記基本行列は、前記リフトサイズＺと係数行列にしたがって規定され、Ｋは正整数であり、ＮはＫよりも大きい正整数であり、Ｚは正整数である。
【００２４】
本発明の実施形態において、疑似サイクリックＬＤＰＣ符号のパリティチェック行列にしたがって、符号化するＫビット情報シーケンスに対してＬＤＰＣ符号化を実施する。前記パリティチェック行列は、基本行列とリフトサイズＺにしたがって規定され、前記基本行列は、前記リフトサイズＺと係数行列にしたがって規定される。本発明は、疑似サイクリックＬＤＰＣ符号の性能悪化についての当該分野における課題を解決し、疑似サイクリックＬＤＰＣ符号化の性能を改善する。
【図面の簡単な説明】
【００２５】
図面は本発明をさらに理解するために用いられ、本願の一部を形成する。本発明における実施形態とその説明は、本発明を説明するために用いられ、いかなる不適当な態様においても本発明を限定するものではない。
【００２６】
【図１】本発明の実施形態に係る、疑似サイクリック低密度パリティチェック符号化の設計方法のフローチャートである。
【００２７】
【図２】本発明の実施形態に係る、疑似サイクリック低密度パリティチェック符号化の設計装置のブロック図である。
【００２８】
【図３】本発明の実施例１に係る、疑似サイクリック低密度パリティチェック符号化の設計方法のフローチャートである。
【００２９】
【図４】本発明の実施例２に係る、疑似サイクリック低密度パリティチェック符号化の設計装置のブロック図である。
【発明を実施するための形態】
【００３０】
図面と実施形態を参照して、本発明の詳細を以下説明する。相反しない場合、本願の実施形態と特徴部分は互いに組み合わせることができる。
【００３１】
本願の明細書、特許請求範囲、図面における用語「第１」「第２」などは、同様のオブジェクトを区別するために用いており、必ずしも特定の順序やシーケンスを記載しているものではない。
【００３２】
＜実施形態１＞
【００３３】
本実施形態は、疑似サイクリック低密度パリティチェック符号化の設計方法を提供する。図１は、本発明の実施形態に係る、疑似サイクリック低密度パリティチェック符号化の設計方法のフローチャートである。図１に示すように、本方法のプロセスは以下のステップを有する。
【００３４】
ステップＳ１０２において、基本行列係数とリフトサイズＺにしたがって、パリティチェック行列を決定する。
【００３５】
ステップＳ１０４において、疑似サイクリック低密度パリティチェック（ＬＤＰＣ）符号のパリティチェック行列にしたがって、符号化するＫビット情報シーケンスに対してＬＤＰＣ符号化を実施して、ＮビットＬＤＰＣ符号化シーケンスを取得する。
【００３６】
Ｋは正整数であり、ＮはＫよりも大きい整数であり、Ｚは正整数である。
【００３７】
上記ステップにおいて、疑似サイクリック低密度パリティチェック（ＬＤＰＣ）符号のパリティチェック行列にしたがって、符号化するＫビット情報シーケンスに対してＬＤＰＣ符号化を実施する。パリティチェック行列は、基本行列とリフトサイズＺにしたがって規定され、基本行列は、リフトサイズＺと係数行列にしたがって規定される。本方法は、疑似サイクリックＬＤＰＣ符号の性能悪化についての当該分野における課題を解決し、疑似サイクリックＬＤＰＣ符号化の性能を改善する。
【００３８】
オプションとして、本実施形態においてはリフトサイズセットＺｓｅｔがある。リフトサイズＺは、リフトサイズセットＺｓｅｔ内の要素であり、Ａ個のリフトサイズサブセット内におけるｉ番目のリフトサイズサブセットは、Ｚｓｅｔｉ（ｉ＝１，２，３，・・・Ａ）と表される。Ａ個のリフトサイズサブセット内の全要素は、リフトサイズセットＺｓｅｔを構成する。Ａ個のリフトサイズサブセットは共通要素がない。係数行列セットが存在する。係数行列は、係数行列セット内の係数行列である。係数行列セット内のｉ番目係数行列によってサポートされる全リフトサイズは、ｉ番目リフトサイズサブセットＺｓｅｔｉを構成する。係数行列セットはＡ個の係数行列を有し、Ａは１よりも大きい整数である。Ａ個の係数行列は、同じ行数、同じ列数を有し、−１ではない要素が配置されている位置が同じである。リフトサイズセットＺｓｅｔ内の全要素は正整数である。
【００３９】
オプションとして、リフトサイズセットＺｓｅｔ内の各リフトサイズおよび係数行列セット内のｉ番目係数行列によって規定される全基本行列の６以上のｇｉｒｔｈを有するパリティチェック行列に対応する全リフトサイズは、セットＺ０ｓｅｔｉに対応する。セットＺ０ｓｅｔｉは、ｉ番目リフトサイズサブセットＺｓｅｔｉに属するＬ０ｉ個の要素とｉ番目リフトサイズサブセットＺｓｅｔｉに属さないＬ１ｉ個の要素を有する。Ｌ０ｉはＬｉ以下の正整数であり、Ｌｉはｉ番目リフトサイズサブセットＺｓｅｔｉの要素数であり、Ｌ１ｉ≧２，Ｌ１ｉ≧３，Ｌ１ｉ≧４，Ｌ１ｉ≧５，Ｌ１ｉ≧６，Ｌ１ｉ≧７，Ｌ１ｉ≧８，Ｌ１ｉ≧９，Ｌ１ｉ≧１０，またはＬ１ｉ≧１１である。
【００４０】
オプションとして、第１係数行列セットが存在する（例：テンプレート行列を含む）。第１係数行列セット内の全係数行列は、行数が同じである。全係数行列は、列数も同じである。第１係数行列セット内の任意の係数行列は、行数と列数が係数行列セット内のＡ個の係数行列と同じである。
【００４１】
オプションとして、係数行列セットは少なくとも、第１係数行列セット内の１つの係数行列を有する。すなわち係数行列セットと第１係数行列セットは、少なくとも１つの係数行列を共有する。
【００４２】
オプションとして、係数行列セットは少なくとも、第１係数行列セット内の１つの係数行列を調整することによって取得した１つの調整済係数行列を有する。
【００４３】
オプションとして、調整済係数行列のｓ番目行内の第１要素から（ｋｂ＋Ｍ）番目要素までの−１ではない全要素は、リフトサイズＺｍａｘの元の係数行列プラスＲｓのｓ番目行内の第１要素から（ｋｂ＋Ｍ）番目要素までの各−１ではない全要素の剰余演算から取得した全整数と等しい。ｓ＝１，２，３，・・・，ｒｏｗ、Ｒｓは対応するｓ番目行に対して加算する整数、Ｒ０，Ｒ１，・・・，Ｒ（ｒｏｗ）のうち少なくとも１つは非ゼロ整数である。これに代えて、調整済係数行列のｔ番目列内の第１要素からｒｏｗ番目要素までの−１ではない全要素は、リフトサイズＺｍａｘの元の係数行列プラスＣｔのｔ番目列内の第１要素からｒｏｗ番目要素までの各−１ではない全要素の剰余演算から全整数と等しい。ｔ＝１，２，３，・・・，ｃｏｌ、Ｃｔは対応するｔ番目列に対して加算する整数、Ｃ０，Ｃ１，・・・，Ｃ（ｃｏｌ）のうち少なくとも１つは非ゼロ整数である。ｒｏｗは係数行列の行数であり、ｃｏｌは係数行列の列数であり、ｋｂはｃｏｌとｒｏｗとの間の差分に等しい。Ｍは１０未満の非負整数、Ｚｍａｘは調整済係数行列がサポートするリフトサイズ、Ｚｍａｘは正整数である。
【００４４】
オプションとして、調整済係数行列のｓ番目行およびｔ番目列内の要素は、リフトサイズＺｍａｘの元の係数行列プラス（Ｘｓ＋Ｙｔ）のｓ番目行およびｔ番目列内の要素の剰余演算から取得した整数に等しい。元の係数行列のｓ番目行およびｔ番目列内の要素は、非−１要素であり、ｓ＝１，２，３，・・・，ｒｏｗ、ｔ＝１，２，３，・・・，ｋｂ＋Ｍ、ｋｂはｃｏｌとｒｏｗとの間の差分、ｒｏｗは係数行列の行数、ｃｏｌは係数行列の列数、Ｍは１０未満の非負整数ＸｓとＹｔはともに整数、Ｘ０，Ｘ１，・・・，Ｘ（ｒｏｗ）、Ｙ０，Ｙ１，・・・，Ｙ（ｋｂ＋Ｍ）のうち少なくとも１つは非ゼロ整数である。係数行列の同じ行および／または同じ列内の−１ではない全要素に対して同じ整数を加算することは、疑似サイクリックＬＤＰＣ符号をインターリーブすることと等価であり、これは疑似サイクリックＬＤＰＣ符号のｇｉｒｔｈ特性と符号距離特性に対して影響せず、したがって疑似サイクリックＬＤＰＣ符号の性能に対して影響しない。行列内の全ての非−１要素に対して同じ整数を加算することによって得られる有用な効果は、以下の通りである：疑似サイクリックＬＤＰＣ符号の基本行列はある特性を有する。例えば多くのゼロ要素は、基本行列に対してサイクリックシフトを実施しないことと等価である。これは符号化と復号化の複雑性を減らし、復号性能に対して影響しない；場合によっては、疑似サイクリックＬＤＰＣ符号の性能を改善できる。例えば、リフトサイズＺの整数倍であるＬＤＰＣ符号化シーケンスがビット選択プロセスにおいて完全には選択されない場合、異なるインターリーブケースにしたがって、性能がよい同じ整数を選択してＬＤＰＣ符号化シーケンスを調整できる。
【００４５】
オプションとして、Ａは８であり、８個のリフトサイズサブセットはそれぞれ以下の通りである：Zset1={2, 4, 8, 16, 32, 64, 128, 256}, Zset2={3, 6, 12, 24, 48, 96, 192}, Zset3={5, 10, 20, 40, 80, 160}, Zset4={7, 14, 28, 56, 112, 224}, Zset5={9, 18, 36, 72, 144}, Zset6={11, 22, 44, 88, 176}, Zset7={13, 26, 52, 104, 208}, and Zset8={15, 30, 60, 120, 240}。
【００４６】
オプションとして、セットＺ０ｓｅｔｉはそれぞれ以下の通りである：Z0set1={ 56, 80, 104, 112, 120, 128, 160, 176, 192, 208, 224, 240, 256}, Z0set2={ 44, 48, 72, 88, 96, 144, 160, 176, 192, 208, 224, 240, 256}, Z0set3={ 60, 80, 120, 128, 160, 208, 224, 240, 256}, Z0set4={ 56, 60, 104, 112, 120, 128, 192, 208, 224, 240, 256}, Z0set5={ 72, 128, 144, 160, 176, 192, 224, 240, 256}, Z0set6={ 88, 96, 104, 128, 176, 192, 208, 224, 240, 256}, Z0set7={ 26, 52, 80, 104, 144, 160, 176, 192, 208, 224, 240}, and Z0set8={ 30, 60, 112, 120, 144, 160, 208, 224, 240, 256}。
【００４７】
オプションとして、６以上のｇｉｒｔｈを有する全基本行列に対応し、リフトサイズセットＺｓｅｔ内の各リフトサイズおよび係数行列セット内のｉ番目係数行列によって規定される疑似サイクリックＬＤＰＣ符号化レートＲａｔｅ０に対応する全リフトサイズは、セットＺ０ｓｅｔｉを構成し、６以上のｇｉｒｔｈを有する全基本行列に対応し、リフトサイズセットＺｓｅｔ内の各リフトサイズおよび係数行列セット内のｉ番目係数行列によって規定される疑似サイクリックＬＤＰＣ符号化レートＲａｔｅ１に対応する全リフトサイズは、セットＺ０ｓｅｔ１ｉを構成し、Ｒａｔｅ０はＲａｔｅ１未満であり、セットＺ０ｓｅｔ０ｉ内の要素数はセットＺ０ｓｅｔ１ｉ内の要素数以下であり、Ｒａｔｅ０とＲａｔｅ１はともに０より大きく１未満の実数であり、セットＺ０ｓｅｔ０ｉとセットＺ０ｓｅｔ１ｉはともに空セットではない。
【００４８】
オプションとして、１実装モードにおいて、第１係数行列セットは少なくとも、以下の４２行５２列の係数行列のうち１つを有する。
【００４９】
係数行列１は以下のとおりである：
【００５０】
159,104,59,79,-1,-1,53,-1,-1,121,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５１】
125,-1,-1,27,5,177,26,75,174,168,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５２】
198,165,-1,129,220,-1,-1,-1,15,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５３】
-1,235,185,-1,54,28,40,79,231,140,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５４】
71,193,-1,-1,-1,-1,-1,-1,-1,-1,-1,127,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５５】
251,211,-1,-1,-1,3,-1,52,-1,-1,-1,221,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５６】
159,-1,-1,-1,-1,100,-1,180,-1,177,-1,228,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５７】
-1,79,-1,-1,-1,225,-1,2,-1,-1,-1,180,-1,200,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５８】
89,47,-1,-1,-1,-1,-1,-1,-1,-1,-1,-1,247,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００５９】
-1,43,-1,-1,-1,-1,-1,-1,10,-1,10,223,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００６０】
180,81,-1,-1,-1,-1,9,202,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００６１】
220,-1,-1,-1,-1,-1,-1,112,-1,30,-1,-1,-1,25,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００６２】
-1,101,-1,39,-1,-1,-1,-1,-1,-1,-1,118,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００６３】
126,41,-1,-1,-1,-1,-1,-1,99,-1,-1,-1,-1,247,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【００６４】
-1,41,-1,-1,-1,-1,0,-1,-1,-1,-1,0,-1,243,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【００６５】
96,-1,-1,-1,-1,-1,-1,-1,-1,-1,143,70,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【００６６】
-1,255,-1,-1,-1,-1,-1,-1,-1,209,-1,162,129,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【００６７】
-1,77,-1,-1,-1,41,-1,-1,-1,-1,-1,42,28,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【００６８】
37,-1,-1,-1,-1,-1,158,100,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【００６９】
201,213,-1,-1,-1,-1,-1,-1,-1,-1,198,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【００７０】
-1,233,-1,-1,242,-1,-1,-1,-1,-1,-1,98,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【００７１】
250,-1,-1,-1,-1,-1,-1,-1,44,-1,-1,-1,-1,202,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【００７２】
-1,144,61,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【００７３】
153,-1,-1,224,-1,243,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【００７４】
-1,221,230,-1,-1,-1,-1,-1,-1,250,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【００７５】
171,-1,-1,-1,-1,106,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【００７６】
-1,-1,218,-1,-1,-1,-1,7,-1,-1,-1,-1,253,26,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【００７７】
61,-1,-1,-1,-1,-1,251,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【００７８】
-1,20,16,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【００７９】
23,-1,-1,-1,163,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【００８０】
-1,-1,137,-1,-1,160,-1,18,-1,130,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【００８１】
-1,94,-1,-1,-1,-1,-1,-1,-1,-1,-1,-1,-1,165,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【００８２】
109,-1,-1,-1,-1,46,-1,-1,-1,-1,-1,-1,134,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【００８３】
-1,-1,25,-1,-1,-1,-1,152,-1,-1,195,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【００８４】
25,-1,-1,-1,-1,-1,-1,-1,-1,-1,-1,-1,40,164,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1; 
【００８５】
-1,155,-1,-1,-1,182,-1,-1,-1,-1,-1,91,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【００８６】
89,-1,214,-1,-1,-1,-1,186,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【００８７】
-1,-1,-1,-1,-1,-1,-1,-1,-1,-1,12,-1,-1,192,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【００８８】
-1,87,-1,-1,-1,132,-1,-1,-1,-1,-1,210,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【００８９】
204,-1,-1,-1,-1,-1,-1,198,-1,-1,-1,-1,57,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【００９０】
-1,-1,54,-1,-1,-1,-1,-1,-1,-1,175,-1,-1,64,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【００９１】
-1,168,-1,-1,-1,135,-1,-1,-1,-1,-1,84,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【００９２】
係数行列２は以下の通りである：
【００９３】
32,166,160,29,-1,-1,73,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９４】
173,-1,-1,191,49,40,33,19,136,54,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９５】
171,183,-1,176,15,-1,-1,-1,65,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９６】
-1,13,73,-1,18,20,125,142,75,141,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９７】
74,191,-1,-1,-1,-1,-1,-1,-1,-1,-1,173,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９８】
12,65,-1,-1,-1,21,-1,152,-1,-1,-1,96,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【００９９】
35,-1,-1,-1,-1,88,-1,28,-1,67,-1,40,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１００】
-1,5,-1,-1,-1,86,-1,88,-1,-1,-1,54,-1,95,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０１】
72,43,-1,-1,-1,-1,-1,-1,-1,-1,-1,-1,56,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０２】
-1,1,-1,-1,-1,-1,-1,-1,124,-1,185,82,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０３】
109,173,-1,-1,-1,-1,168,76,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０４】
34,-1,-1,-1,-1,-1,-1,164,-1,24,-1,-1,-1,106,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０５】
-1,60,-1,56,-1,-1,-1,-1,-1,-1,-1,107,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０６】
3,2,-1,-1,-1,-1,-1,-1,28,-1,-1,-1,-1,166,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０１０７】
-1,136,-1,-1,-1,-1,168,-1,-1,-1,-1,165,-1,19,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０１０８】
166,-1,-1,-1,-1,-1,-1,-1,-1,-1,159,129,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０１０９】
-1,60,-1,-1,-1,-1,-1,-1,-1,23,-1,135,160,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０１１０】
-1,35,-1,-1,-1,115,-1,-1,-1,-1,-1,9,102,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０１１１】
140,-1,-1,-1,-1,-1,104,166,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０１１２】
108,159,-1,-1,-1,-1,-1,-1,-1,-1,12,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０１１３】
-1,145,-1,-1,62,-1,-1,-1,-1,-1,-1,153,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０１１４】
159,-1,-1,-1,-1,-1,-1,-1,100,-1,-1,-1,-1,19,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０１１５】
-1,89,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０１１６】
12,-1,-1,145,-1,187,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０１１７】
-1,11,99,-1,-1,-1,-1,-1,-1,58,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０１１８】
47,-1,-1,-1,-1,113,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０１１９】
-1,-1,109,-1,-1,-1,-1,161,-1,-1,-1,-1,55,37,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０１２０】
105,-1,-1,-1,-1,-1,148,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０１２１】
-1,91,57,-1,-1,68,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０１２２】
112,-1,-1,-1,66,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０１２３】
-1,-1,162,-1,-1,6,-1,28,-1,87,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０１２４】
-1,72,-1,-1,-1,-1,-1,-1,-1,-1,-1,-1,-1,74,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０１２５】
38,-1,-1,-1,-1,100,-1,-1,-1,-1,-1,-1,17,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０１２６】
-1,-1,63,-1,-1,-1,-1,11,-1,-1,124,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０１２７】
175,-1,-1,-1,-1,-1,-1,-1,-1,-1,-1,-1,129,60,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０１２８】
-1,2,-1,-1,-1,132,-1,-1,-1,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０１２９】
75,-1,97,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０１３０】
-1,-1,-1,-1,-1,-1,-1,-1,-1,-1,85,-1,-1,127,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０１３１】
-1,9,-1,-1,-1,99,-1,-1,-1,-1,-1,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０１３２】
95,-1,-1,-1,-1,-1,-1,12,-1,-1,-1,-1,57,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０１３３】
-1,-1,1,-1,-1,-1,-1,-1,-1,-1,107,-1,-1,67,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０１３４】
-1,72,-1,-1,-1,147,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０１３５】
係数行列３は以下の通りである：
【０１３６】
148,75,108,47,-1,-1,27,-1,-1,33,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１３７】
36,-1,-1,22,157,31,47,50,156,137,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１３８】
113,142,-1,120,61,-1,-1,-1,114,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１３９】
-1,128,96,-1,99,132,36,65,104,63,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４０】
106,24,-1,-1,-1,-1,-1,-1,-1,-1,-1,92,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４１】
48,92,-1,-1,-1,55,-1,119,-1,-1,-1,78,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４２】
61,-1,-1,-1,-1,87,-1,73,-1,39,-1,102,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４３】
-1,151,-1,-1,-1,137,-1,9,-1,-1,-1,135,-1,150,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４４】
146,31,-1,-1,-1,-1,-1,-1,-1,-1,-1,-1,104,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４５】
-1,65,-1,-1,-1,-1,-1,-1,113,-1,1,75,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４６】
106,19,-1,-1,-1,-1,48,29,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４７】
132,-1,-1,-1,-1,-1,-1,82,-1,158,-1,-1,-1,22,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４８】
-1,137,-1,108,-1,-1,-1,-1,-1,-1,-1,48,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１４９】
70,141,-1,-1,-1,-1,-1,-1,63,-1,-1,-1,-1,48,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０１５０】
-1,61,-1,-1,-1,-1,51,-1,-1,-1,-1,48,-1,125,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０１５１】
66,-1,-1,-1,-1,-1,-1,-1,-1,-1,1,94,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０１５２】
-1,1,-1,-1,-1,-1,-1,-1,-1,59,-1,84,73,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０１５３】
-1,146,-1,-1,-1,41,-1,-1,-1,-1,-1,8,141,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０１５４】
52,-1,-1,-1,-1,-1,10,136,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０１５５】
136,6,-1,-1,-1,-1,-1,-1,-1,-1,87,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０１５６】
-1,70,-1,-1,97,-1,-1,-1,-1,-1,-1,159,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０１５７】
32,-1,-1,-1,-1,-1,-1,-1,115,-1,-1,-1,-1,78,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０１５８】
-1,55,136,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０１５９】
88,-1,-1,92,-1,128,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０１６０】
-1,42,88,-1,-1,-1,-1,-1,-1,32,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０１６１】
130,-1,-1,-1,-1,41,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０１６２】
-1,-1,18,-1,-1,-1,-1,53,-1,-1,-1,-1,51,158,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０１６３】
111,-1,-1,-1,-1,-1,151,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０１６４】
-1,59,49,-1,-1,88,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０１６５】
106,-1,-1,-1,119,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０１６６】
-1,-1,38,-1,-1,28,-1,110,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０１６７】
-1,129,-1,-1,-1,-1,-1,-1,-1,-1,-1,-1,-1,5,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０１６８】
22,-1,-1,-1,-1,134,-1,-1,-1,-1,-1,-1,115,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０１６９】
-1,-1,40,-1,-1,-1,-1,6,-1,-1,137,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０１７０】
97,-1,-1,-1,-1,-1,-1,-1,-1,-1,-1,-1,132,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０１７１】
-1,10,-1,-1,-1,140,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０１７２】
132,-1,14,-1,-1,-1,-1,48,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０１７３】
-1,-1,-1,-1,-1,-1,-1,-1,-1,-1,18,-1,-1,122,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０１７４】
-1,48,-1,-1,-1,46,-1,-1,-1,-1,-1,42,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０１７５】
80,-1,-1,-1,-1,-1,-1,98,-1,-1,-1,-1,109,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０１７６】
-1,-1,121,-1,-1,-1,-1,-1,-1,-1,97,-1,-1,103,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０１７７】
-1,145,-1,-1,-1,37,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０１７８】
係数行列４は以下の通りである：
【０１７９】
119,156,180,25,-1,-1,116,-1,-1,142,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８０】
47,-1,-1,140,119,105,55,105,29,104,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８１】
171,81,-1,120,31,-1,-1,-1,59,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８２】
-1,159,221,-1,40,52,118,69,33,98,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８３】
40,31,-1,-1,-1,-1,-1,-1,-1,-1,-1,181,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８４】
210,139,-1,-1,-1,90,-1,185,-1,-1,-1,145,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８５】
115,-1,-1,-1,-1,148,-1,59,-1,34,-1,55,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８６】
-1,0,-1,-1,-1,218,-1,196,-1,-1,-1,221,-1,202,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８７】
22,152,-1,-1,-1,-1,-1,-1,-1,-1,-1,-1,154,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８８】
-1,206,-1,-1,-1,-1,-1,-1,146,-1,30,206,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１８９】
220,68,-1,-1,-1,-1,143,0,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１９０】
130,-1,-1,-1,-1,-1,-1,61,-1,86,-1,-1,-1,3,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１９１】
-1,97,-1,222,-1,-1,-1,-1,-1,-1,-1,63,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０１９２】
143,199,-1,-1,-1,-1,-1,-1,106,-1,-1,-1,-1,183,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０１９３】
-1,7,-1,-1,-1,-1,101,-1,-1,-1,-1,205,-1,21,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０１９４】
182,-1,-1,-1,-1,-1,-1,-1,-1,-1,34,165,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０１９５】
-1,210,-1,-1,-1,-1,-1,-1,-1,221,-1,97,148,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０１９６】
-1,92,-1,-1,-1,133,-1,-1,-1,-1,-1,23,190,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０１９７】
129,-1,-1,-1,-1,-1,156,154,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０１９８】
201,127,-1,-1,-1,-1,-1,-1,-1,-1,71,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０１９９】
-1,157,-1,-1,160,-1,-1,-1,-1,-1,-1,66,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０２００】
67,-1,-1,-1,-1,-1,-1,-1,22,-1,-1,-1,-1,186,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０２０１】
-1,114,121,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０２０２】
159,-1,-1,139,-1,162,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０２０３】
-1,124,171,-1,-1,-1,-1,-1,-1,123,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０２０４】
211,-1,-1,-1,-1,54,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０２０５】
-1,-1,53,-1,-1,-1,-1,189,-1,-1,-1,-1,34,219,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０２０６】
215,-1,-1,-1,-1,-1,52,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０２０７】
-1,3,5,-1,-1,37,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０２０８】
121,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０２０９】
-1,-1,160,-1,-1,127,-1,111,-1,58,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０２１０】
-1,127,-1,-1,-1,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０２１１】
21,-1,-1,-1,-1,169,-1,-1,-1,-1,-1,-1,73,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０２１２】
-1,-1,29,-1,-1,-1,-1,223,-1,-1,40,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０２１３】
50,-1,-1,-1,-1,-1,-1,-1,-1,-1,-1,-1,128,130,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０２１４】
-1,30,-1,-1,-1,125,-1,-1,-1,-1,-1,91,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０２１５】
168,-1,179,-1,-1,-1,-1,108,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０２１６】
-1,-1,-1,-1,-1,-1,-1,-1,-1,-1,57,-1,-1,89,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０２１７】
-1,13,-1,-1,-1,179,-1,-1,-1,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０２１８】
102,-1,-1,-1,-1,-1,-1,148,-1,-1,-1,-1,123,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０２１９】
-1,-1,196,-1,-1,-1,-1,-1,-1,-1,203,-1,-1,29,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０２２０】
-1,64,-1,-1,-1,180,-1,-1,-1,-1,-1,152,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０２２１】
係数行列５は以下の通りである：
【０２２２】
3,26,53,35,-1,-1,115,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２３】
19,-1,-1,94,104,66,84,98,69,50,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２４】
95,106,-1,92,110,-1,-1,-1,111,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２５】
-1,120,121,-1,22,4,73,49,128,79,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２６】
42,24,-1,-1,-1,-1,-1,-1,-1,-1,-1,51,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２７】
40,140,-1,-1,-1,84,-1,137,-1,-1,-1,71,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２８】
109,-1,-1,-1,-1,87,-1,107,-1,133,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２２９】
-1,97,-1,-1,-1,135,-1,35,-1,-1,-1,108,-1,65,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３０】
70,69,-1,-1,-1,-1,-1,-1,-1,-1,-1,-1,88,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３１】
-1,97,-1,-1,-1,-1,-1,-1,40,-1,24,49,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３２】
46,41,-1,-1,-1,-1,101,96,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３３】
28,-1,-1,-1,-1,-1,-1,30,-1,116,-1,-1,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３４】
-1,33,-1,122,-1,-1,-1,-1,-1,-1,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３５】
76,37,-1,-1,-1,-1,-1,-1,62,-1,-1,-1,-1,47,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０２３６】
-1,143,-1,-1,-1,-1,51,-1,-1,-1,-1,130,-1,97,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０２３７】
139,-1,-1,-1,-1,-1,-1,-1,-1,-1,96,128,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０２３８】
-1,48,-1,-1,-1,-1,-1,-1,-1,9,-1,28,8,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０２３９】
-1,120,-1,-1,-1,43,-1,-1,-1,-1,-1,65,42,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０２４０】
17,-1,-1,-1,-1,-1,106,142,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０２４１】
79,28,-1,-1,-1,-1,-1,-1,-1,-1,41,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０２４２】
-1,2,-1,-1,103,-1,-1,-1,-1,-1,-1,78,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０２４３】
91,-1,-1,-1,-1,-1,-1,-1,75,-1,-1,-1,-1,81,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０２４４】
-1,54,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０２４５】
68,-1,-1,115,-1,56,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０２４６】
-1,30,42,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０２４７】
128,-1,-1,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０２４８】
-1,-1,142,-1,-1,-1,-1,28,-1,-1,-1,-1,100,133,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０２４９】
13,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０２５０】
-1,106,77,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０２５１】
133,-1,-1,-1,25,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０２５２】
-1,-1,87,-1,-1,56,-1,104,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０２５３】
-1,80,-1,-1,-1,-1,-1,-1,-1,-1,-1,-1,-1,139,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０２５４】
32,-1,-1,-1,-1,89,-1,-1,-1,-1,-1,-1,71,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０２５５】
-1,-1,135,-1,-1,-1,-1,6,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０２５６】
37,-1,-1,-1,-1,-1,-1,-1,-1,-1,-1,-1,25,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０２５７】
-1,60,-1,-1,-1,137,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０２５８】
121,-1,129,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０２５９】
-1,-1,-1,-1,-1,-1,-1,-1,-1,-1,97,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０２６０】
-1,1,-1,-1,-1,70,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０２６１】
119,-1,-1,-1,-1,-1,-1,32,-1,-1,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０２６２】
-1,-1,6,-1,-1,-1,-1,-1,-1,-1,73,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０２６３】
-1,48,-1,-1,-1,47,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０２６４】
係数行列６は以下の通りである：
【０２６５】
97,152,104,149,-1,-1,8,-1,-1,101,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２６６】
133,-1,-1,133,160,73,154,143,151,163,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２６７】
39,62,-1,170,173,-1,-1,-1,52,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２６８】
-1,26,18,-1,113,148,41,146,125,21,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２６９】
154,40,-1,-1,-1,-1,-1,-1,-1,-1,-1,85,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７０】
93,10,-1,-1,-1,38,-1,88,-1,-1,-1,21,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７１】
56,-1,-1,-1,-1,0,-1,79,-1,26,-1,89,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７２】
-1,76,-1,-1,-1,133,-1,173,-1,-1,-1,63,-1,119,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７３】
8,154,-1,-1,-1,-1,-1,-1,-1,-1,-1,-1,80,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７４】
-1,58,-1,-1,-1,-1,-1,-1,173,-1,64,90,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７５】
158,12,-1,-1,-1,-1,42,62,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７６】
94,-1,-1,-1,-1,-1,-1,57,-1,146,-1,-1,-1,92,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７７】
-1,112,-1,26,-1,-1,-1,-1,-1,-1,-1,65,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７８】
15,52,-1,-1,-1,-1,-1,-1,170,-1,-1,-1,-1,63,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０２７９】
-1,6,-1,-1,-1,-1,169,-1,-1,-1,-1,0,-1,151,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０２８０】
84,-1,-1,-1,-1,-1,-1,-1,-1,-1,21,110,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０２８１】
-1,104,-1,-1,-1,-1,-1,-1,-1,108,-1,64,38,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０２８２】
-1,152,-1,-1,-1,128,-1,-1,-1,-1,-1,37,82,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０２８３】
15,-1,-1,-1,-1,-1,2,55,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０２８４】
125,14,-1,-1,-1,-1,-1,-1,-1,-1,67,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０２８５】
-1,56,-1,-1,161,-1,-1,-1,-1,-1,-1,107,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０２８６】
40,-1,-1,-1,-1,-1,-1,-1,69,-1,-1,-1,-1,73,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０２８７】
-1,155,117,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０２８８】
45,-1,-1,101,-1,27,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０２８９】
-1,60,164,-1,-1,-1,-1,-1,-1,44,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０２９０】
57,-1,-1,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０２９１】
-1,-1,140,-1,-1,-1,-1,1,-1,-1,-1,-1,134,107,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０２９２】
85,-1,-1,-1,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０２９３】
-1,55,162,-1,-1,87,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０２９４】
71,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０２９５】
-1,-1,167,-1,-1,112,-1,102,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０２９６】
-1,17,-1,-1,-1,-1,-1,-1,-1,-1,-1,-1,-1,174,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０２９７】
101,-1,-1,-1,-1,4,-1,-1,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０２９８】
-1,-1,41,-1,-1,-1,-1,115,-1,-1,165,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０２９９】
91,-1,-1,-1,-1,-1,-1,-1,-1,-1,-1,-1,23,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０３００】
-1,120,-1,-1,-1,157,-1,-1,-1,-1,-1,24,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０３０１】
164,-1,145,-1,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０３０２】
-1,-1,-1,-1,-1,-1,-1,-1,-1,-1,154,-1,-1,136,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０３０３】
-1,79,-1,-1,-1,101,-1,-1,-1,-1,-1,104,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０３０４】
79,-1,-1,-1,-1,-1,-1,144,-1,-1,-1,-1,5,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０３０５】
-1,-1,15,-1,-1,-1,-1,-1,-1,-1,145,-1,-1,104,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０３０６】
-1,164,-1,-1,-1,161,-1,-1,-1,-1,-1,106,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０３０７】
係数行列７は以下の通りである：
【０３０８】
105,99,186,201,-1,-1,59,-1,-1,174,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３０９】
10,-1,-1,115,81,172,82,74,101,103,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１０】
0,32,-1,86,93,-1,-1,-1,47,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１１】
-1,118,141,-1,120,122,24,109,184,169,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１２】
61,114,-1,-1,-1,-1,-1,-1,-1,-1,-1,156,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１３】
142,118,-1,-1,-1,136,-1,126,-1,-1,-1,148,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１４】
29,-1,-1,-1,-1,188,-1,164,-1,201,-1,128,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１５】
-1,113,-1,-1,-1,110,-1,66,-1,-1,-1,35,-1,10,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１６】
135,81,-1,-1,-1,-1,-1,-1,-1,-1,-1,-1,65,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１７】
-1,71,-1,-1,-1,-1,-1,-1,32,-1,106,70,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１８】
152,79,-1,-1,-1,-1,86,3,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３１９】
63,-1,-1,-1,-1,-1,-1,165,-1,63,-1,-1,-1,139,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３２０】
-1,172,-1,50,-1,-1,-1,-1,-1,-1,-1,206,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３２１】
203,198,-1,-1,-1,-1,-1,-1,85,-1,-1,-1,-1,48,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０３２２】
-1,44,-1,-1,-1,-1,124,-1,-1,-1,-1,132,-1,138,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０３２３】
186,-1,-1,-1,-1,-1,-1,-1,-1,-1,24,0,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０３２４】
-1,28,-1,-1,-1,-1,-1,-1,-1,6,-1,190,89,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０３２５】
-1,10,-1,-1,-1,94,-1,-1,-1,-1,-1,102,35,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０３２６】
15,-1,-1,-1,-1,-1,137,120,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０３２７】
69,52,-1,-1,-1,-1,-1,-1,-1,-1,85,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０３２８】
-1,64,-1,-1,160,-1,-1,-1,-1,-1,-1,138,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０３２９】
73,-1,-1,-1,-1,-1,-1,-1,194,-1,-1,-1,-1,142,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０３３０】
-1,119,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０３３１】
70,-1,-1,164,-1,9,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０３３２】
-1,190,25,-1,-1,-1,-1,-1,-1,34,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０３３３】
103,-1,-1,-1,-1,4,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０３３４】
-1,-1,197,-1,-1,-1,-1,88,-1,-1,-1,-1,86,154,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０３３５】
8,-1,-1,-1,-1,-1,59,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０３３６】
-1,164,205,-1,-1,80,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０３３７】
128,-1,-1,-1,206,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０３３８】
-1,-1,97,-1,-1,150,-1,8,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０３３９】
-1,87,-1,-1,-1,-1,-1,-1,-1,-1,-1,-1,-1,78,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０３４０】
32,-1,-1,-1,-1,176,-1,-1,-1,-1,-1,-1,45,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０３４１】
-1,-1,206,-1,-1,-1,-1,92,-1,-1,38,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０３４２】
140,-1,-1,-1,-1,-1,-1,-1,-1,-1,-1,-1,126,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０３４３】
-1,96,-1,-1,-1,160,-1,-1,-1,-1,-1,187,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０３４４】
183,-1,104,-1,-1,-1,-1,108,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０３４５】
-1,-1,-1,-1,-1,-1,-1,-1,-1,-1,46,-1,-1,8,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０３４６】
-1,16,-1,-1,-1,207,-1,-1,-1,-1,-1,96,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０３４７】
94,-1,-1,-1,-1,-1,-1,166,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０３４８】
-1,-1,147,-1,-1,-1,-1,-1,-1,-1,180,-1,-1,16,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０３４９】
-1,129,-1,-1,-1,2,-1,-1,-1,-1,-1,121,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０３５０】
係数行列８は以下の通りである：
【０３５１】
134,163,13,2,-1,-1,3,-1,-1,114,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５２】
197,-1,-1,128,221,180,232,176,87,212,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５３】
234,60,-1,44,190,-1,-1,-1,137,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５４】
-1,170,96,-1,224,73,210,162,119,27,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５５】
190,154,-1,-1,-1,-1,-1,-1,-1,-1,-1,109,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５６】
160,20,-1,-1,-1,105,-1,230,-1,-1,-1,164,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５７】
65,-1,-1,-1,-1,16,-1,214,-1,224,-1,116,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５８】
-1,100,-1,-1,-1,148,-1,178,-1,-1,-1,221,-1,217,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３５９】
235,216,-1,-1,-1,-1,-1,-1,-1,-1,-1,-1,87,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６０】
-1,214,-1,-1,-1,-1,-1,-1,70,-1,143,205,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６１】
199,2,-1,-1,-1,-1,184,236,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６２】
59,-1,-1,-1,-1,-1,-1,35,-1,55,-1,-1,-1,56,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６３】
-1,217,-1,143,-1,-1,-1,-1,-1,-1,-1,123,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６４】
19,185,-1,-1,-1,-1,-1,-1,123,-1,-1,-1,-1,88,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０３６５】
-1,17,-1,-1,-1,-1,178,-1,-1,-1,-1,46,-1,84,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０３６６】
58,-1,-1,-1,-1,-1,-1,-1,-1,-1,138,162,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０３６７】
-1,55,-1,-1,-1,-1,-1,-1,-1,43,-1,22,174,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０３６８】
-1,63,-1,-1,-1,239,-1,-1,-1,-1,-1,236,187,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０３６９】
27,-1,-1,-1,-1,-1,188,53,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０３７０】
91,54,-1,-1,-1,-1,-1,-1,-1,-1,82,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０３７１】
-1,196,-1,-1,89,-1,-1,-1,-1,-1,-1,215,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０３７２】
80,-1,-1,-1,-1,-1,-1,-1,213,-1,-1,-1,-1,168,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０３７３】
-1,160,187,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０３７４】
28,-1,-1,239,-1,175,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０３７５】
-1,56,220,-1,-1,-1,-1,-1,-1,133,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０３７６】
26,-1,-1,-1,-1,201,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０３７７】
-1,-1,192,-1,-1,-1,-1,178,-1,-1,-1,-1,67,163,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０３７８】
76,-1,-1,-1,-1,-1,75,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０３７９】
-1,136,187,-1,-1,173,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０３８０】
224,-1,-1,-1,49,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０３８１】
-1,-1,32,-1,-1,15,-1,91,-1,211,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０３８２】
-1,195,-1,-1,-1,-1,-1,-1,-1,-1,-1,-1,-1,81,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０３８３】
156,-1,-1,-1,-1,45,-1,-1,-1,-1,-1,-1,122,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０３８４】
-1,-1,226,-1,-1,-1,-1,59,-1,-1,214,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０３８５】
152,-1,-1,-1,-1,-1,-1,-1,-1,-1,-1,-1,141,213,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０３８６】
-1,64,-1,-1,-1,124,-1,-1,-1,-1,-1,202,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０３８７】
168,-1,90,-1,-1,-1,-1,116,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０３８８】
-1,-1,-1,-1,-1,-1,-1,-1,-1,-1,135,-1,-1,66,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０３８９】
-1,50,-1,-1,-1,145,-1,-1,-1,-1,-1,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０３９０】
223,-1,-1,-1,-1,-1,-1,48,-1,-1,-1,-1,140,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０３９１】
-1,-1,221,-1,-1,-1,-1,-1,-1,-1,16,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０３９２】
-1,82,-1,-1,-1,221,-1,-1,-1,-1,-1,80,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０３９３】
係数行列ｉがサポートする全リフトサイズはリフトサイズサブセットＺｓｅｔｉに対応し、ｉ＝１，２，３，・・・，８である；ｉ番目セットＺ０ｓｅｔｉは係数行列ｉに対応し、ｉ＝１，２，３，・・・，８である。本願における係数行列はテーブル内に記述できる。例えば全ての非−１要素の位置（係数行列内の行インデックスと列インデックスを含む）と値を、テーブル内に記録する必要がある。 
【０３９４】
オプション実装モードにおいて、第１係数行列セットは、以下のうち少なくとも１つの４２行５２列の係数行列を有する。
【０３９５】
係数行列１は以下の通りである：
【０３９６】
109,223,171,209,-1,-1,4,-1,-1,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３９７】
36,-1,-1,236,40,226,226,157,11,204,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３９８】
15,131,-1,70,84,-1,-1,-1,170,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０３９９】
-1,135,193,-1,97,158,177,11,96,223,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４００】
117,19,-1,-1,-1,-1,-1,-1,-1,-1,-1,78,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０１】
40,119,-1,-1,-1,116,-1,133,-1,-1,-1,102,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０２】
6,-1,-1,-1,-1,37,-1,77,-1,213,-1,138,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０３】
-1,156,-1,-1,-1,215,-1,29,-1,-1,-1,120,-1,243,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０４】
76,167,-1,-1,-1,-1,-1,-1,-1,-1,-1,-1,210,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０５】
-1,241,-1,-1,-1,-1,-1,-1,44,-1,22,51,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０６】
244,221,-1,-1,-1,-1,206,250,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０７】
194,-1,-1,-1,-1,-1,-1,174,-1,95,-1,-1,-1,199,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０８】
-1,66,-1,134,-1,-1,-1,-1,-1,-1,-1,255,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４０９】
98,159,-1,-1,-1,-1,-1,-1,68,-1,-1,-1,-1,17,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０４１０】
-1,245,-1,-1,-1,-1,185,-1,-1,-1,-1,91,-1,249,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０４１１】
53,-1,-1,-1,-1,-1,-1,-1,-1,-1,237,103,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０４１２】
-1,19,-1,-1,-1,-1,-1,-1,-1,214,-1,151,241,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０４１３】
-1,185,-1,-1,-1,237,-1,-1,-1,-1,-1,41,122,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０４１４】
111,-1,-1,-1,-1,-1,211,225,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０４１５】
150,38,-1,-1,-1,-1,-1,-1,-1,-1,66,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０４１６】
-1,191,-1,-1,250,-1,-1,-1,-1,-1,-1,214,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０４１７】
2,-1,-1,-1,-1,-1,-1,-1,232,-1,-1,-1,-1,76,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０４１８】
-1,147,134,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０４１９】
25,-1,-1,235,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０４２０】
-1,6,11,-1,-1,-1,-1,-1,-1,173,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０４２１】
11,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０４２２】
-1,-1,6,-1,-1,-1,-1,232,-1,-1,-1,-1,226,202,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０４２３】
232,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０４２４】
-1,193,23,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０４２５】
0,-1,-1,-1,112,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０４２６】
-1,-1,31,-1,-1,245,-1,12,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０４２７】
-1,0,-1,-1,-1,-1,-1,-1,-1,-1,-1,-1,-1,152,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０４２８】
5,-1,-1,-1,-1,24,-1,-1,-1,-1,-1,-1,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０４２９】
-1,-1,80,-1,-1,-1,-1,145,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０４３０】
27,-1,-1,-1,-1,-1,-1,-1,-1,-1,-1,-1,192,73,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０４３１】
-1,84,-1,-1,-1,218,-1,-1,-1,-1,-1,201,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０４３２】
164,-1,115,-1,-1,-1,-1,183,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０４３３】
-1,-1,-1,-1,-1,-1,-1,-1,-1,-1,19,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０４３４】
-1,109,-1,-1,-1,143,-1,-1,-1,-1,-1,119,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０４３５】
180,-1,-1,-1,-1,-1,-1,143,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０４３６】
-1,-1,164,-1,-1,-1,-1,-1,-1,-1,31,-1,-1,13,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０４３７】
-1,230,-1,-1,-1,167,-1,-1,-1,-1,-1,122,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０４３８】
係数行列２は以下の通りである：
【０４３９】
121,9,19,93,-1,-1,168,-1,-1,51,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４０】
116,-1,-1,149,111,2,21,184,140,69,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４１】
108,180,-1,147,77,-1,-1,-1,64,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４２】
-1,115,81,-1,163,187,56,73,14,22,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４３】
145,122,-1,-1,-1,-1,-1,-1,-1,-1,-1,67,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４４】
124,121,-1,-1,-1,4,-1,37,-1,-1,-1,145,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４５】
141,-1,-1,-1,-1,185,-1,124,-1,171,-1,151,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４６】
-1,185,-1,-1,-1,150,-1,190,-1,-1,-1,165,-1,134,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４７】
83,178,-1,-1,-1,-1,-1,-1,-1,-1,-1,-1,186,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４８】
-1,73,-1,-1,-1,-1,-1,-1,87,-1,175,123,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４４９】
16,158,-1,-1,-1,-1,179,173,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４５０】
130,-1,-1,-1,-1,-1,-1,104,-1,174,-1,-1,-1,52,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４５１】
-1,179,-1,39,-1,-1,-1,-1,-1,-1,-1,139,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４５２】
128,23,-1,-1,-1,-1,-1,-1,105,-1,-1,-1,-1,111,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０４５３】
-1,88,-1,-1,-1,-1,95,-1,-1,-1,-1,85,-1,187,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０４５４】
108,-1,-1,-1,-1,-1,-1,-1,-1,-1,60,98,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０４５５】
-1,130,-1,-1,-1,-1,-1,-1,-1,12,-1,35,176,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０４５６】
-1,134,-1,-1,-1,19,-1,-1,-1,-1,-1,0,127,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０４５７】
1,-1,-1,-1,-1,-1,78,163,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０４５８】
97,54,-1,-1,-1,-1,-1,-1,-1,-1,27,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０４５９】
-1,94,-1,-1,28,-1,-1,-1,-1,-1,-1,185,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０４６０】
83,-1,-1,-1,-1,-1,-1,-1,79,-1,-1,-1,-1,116,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０４６１】
-1,22,67,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０４６２】
97,-1,-1,43,-1,106,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０４６３】
-1,102,104,-1,-1,-1,-1,-1,-1,169,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０４６４】
171,-1,-1,-1,-1,121,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０４６５】
-1,-1,183,-1,-1,-1,-1,148,-1,-1,-1,-1,43,160,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０４６６】
108,-1,-1,-1,-1,-1,176,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０４６７】
-1,118,161,-1,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０４６８】
22,-1,-1,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０４６９】
-1,-1,135,-1,-1,74,-1,154,-1,6,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０４７０】
-1,137,-1,-1,-1,-1,-1,-1,-1,-1,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０４７１】
105,-1,-1,-1,-1,116,-1,-1,-1,-1,-1,-1,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０４７２】
-1,-1,146,-1,-1,-1,-1,158,-1,-1,59,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０４７３】
37,-1,-1,-1,-1,-1,-1,-1,-1,-1,-1,-1,138,125,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０４７４】
-1,73,-1,-1,-1,95,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０４７５】
47,-1,131,-1,-1,-1,-1,154,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０４７６】
-1,-1,-1,-1,-1,-1,-1,-1,-1,-1,58,-1,-1,137,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０４７７】
-1,29,-1,-1,-1,124,-1,-1,-1,-1,-1,123,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０４７８】
175,-1,-1,-1,-1,-1,-1,74,-1,-1,-1,-1,147,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０４７９】
-1,-1,51,-1,-1,-1,-1,-1,-1,-1,87,-1,-1,167,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０４８０】
-1,27,-1,-1,-1,17,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０４８１】
係数行列３は以下の通りである：
【０４８２】
94,136,3,2,-1,-1,15,-1,-1,71,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８３】
71,-1,-1,126,0,119,103,34,75,126,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８４】
114,70,-1,101,9,-1,-1,-1,23,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８５】
-1,14,18,-1,102,105,27,91,128,117,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８６】
33,51,-1,-1,-1,-1,-1,-1,-1,-1,-1,96,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８７】
40,53,-1,-1,-1,47,-1,121,-1,-1,-1,10,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８８】
110,-1,-1,-1,-1,99,-1,149,-1,132,-1,4,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４８９】
-1,83,-1,-1,-1,111,-1,129,-1,-1,-1,43,-1,25,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９０】
94,41,-1,-1,-1,-1,-1,-1,-1,-1,-1,-1,87,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９１】
-1,135,-1,-1,-1,-1,-1,-1,11,-1,50,84,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９２】
154,34,-1,-1,-1,-1,141,86,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９３】
54,-1,-1,-1,-1,-1,-1,40,-1,84,-1,-1,-1,43,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９４】
-1,31,-1,90,-1,-1,-1,-1,-1,-1,-1,113,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９５】
41,86,-1,-1,-1,-1,-1,-1,16,-1,-1,-1,-1,79,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０４９６】
-1,10,-1,-1,-1,-1,28,-1,-1,-1,-1,128,-1,104,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０４９７】
65,-1,-1,-1,-1,-1,-1,-1,-1,-1,110,93,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０４９８】
-1,24,-1,-1,-1,-1,-1,-1,-1,63,-1,0,33,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０４９９】
-1,35,-1,-1,-1,100,-1,-1,-1,-1,-1,86,0,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０５００】
129,-1,-1,-1,-1,-1,37,149,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０５０１】
117,48,-1,-1,-1,-1,-1,-1,-1,-1,136,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０５０２】
-1,47,-1,-1,28,-1,-1,-1,-1,-1,-1,150,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０５０３】
56,-1,-1,-1,-1,-1,-1,-1,118,-1,-1,-1,-1,126,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０５０４】
-1,40,125,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０５０５】
7,-1,-1,113,-1,65,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０５０６】
-1,135,16,-1,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０５０７】
80,-1,-1,-1,-1,143,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０５０８】
-1,-1,42,-1,-1,-1,-1,144,-1,-1,-1,-1,125,19,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０５０９】
144,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０５１０】
-1,124,52,-1,-1,116,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０５１１】
141,-1,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０５１２】
-1,-1,68,-1,-1,33,-1,62,-1,32,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０５１３】
-1,94,-1,-1,-1,-1,-1,-1,-1,-1,-1,-1,-1,121,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０５１４】
0,-1,-1,-1,-1,133,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０５１５】
-1,-1,6,-1,-1,-1,-1,103,-1,-1,89,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０５１６】
70,-1,-1,-1,-1,-1,-1,-1,-1,-1,-1,-1,78,127,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０５１７】
-1,63,-1,-1,-1,132,-1,-1,-1,-1,-1,36,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０５１８】
99,-1,83,-1,-1,-1,-1,108,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０５１９】
-1,-1,-1,-1,-1,-1,-1,-1,-1,-1,50,-1,-1,97,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０５２０】
-1,151,-1,-1,-1,64,-1,-1,-1,-1,-1,32,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０５２１】
27,-1,-1,-1,-1,-1,-1,61,-1,-1,-1,-1,51,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０５２２】
-1,-1,78,-1,-1,-1,-1,-1,-1,-1,76,-1,-1,111,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０５２３】
-1,30,-1,-1,-1,156,-1,-1,-1,-1,-1,103,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０５２４】
係数行列４は以下の通りである：
【０５２５】
191,100,49,135,-1,-1,36,-1,-1,80,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５２６】
119,-1,-1,26,219,57,199,89,25,42,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５２７】
19,25,-1,6,131,-1,-1,-1,55,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５２８】
-1,103,90,-1,140,4,38,53,29,36,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５２９】
172,35,-1,-1,-1,-1,-1,-1,-1,-1,-1,17,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３０】
96,121,-1,-1,-1,80,-1,207,-1,-1,-1,183,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３１】
6,-1,-1,-1,-1,143,-1,86,-1,15,-1,98,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３２】
-1,16,-1,-1,-1,18,-1,28,-1,-1,-1,69,-1,50,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３３】
17,19,-1,-1,-1,-1,-1,-1,-1,-1,-1,-1,77,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３４】
-1,207,-1,-1,-1,-1,-1,-1,199,-1,87,39,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３５】
34,202,-1,-1,-1,-1,29,174,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３６】
176,-1,-1,-1,-1,-1,-1,19,-1,222,-1,-1,-1,201,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３７】
-1,33,-1,100,-1,-1,-1,-1,-1,-1,-1,55,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３８】
3,155,-1,-1,-1,-1,-1,-1,114,-1,-1,-1,-1,195,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０５３９】
-1,168,-1,-1,-1,-1,14,-1,-1,-1,-1,198,-1,14,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０５４０】
77,-1,-1,-1,-1,-1,-1,-1,-1,-1,81,212,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０５４１】
-1,26,-1,-1,-1,-1,-1,-1,-1,31,-1,193,20,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０５４２】
-1,40,-1,-1,-1,89,-1,-1,-1,-1,-1,27,194,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０５４３】
33,-1,-1,-1,-1,-1,132,194,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０５４４】
148,170,-1,-1,-1,-1,-1,-1,-1,-1,170,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０５４５】
-1,23,-1,-1,182,-1,-1,-1,-1,-1,-1,212,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０５４６】
19,-1,-1,-1,-1,-1,-1,-1,122,-1,-1,-1,-1,66,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０５４７】
-1,0,31,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０５４８】
49,-1,-1,134,-1,16,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０５４９】
-1,64,72,-1,-1,-1,-1,-1,-1,180,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０５５０】
221,-1,-1,-1,-1,33,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０５５１】
-1,-1,27,-1,-1,-1,-1,87,-1,-1,-1,-1,157,187,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０５５２】
201,-1,-1,-1,-1,-1,72,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０５５３】
-1,219,202,-1,-1,68,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０５５４】
153,-1,-1,-1,196,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０５５５】
-1,-1,68,-1,-1,217,-1,131,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０５５６】
-1,193,-1,-1,-1,-1,-1,-1,-1,-1,-1,-1,-1,141,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０５５７】
82,-1,-1,-1,-1,138,-1,-1,-1,-1,-1,-1,204,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０５５８】
-1,-1,142,-1,-1,-1,-1,53,-1,-1,144,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０５５９】
79,-1,-1,-1,-1,-1,-1,-1,-1,-1,-1,-1,93,54,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０５６０】
-1,188,-1,-1,-1,135,-1,-1,-1,-1,-1,205,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０５６１】
177,-1,124,-1,-1,-1,-1,66,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０５６２】
-1,-1,-1,-1,-1,-1,-1,-1,-1,-1,57,-1,-1,62,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０５６３】
-1,45,-1,-1,-1,97,-1,-1,-1,-1,-1,150,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０５６４】
105,-1,-1,-1,-1,-1,-1,10,-1,-1,-1,-1,223,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０５６５】
-1,-1,200,-1,-1,-1,-1,-1,-1,-1,129,-1,-1,216,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０５６６】
-1,208,-1,-1,-1,32,-1,-1,-1,-1,-1,53,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０５６７】
係数行列５は以下の通りである：
【０５６８】
6,11,117,94,-1,-1,36,-1,-1,2,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５６９】
63,-1,-1,100,10,4,52,13,26,97,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７０】
3,36,-1,3,142,-1,-1,-1,34,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７１】
-1,88,125,-1,127,7,11,68,112,23,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７２】
106,37,-1,-1,-1,-1,-1,-1,-1,-1,-1,27,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７３】
15,133,-1,-1,-1,21,-1,101,-1,-1,-1,46,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７４】
26,-1,-1,-1,-1,34,-1,37,-1,99,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７５】
-1,136,-1,-1,-1,61,-1,120,-1,-1,-1,133,-1,77,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７６】
77,4,-1,-1,-1,-1,-1,-1,-1,-1,-1,-1,72,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７７】
-1,18,-1,-1,-1,-1,-1,-1,13,-1,77,22,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７８】
37,102,-1,-1,-1,-1,131,103,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５７９】
50,-1,-1,-1,-1,-1,-1,103,-1,95,-1,-1,-1,103,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５８０】
-1,65,-1,105,-1,-1,-1,-1,-1,-1,-1,88,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０５８１】
77,95,-1,-1,-1,-1,-1,-1,14,-1,-1,-1,-1,105,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０５８２】
-1,49,-1,-1,-1,-1,55,-1,-1,-1,-1,41,-1,124,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０５８３】
21,-1,-1,-1,-1,-1,-1,-1,-1,-1,90,22,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０５８４】
-1,129,-1,-1,-1,-1,-1,-1,-1,9,-1,68,37,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０５８５】
-1,25,-1,-1,-1,143,-1,-1,-1,-1,-1,34,10,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０５８６】
98,-1,-1,-1,-1,-1,112,78,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０５８７】
51,37,-1,-1,-1,-1,-1,-1,-1,-1,86,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０５８８】
-1,67,-1,-1,0,-1,-1,-1,-1,-1,-1,101,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０５８９】
135,-1,-1,-1,-1,-1,-1,-1,52,-1,-1,-1,-1,88,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０５９０】
-1,136,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０５９１】
9,-1,-1,142,-1,121,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０５９２】
-1,122,26,-1,-1,-1,-1,-1,-1,125,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０５９３】
10,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０５９４】
-1,-1,111,-1,-1,-1,-1,106,-1,-1,-1,-1,142,98,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０５９５】
19,-1,-1,-1,-1,-1,7,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０５９６】
-1,55,68,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０５９７】
40,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０５９８】
-1,-1,126,-1,-1,113,-1,112,-1,37,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０５９９】
-1,107,-1,-1,-1,-1,-1,-1,-1,-1,-1,-1,-1,130,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０６００】
2,-1,-1,-1,-1,66,-1,-1,-1,-1,-1,-1,68,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０６０１】
-1,-1,95,-1,-1,-1,-1,115,-1,-1,37,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０６０２】
56,-1,-1,-1,-1,-1,-1,-1,-1,-1,-1,-1,10,16,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０６０３】
-1,12,-1,-1,-1,43,-1,-1,-1,-1,-1,15,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０６０４】
96,-1,116,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０６０５】
-1,-1,-1,-1,-1,-1,-1,-1,-1,-1,31,-1,-1,74,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０６０６】
-1,124,-1,-1,-1,91,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０６０７】
11,-1,-1,-1,-1,-1,-1,2,-1,-1,-1,-1,121,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０６０８】
-1,-1,101,-1,-1,-1,-1,-1,-1,-1,24,-1,-1,37,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０６０９】
-1,88,-1,-1,-1,89,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０６１０】
係数行列６は以下の通りである：
【０６１１】
121,74,89,122,-1,-1,141,-1,-1,137,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１２】
118,-1,-1,0,25,171,133,79,173,121,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１３】
42,121,-1,95,8,-1,-1,-1,29,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１４】
-1,64,110,-1,143,78,90,9,55,90,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１５】
31,48,-1,-1,-1,-1,-1,-1,-1,-1,-1,162,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１６】
28,29,-1,-1,-1,99,-1,142,-1,-1,-1,80,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１７】
17,-1,-1,-1,-1,38,-1,63,-1,26,-1,167,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１８】
-1,44,-1,-1,-1,68,-1,59,-1,-1,-1,110,-1,86,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６１９】
104,58,-1,-1,-1,-1,-1,-1,-1,-1,-1,-1,53,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２０】
-1,136,-1,-1,-1,-1,-1,-1,135,-1,133,142,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２１】
153,15,-1,-1,-1,-1,109,86,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２２】
4,-1,-1,-1,-1,-1,-1,34,-1,168,-1,-1,-1,156,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２３】
-1,98,-1,60,-1,-1,-1,-1,-1,-1,-1,172,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２４】
98,3,-1,-1,-1,-1,-1,-1,89,-1,-1,-1,-1,108,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０６２５】
-1,30,-1,-1,-1,-1,131,-1,-1,-1,-1,127,-1,112,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０６２６】
38,-1,-1,-1,-1,-1,-1,-1,-1,-1,64,77,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０６２７】
-1,110,-1,-1,-1,-1,-1,-1,-1,42,-1,10,82,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０６２８】
-1,48,-1,-1,-1,66,-1,-1,-1,-1,-1,61,161,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０６２９】
90,-1,-1,-1,-1,-1,47,63,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０６３０】
175,87,-1,-1,-1,-1,-1,-1,-1,-1,59,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０６３１】
-1,88,-1,-1,150,-1,-1,-1,-1,-1,-1,12,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０６３２】
5,-1,-1,-1,-1,-1,-1,-1,79,-1,-1,-1,-1,137,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０６３３】
-1,43,127,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０６３４】
78,-1,-1,32,-1,169,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０６３５】
-1,1,150,-1,-1,-1,-1,-1,-1,13,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０６３６】
39,-1,-1,-1,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０６３７】
-1,-1,23,-1,-1,-1,-1,82,-1,-1,-1,-1,121,156,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０６３８】
74,-1,-1,-1,-1,-1,166,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０６３９】
-1,22,19,-1,-1,42,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０６４０】
91,-1,-1,-1,133,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０６４１】
-1,-1,16,-1,-1,140,-1,56,-1,158,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０６４２】
-1,165,-1,-1,-1,-1,-1,-1,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０６４３】
34,-1,-1,-1,-1,4,-1,-1,-1,-1,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０６４４】
-1,-1,152,-1,-1,-1,-1,131,-1,-1,5,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０６４５】
148,-1,-1,-1,-1,-1,-1,-1,-1,-1,-1,-1,82,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０６４６】
-1,124,-1,-1,-1,48,-1,-1,-1,-1,-1,8,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０６４７】
128,-1,50,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０６４８】
-1,-1,-1,-1,-1,-1,-1,-1,-1,-1,31,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０６４９】
-1,142,-1,-1,-1,119,-1,-1,-1,-1,-1,69,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０６５０】
69,-1,-1,-1,-1,-1,-1,124,-1,-1,-1,-1,33,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０６５１】
-1,-1,72,-1,-1,-1,-1,-1,-1,-1,141,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０６５２】
-1,4,-1,-1,-1,92,-1,-1,-1,-1,-1,37,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０６５３】
係数行列７は以下の通りである：
【０６５４】
153,19,47,79,-1,-1,19,-1,-1,90,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６５５】
58,-1,-1,201,157,100,42,46,15,19,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６５６】
48,160,-1,172,169,-1,-1,-1,169,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６５７】
-1,38,2,-1,196,50,192,81,98,85,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６５８】
169,94,-1,-1,-1,-1,-1,-1,-1,-1,-1,8,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６５９】
20,76,-1,-1,-1,102,-1,136,-1,-1,-1,186,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６０】
121,-1,-1,-1,-1,160,-1,180,-1,161,-1,172,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６１】
-1,104,-1,-1,-1,109,-1,109,-1,-1,-1,106,-1,81,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６２】
107,133,-1,-1,-1,-1,-1,-1,-1,-1,-1,-1,197,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６３】
-1,49,-1,-1,-1,-1,-1,-1,4,-1,164,128,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６４】
165,172,-1,-1,-1,-1,11,148,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６５】
85,-1,-1,-1,-1,-1,-1,111,-1,161,-1,-1,-1,113,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６６】
-1,84,-1,128,-1,-1,-1,-1,-1,-1,-1,198,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６７】
54,129,-1,-1,-1,-1,-1,-1,10,-1,-1,-1,-1,59,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０６６８】
-1,165,-1,-1,-1,-1,77,-1,-1,-1,-1,125,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０６６９】
74,-1,-1,-1,-1,-1,-1,-1,-1,-1,72,48,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０６７０】
-1,160,-1,-1,-1,-1,-1,-1,-1,134,-1,194,93,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０６７１】
-1,194,-1,-1,-1,78,-1,-1,-1,-1,-1,158,91,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０６７２】
193,-1,-1,-1,-1,-1,19,14,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０６７３】
71,134,-1,-1,-1,-1,-1,-1,-1,-1,39,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０６７４】
-1,5,-1,-1,49,-1,-1,-1,-1,-1,-1,159,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０６７５】
61,-1,-1,-1,-1,-1,-1,-1,48,-1,-1,-1,-1,82,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０６７６】
-1,162,39,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０６７７】
37,-1,-1,201,-1,174,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０６７８】
-1,191,176,-1,-1,-1,-1,-1,-1,178,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０６７９】
191,-1,-1,-1,-1,9,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０６８０】
-1,-1,94,-1,-1,-1,-1,83,-1,-1,-1,-1,142,198,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０６８１】
188,-1,-1,-1,-1,-1,176,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０６８２】
-1,44,68,-1,-1,33,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０６８３】
10,-1,-1,-1,91,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０６８４】
-1,-1,62,-1,-1,17,-1,135,-1,39,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０６８５】
-1,187,-1,-1,-1,-1,-1,-1,-1,-1,-1,-1,-1,58,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０６８６】
166,-1,-1,-1,-1,166,-1,-1,-1,-1,-1,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０６８７】
-1,-1,126,-1,-1,-1,-1,73,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０６８８】
140,-1,-1,-1,-1,-1,-1,-1,-1,-1,-1,-1,97,180,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０６８９】
-1,198,-1,-1,-1,69,-1,-1,-1,-1,-1,202,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０６９０】
45,-1,30,-1,-1,-1,-1,134,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０６９１】
-1,-1,-1,-1,-1,-1,-1,-1,-1,-1,162,-1,-1,170,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０６９２】
-1,28,-1,-1,-1,109,-1,-1,-1,-1,-1,198,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０６９３】
51,-1,-1,-1,-1,-1,-1,44,-1,-1,-1,-1,82,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０６９４】
-1,-1,157,-1,-1,-1,-1,-1,-1,-1,47,-1,-1,96,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０６９５】
-1,142,-1,-1,-1,58,-1,-1,-1,-1,-1,73,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０６９６】
係数行列８は以下の通りである：
【０６９７】
56,19,221,119,-1,-1,219,-1,-1,33,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６９８】
119,-1,-1,5,115,64,208,120,95,131,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０６９９】
156,156,-1,161,84,-1,-1,-1,145,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７００】
-1,26,64,-1,118,197,186,106,127,186,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０１】
171,69,-1,-1,-1,-1,-1,-1,-1,-1,-1,168,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０２】
120,154,-1,-1,-1,27,-1,212,-1,-1,-1,202,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０３】
89,-1,-1,-1,-1,2,-1,20,-1,5,-1,218,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０４】
-1,239,-1,-1,-1,75,-1,165,-1,-1,-1,24,-1,20,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０５】
229,144,-1,-1,-1,-1,-1,-1,-1,-1,-1,-1,159,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０６】
-1,234,-1,-1,-1,-1,-1,-1,2,-1,67,129,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０７】
178,155,-1,-1,-1,-1,217,237,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０８】
187,-1,-1,-1,-1,-1,-1,185,-1,180,-1,-1,-1,22,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７０９】
-1,171,-1,118,-1,-1,-1,-1,-1,-1,-1,221,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７１０】
154,14,-1,-1,-1,-1,-1,-1,104,-1,-1,-1,-1,61,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０７１１】
-1,105,-1,-1,-1,-1,146,-1,-1,-1,-1,38,-1,76,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０７１２】
231,-1,-1,-1,-1,-1,-1,-1,-1,-1,149,173,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０７１３】
-1,145,-1,-1,-1,-1,-1,-1,-1,196,-1,16,168,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０７１４】
-1,206,-1,-1,-1,170,-1,-1,-1,-1,-1,43,234,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０７１５】
61,-1,-1,-1,-1,-1,36,109,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０７１６】
16,153,-1,-1,-1,-1,-1,-1,-1,-1,85,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０７１７】
-1,108,-1,-1,39,-1,-1,-1,-1,-1,-1,31,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０７１８】
118,-1,-1,-1,-1,-1,-1,-1,97,-1,-1,-1,-1,44,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０７１９】
-1,17,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０７２０】
16,-1,-1,52,-1,101,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０７２１】
-1,199,137,-1,-1,-1,-1,-1,-1,194,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０７２２】
17,-1,-1,-1,-1,115,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０７２３】
-1,-1,239,-1,-1,-1,-1,173,-1,-1,-1,-1,193,116,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０７２４】
18,-1,-1,-1,-1,-1,171,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０７２５】
-1,88,128,-1,-1,66,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０７２６】
181,-1,-1,-1,13,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０７２７】
-1,-1,231,-1,-1,177,-1,12,-1,17,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０７２８】
-1,6,-1,-1,-1,-1,-1,-1,-1,-1,-1,-1,-1,204,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０７２９】
130,-1,-1,-1,-1,214,-1,-1,-1,-1,-1,-1,67,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０７３０】
-1,-1,235,-1,-1,-1,-1,192,-1,-1,65,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０７３１】
123,-1,-1,-1,-1,-1,-1,-1,-1,-1,-1,-1,42,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０７３２】
-1,123,-1,-1,-1,135,-1,-1,-1,-1,-1,5,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０７３３】
125,-1,190,-1,-1,-1,-1,90,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０７３４】
-1,-1,-1,-1,-1,-1,-1,-1,-1,-1,78,-1,-1,190,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０７３５】
-1,90,-1,-1,-1,126,-1,-1,-1,-1,-1,234,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０７３６】
164,-1,-1,-1,-1,-1,-1,134,-1,-1,-1,-1,200,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０７３７】
-1,-1,239,-1,-1,-1,-1,-1,-1,-1,17,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０７３８】
-1,99,-1,-1,-1,94,-1,-1,-1,-1,-1,181,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０７３９】
係数行列がサポートする全リフトサイズはリフトサイズサブセットＺｓｅｔｉに対応し、ｉ＝１，２，３，・・・，８である；ｉ番目セットＺ０ｓｅｔｉは係数行列ｉに対応し、ｉ＝１，２，３，・・・，８である。８個のリフトサイズサブセットは以下の通りである：Zset1={2, 4, 8, 16, 32, 64, 128, 256}, Zset2={3, 6, 12, 24, 48, 96, 192}, Zset3={5, 10, 20, 40, 80, 160}, Zset4={7, 14, 28, 56, 112, 224}, Zset5={9, 18, 36, 72, 144}, Zset6={11, 22, 44, 88, 176}, Zset7={13, 26, 52, 104, 208}, and Zset8={15, 30, 60, 120, 240}。
【０７４０】
別実装モードにおいて、オプションとして、Ａは８であり、８個のリフトサイズサブセットは以下の通りである：Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}。
【０７４１】
オプションとして、セットＺ０ｓｅｔｉは以下の通りである：Z0set1={16, 32, 48, 64, 80, 96, 112, 128, 144, 160, 176, 192, 208, 224, 240, 256, 288, 320, 352, 384}, Z0set2={12, 24, 36, 48, 60, 72, 96, 120, 144, 192, 240, 256, 288, 352, 384}, Z0set3={20, 40, 60, 80, 120, 160, 240, 320, 352}, Z0set4={56, 112, 224, 288, 352, 384}, Z0set5={18, 36, 72, 144, 176, 192, 288, 352, 384}, Z0set6={22, 44, 88, 176, 256, 320, 352, 384}, Z0set7={13, 26, 52, 104, 176, 208, 224, 240, 256, 288, 320, 352, 384}, and Z0set8={30, 60, 120, 240, 320, 352}。
【０７４２】
第１係数行列セットは、以下のうち少なくとも１つの４６行６８列の係数行列を有する。
【０７４３】
係数行列１は以下の通りである：
【０７４４】
202,76,183,29,-1,32,31,-1,-1,153,187,236,92,183,-1,141,71,-1,77,192,162,248,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７４５】
120,-1,79,169,31,187,-1,185,14,150,-1,19,33,-1,0,92,13,215,-1,243,-1,241,1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７４６】
103,116,8,-1,230,108,22,62,235,88,198,-1,-1,100,188,246,-1,53,176,166,196,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７４７】
54,136,-1,115,98,-1,0,32,224,-1,57,212,14,12,165,-1,193,35,230,-1,209,28,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７４８】
26,100,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７４９】
75,43,-1,251,-1,-1,-1,-1,-1,-1,-1,-1,104,-1,-1,-1,226,-1,-1,-1,-1,27,89,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５０】
53,-1,-1,-1,-1,-1,167,-1,-1,-1,126,145,-1,112,-1,-1,-1,206,143,-1,241,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５１】
26,127,-1,-1,126,-1,-1,223,21,-1,-1,-1,-1,-1,213,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５２】
160,220,-1,85,-1,-1,-1,-1,-1,-1,-1,-1,214,-1,-1,-1,166,-1,-1,100,-1,3,124,-1,6,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５３】
108,166,-1,-1,-1,-1,-1,-1,-1,-1,153,207,-1,221,-1,-1,-1,50,222,-1,11,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５４】
-1,244,89,-1,229,-1,-1,114,134,-1,-1,-1,-1,-1,190,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５５】
32,186,-1,-1,-1,-1,-1,-1,-1,-1,-1,-1,60,-1,-1,-1,50,-1,-1,-1,-1,5,103,137,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５６】
87,136,-1,-1,-1,-1,-1,-1,-1,-1,225,54,-1,153,-1,-1,-1,-1,28,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５７】
6,-1,-1,14,-1,-1,-1,67,-1,-1,-1,-1,-1,-1,-1,-1,-1,-1,-1,-1,154,-1,-1,35,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５８】
243,-1,-1,-1,-1,-1,-1,-1,-1,-1,-1,-1,227,-1,-1,13,219,251,-1,-1,-1,103,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７５９】
6,106,-1,-1,-1,-1,-1,-1,-1,-1,158,-1,-1,148,-1,-1,-1,-1,100,-1,-1,-1,-1,-1,-1,137,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７６０】
-1,196,-1,65,-1,-1,-1,-1,-1,-1,-1,158,-1,-1,-1,-1,-1,-1,-1,-1,83,-1,189,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７６１】
132,-1,-1,-1,-1,-1,-1,-1,-1,-1,-1,-1,-1,-1,69,-1,253,235,-1,-1,-1,239,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０７６２】
-1,162,-1,-1,-1,-1,-1,-1,-1,-1,-1,-1,142,65,-1,-1,-1,-1,5,247,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０７６３】
243,102,-1,-1,-1,-1,-1,115,79,-1,225,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０７６４】
111,-1,-1,99,-1,-1,-1,-1,-1,246,-1,47,-1,-1,-1,-1,-1,-1,-1,-1,-1,-1,50,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０７６５】
-1,141,-1,-1,-1,121,-1,-1,-1,-1,-1,-1,-1,-1,-1,-1,12,-1,-1,-1,26,227,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０７６６】
133,-1,-1,-1,-1,-1,-1,-1,-1,-1,-1,-1,60,220,-1,-1,-1,24,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０７６７】
-1,0,17,-1,-1,-1,-1,-1,-1,-1,74,-1,-1,-1,-1,-1,-1,-1,102,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０７６８】
153,-1,-1,20,92,-1,-1,-1,-1,-1,-1,173,-1,-1,-1,-1,-1,-1,-1,-1,-1,-1,132,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０７６９】
-1,121,-1,-1,-1,-1,29,148,-1,-1,-1,-1,-1,-1,205,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０７７０】
181,-1,222,-1,123,-1,-1,-1,-1,-1,-1,-1,-1,-1,-1,13,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０７７１】
-1,128,-1,-1,-1,-1,221,-1,123,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０７７２】
47,-1,-1,-1,247,-1,-1,-1,-1,-1,-1,-1,-1,-1,-1,-1,-1,-1,-1,81,-1,174,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０７７３】
-1,242,-1,-1,-1,-1,-1,-1,-1,-1,-1,-1,-1,-1,84,-1,-1,-1,23,-1,-1,-1,-1,-1,-1,16,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０７７４】
47,-1,-1,-1,-1,-1,-1,-1,-1,-1,95,-1,-1,216,-1,-1,-1,-1,-1,-1,-1,-1,-1,-1,175,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０７７５】
-1,36,-1,-1,-1,-1,-1,57,-1,-1,-1,-1,-1,-1,-1,-1,-1,-1,-1,-1,-1,-1,202,-1,-1,37,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０７７６】
193,-1,-1,-1,-1,-1,-1,-1,-1,-1,-1,-1,252,-1,237,-1,-1,-1,-1,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０７７７】
-1,161,251,-1,-1,-1,-1,-1,-1,-1,-1,162,-1,-1,-1,-1,-1,-1,-1,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０７７８】
224,-1,-1,-1,-1,-1,-1,108,-1,-1,-1,-1,-1,-1,-1,17,-1,161,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０７７９】
-1,153,-1,-1,-1,-1,232,-1,-1,-1,-1,-1,33,-1,-1,-1,-1,-1,-1,-1,-1,-1,160,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０７８０】
34,-1,-1,-1,-1,-1,-1,-1,-1,-1,-1,-1,-1,-1,32,11,-1,-1,182,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０７８１】
-1,95,-1,-1,-1,-1,-1,-1,-1,-1,-1,-1,-1,98,-1,-1,-1,-1,-1,-1,-1,-1,-1,82,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０７８２】
26,-1,-1,-1,-1,-1,-1,-1,-1,100,127,-1,107,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０７８３】
-1,250,-1,61,-1,-1,-1,76,-1,-1,-1,-1,-1,-1,-1,-1,-1,-1,-1,11,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０７８４】
122,-1,-1,-1,-1,-1,-1,-1,26,-1,-1,-1,-1,-1,-1,-1,-1,190,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０７８５】
-1,52,-1,30,-1,-1,-1,-1,-1,114,-1,-1,-1,-1,-1,-1,-1,-1,223,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０７８６】
211,-1,-1,-1,104,-1,-1,-1,-1,-1,-1,-1,-1,-1,-1,-1,-1,-1,-1,-1,-1,-1,-1,-1,97,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０７８７】
-1,207,-1,-1,-1,-1,-1,-1,-1,-1,-1,-1,-1,-1,-1,-1,129,-1,120,-1,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０７８８】
93,-1,-1,-1,-1,-1,-1,60,-1,209,-1,-1,-1,-1,-1,-1,-1,-1,-1,-1,-1,-1,242,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０７８９】
-1,211,-1,-1,-1,-1,173,-1,-1,-1,143,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０７９０】
係数行列２は以下の通りである：
【０７９１】
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９２】
129,-1,127,189,0,4,-1,0,0,10,-1,284,371,-1,0,2,30,0,-1,29,-1,171,193,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９３】
4,263,278,-1,381,6,68,296,358,61,46,-1,-1,36,1,331,-1,376,249,16,15,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９４】
2,43,-1,42,16,-1,10,84,111,-1,289,321,17,275,22,-1,14,314,351,-1,4,56,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９５】
149,124,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９６】
97,327,-1,213,-1,-1,-1,-1,-1,-1,-1,-1,41,-1,-1,-1,211,-1,-1,-1,-1,36,30,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９７】
358,-1,-1,-1,-1,-1,20,-1,-1,-1,78,268,-1,121,-1,-1,-1,230,156,-1,329,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９８】
347,333,-1,-1,299,-1,-1,164,172,-1,-1,-1,-1,-1,46,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０７９９】
113,63,-1,119,-1,-1,-1,-1,-1,-1,-1,-1,110,-1,-1,-1,42,-1,-1,4,-1,82,247,-1,197,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８００】
2,203,-1,-1,-1,-1,-1,-1,-1,-1,176,38,-1,69,-1,-1,-1,299,315,-1,53,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０１】
-1,152,73,-1,16,-1,-1,2,336,-1,-1,-1,-1,-1,361,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０２】
179,111,-1,-1,-1,-1,-1,-1,-1,-1,-1,-1,331,-1,-1,-1,1,-1,-1,-1,-1,8,46,184,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０３】
47,132,-1,-1,-1,-1,-1,-1,-1,-1,1,212,-1,333,-1,-1,-1,-1,209,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０４】
347,-1,-1,88,-1,-1,-1,18,-1,-1,-1,-1,-1,-1,-1,-1,-1,-1,-1,-1,12,-1,-1,261,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０５】
6,-1,-1,-1,-1,-1,-1,-1,-1,-1,-1,-1,324,-1,-1,193,23,2,-1,-1,-1,297,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０６】
339,155,-1,-1,-1,-1,-1,-1,-1,-1,109,-1,-1,4,-1,-1,-1,-1,6,-1,-1,-1,-1,-1,-1,178,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０７】
-1,163,-1,70,-1,-1,-1,-1,-1,-1,-1,95,-1,-1,-1,-1,-1,-1,-1,-1,27,-1,145,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０８】
4,-1,-1,-1,-1,-1,-1,-1,-1,-1,-1,-1,-1,-1,326,-1,57,1,-1,-1,-1,215,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０８０９】
-1,86,-1,-1,-1,-1,-1,-1,-1,-1,-1,-1,341,22,-1,-1,-1,-1,349,292,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０８１０】
2,269,-1,-1,-1,-1,-1,295,320,-1,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０８１１】
104,-1,-1,18,-1,-1,-1,-1,-1,136,-1,1,-1,-1,-1,-1,-1,-1,-1,-1,-1,-1,47,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０８１２】
-1,6,-1,-1,-1,250,-1,-1,-1,-1,-1,-1,-1,-1,-1,-1,157,-1,-1,-1,284,2,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０８１３】
80,-1,-1,-1,-1,-1,-1,-1,-1,-1,-1,-1,159,22,-1,-1,-1,45,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０８１４】
-1,129,246,-1,-1,-1,-1,-1,-1,-1,1,-1,-1,-1,-1,-1,-1,-1,178,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０８１５】
29,-1,-1,36,314,-1,-1,-1,-1,-1,-1,42,-1,-1,-1,-1,-1,-1,-1,-1,-1,-1,97,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０８１６】
-1,178,-1,-1,-1,-1,6,58,-1,-1,-1,-1,-1,-1,160,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０８１７】
240,-1,283,-1,19,-1,-1,-1,-1,-1,-1,-1,-1,-1,-1,222,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０８１８】
-1,31,-1,-1,-1,-1,381,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０８１９】
173,-1,-1,-1,42,-1,-1,-1,-1,-1,-1,-1,-1,-1,-1,-1,-1,-1,-1,8,-1,55,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０８２０】
-1,96,-1,-1,-1,-1,-1,-1,-1,-1,-1,-1,-1,-1,264,-1,-1,-1,207,-1,-1,-1,-1,-1,-1,284,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０８２１】
309,-1,-1,-1,-1,-1,-1,-1,-1,-1,70,-1,-1,279,-1,-1,-1,-1,-1,-1,-1,-1,-1,-1,239,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０８２２】
-1,359,-1,-1,-1,-1,-1,12,-1,-1,-1,-1,-1,-1,-1,-1,-1,-1,-1,-1,-1,-1,356,-1,-1,261,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０８２３】
175,-1,-1,-1,-1,-1,-1,-1,-1,-1,-1,-1,60,-1,2,-1,-1,-1,-1,-1,-1,-1,-1,-1,40,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０８２４】
-1,281,373,-1,-1,-1,-1,-1,-1,-1,-1,258,-1,-1,-1,-1,-1,-1,-1,-1,-1,315,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０８２５】
328,-1,-1,-1,-1,-1,-1,12,-1,-1,-1,-1,-1,-1,-1,44,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０８２６】
-1,4,-1,-1,-1,-1,20,-1,-1,-1,-1,-1,185,-1,-1,-1,-1,-1,-1,-1,-1,-1,40,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０８２７】
262,-1,-1,-1,-1,-1,-1,-1,-1,-1,-1,-1,-1,-1,10,249,-1,-1,356,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０８２８】
-1,337,-1,-1,-1,-1,-1,-1,-1,-1,-1,-1,-1,56,-1,-1,-1,-1,-1,-1,-1,-1,-1,381,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０８２９】
369,-1,-1,-1,-1,-1,-1,-1,-1,198,12,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０８３０】
-1,246,-1,10,-1,-1,-1,2,-1,-1,-1,-1,-1,-1,-1,-1,-1,-1,-1,50,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０８３１】
175,-1,-1,-1,-1,-1,-1,-1,367,-1,-1,-1,-1,-1,-1,-1,-1,177,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０８３２】
-1,141,-1,28,-1,-1,-1,-1,-1,231,-1,-1,-1,-1,-1,-1,-1,-1,54,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０８３３】
136,-1,-1,-1,10,-1,-1,-1,-1,-1,-1,-1,-1,-1,-1,-1,-1,-1,-1,-1,-1,-1,-1,-1,335,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０８３４】
-1,4,-1,-1,-1,-1,-1,-1,-1,-1,-1,-1,-1,-1,-1,-1,46,-1,276,-1,-1,-1,-1,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０８３５】
255,-1,-1,-1,-1,-1,-1,160,-1,361,-1,-1,-1,-1,-1,-1,-1,-1,-1,-1,-1,-1,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０８３６】
-1,274,-1,-1,-1,-1,117,-1,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０８３７】
係数行列３は以下の通りである：
【０８３８】
278,104,10,232,-1,256,8,-1,-1,281,180,2,238,236,-1,21,69,-1,161,259,198,134,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８３９】
197,-1,12,29,224,260,-1,192,312,297,-1,30,150,-1,133,27,99,214,-1,162,-1,1,161,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４０】
114,233,237,-1,95,266,293,251,16,299,73,-1,-1,197,209,180,-1,75,203,154,135,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４１】
107,255,-1,135,225,-1,24,157,10,-1,252,90,223,294,241,-1,22,211,231,-1,204,228,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４２】
60,97,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４３】
274,10,-1,154,-1,-1,-1,-1,-1,-1,-1,-1,48,-1,-1,-1,172,-1,-1,-1,-1,202,29,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４４】
4,-1,-1,-1,-1,-1,279,-1,-1,-1,177,104,-1,26,-1,-1,-1,31,221,-1,232,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４５】
34,86,-1,-1,165,-1,-1,132,147,-1,-1,-1,-1,-1,117,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４６】
63,196,-1,198,-1,-1,-1,-1,-1,-1,-1,-1,20,-1,-1,-1,47,-1,-1,233,-1,218,19,-1,313,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４７】
27,294,-1,-1,-1,-1,-1,-1,-1,-1,284,36,-1,239,-1,-1,-1,62,38,-1,298,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４８】
-1,210,127,-1,155,-1,-1,218,290,-1,-1,-1,-1,-1,125,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８４９】
219,250,-1,-1,-1,-1,-1,-1,-1,-1,-1,-1,257,-1,-1,-1,211,-1,-1,-1,-1,49,7,171,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５０】
315,76,-1,-1,-1,-1,-1,-1,-1,-1,42,302,-1,314,-1,-1,-1,-1,48,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５１】
135,-1,-1,233,-1,-1,-1,228,-1,-1,-1,-1,-1,-1,-1,-1,-1,-1,-1,-1,213,-1,-1,309,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５２】
317,-1,-1,-1,-1,-1,-1,-1,-1,-1,-1,-1,289,-1,-1,41,174,267,-1,-1,-1,170,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５３】
103,21,-1,-1,-1,-1,-1,-1,-1,-1,69,-1,-1,77,-1,-1,-1,-1,181,-1,-1,-1,-1,-1,-1,173,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５４】
-1,259,-1,152,-1,-1,-1,-1,-1,-1,-1,159,-1,-1,-1,-1,-1,-1,-1,-1,120,-1,191,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５５】
314,-1,-1,-1,-1,-1,-1,-1,-1,-1,-1,-1,-1,-1,135,-1,107,270,-1,-1,-1,226,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０８５６】
-1,2,-1,-1,-1,-1,-1,-1,-1,-1,-1,-1,133,132,-1,-1,-1,-1,95,228,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０８５７】
288,142,-1,-1,-1,-1,-1,212,209,-1,240,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０８５８】
284,-1,-1,290,-1,-1,-1,-1,-1,311,-1,2,-1,-1,-1,-1,-1,-1,-1,-1,-1,-1,241,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０８５９】
-1,303,-1,-1,-1,125,-1,-1,-1,-1,-1,-1,-1,-1,-1,-1,97,-1,-1,-1,208,300,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０８６０】
69,-1,-1,-1,-1,-1,-1,-1,-1,-1,-1,-1,273,242,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０８６１】
-1,64,231,-1,-1,-1,-1,-1,-1,-1,38,-1,-1,-1,-1,-1,-1,-1,263,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０８６２】
249,-1,-1,68,231,-1,-1,-1,-1,-1,-1,234,-1,-1,-1,-1,-1,-1,-1,-1,-1,-1,134,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０８６３】
-1,64,-1,-1,-1,-1,157,253,-1,-1,-1,-1,-1,-1,47,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０８６４】
170,-1,51,-1,236,-1,-1,-1,-1,-1,-1,-1,-1,-1,-1,295,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０８６５】
-1,8,-1,-1,-1,-1,249,-1,242,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０８６６】
109,-1,-1,-1,72,-1,-1,-1,-1,-1,-1,-1,-1,-1,-1,-1,-1,-1,-1,158,-1,38,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０８６７】
-1,148,-1,-1,-1,-1,-1,-1,-1,-1,-1,-1,-1,-1,89,-1,-1,-1,236,-1,-1,-1,-1,-1,-1,222,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０８６８】
318,-1,-1,-1,-1,-1,-1,-1,-1,-1,27,-1,-1,44,-1,-1,-1,-1,-1,-1,-1,-1,-1,-1,222,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０８６９】
-1,51,-1,-1,-1,-1,-1,205,-1,-1,-1,-1,-1,-1,-1,-1,-1,-1,-1,-1,-1,-1,226,-1,-1,89,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０８７０】
274,-1,-1,-1,-1,-1,-1,-1,-1,-1,-1,-1,9,-1,239,-1,-1,-1,-1,-1,-1,-1,-1,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０８７１】
-1,78,28,-1,-1,-1,-1,-1,-1,-1,-1,228,-1,-1,-1,-1,-1,-1,-1,-1,-1,282,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０８７２】
90,-1,-1,-1,-1,-1,-1,86,-1,-1,-1,-1,-1,-1,-1,52,-1,122,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０８７３】
-1,249,-1,-1,-1,-1,159,-1,-1,-1,-1,-1,132,-1,-1,-1,-1,-1,-1,-1,-1,-1,76,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０８７４】
263,-1,-1,-1,-1,-1,-1,-1,-1,-1,-1,-1,-1,-1,315,156,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０８７５】
-1,233,-1,-1,-1,-1,-1,-1,-1,-1,-1,-1,-1,144,-1,-1,-1,-1,-1,-1,-1,-1,-1,110,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０８７６】
70,-1,-1,-1,-1,-1,-1,-1,-1,29,178,-1,112,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０８７７】
-1,165,-1,32,-1,-1,-1,256,-1,-1,-1,-1,-1,-1,-1,-1,-1,-1,-1,158,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０８７８】
37,-1,-1,-1,-1,-1,-1,-1,115,-1,-1,-1,-1,-1,-1,-1,-1,183,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０８７９】
-1,208,-1,80,-1,-1,-1,-1,-1,35,-1,-1,-1,-1,-1,-1,-1,-1,303,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０８８０】
69,-1,-1,-1,21,-1,-1,-1,-1,-1,-1,-1,-1,-1,-1,-1,-1,-1,-1,-1,-1,-1,-1,-1,249,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０８８１】
-1,284,-1,-1,-1,-1,-1,-1,-1,-1,-1,-1,-1,-1,-1,-1,301,-1,145,-1,-1,-1,-1,-1,-1,60,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０８８２】
27,-1,-1,-1,-1,-1,-1,187,-1,171,-1,-1,-1,-1,-1,-1,-1,-1,-1,-1,-1,-1,279,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０８８３】
-1,77,-1,-1,-1,-1,132,-1,-1,-1,168,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０８８４】
係数行列４は以下の通りである：
【０８８５】
219,105,86,70,-1,92,65,-1,-1,67,70,100,219,168,-1,167,51,-1,50,20,204,100,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８８６】
29,-1,12,85,203,172,-1,92,112,3,-1,186,184,-1,200,49,30,56,-1,130,-1,33,223,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８８７】
102,122,70,-1,94,159,187,168,157,1,46,-1,-1,65,106,214,-1,223,191,51,133,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８８８】
188,119,-1,145,162,-1,95,67,152,-1,17,64,208,218,188,-1,64,149,104,-1,155,211,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８８９】
178,205,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９０】
16,4,-1,188,-1,-1,-1,-1,-1,-1,-1,-1,194,-1,-1,-1,48,-1,-1,-1,-1,42,145,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９１】
24,-1,-1,-1,-1,-1,26,-1,-1,-1,129,217,-1,10,-1,-1,-1,105,181,-1,10,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９２】
70,155,-1,-1,214,-1,-1,193,156,-1,-1,-1,-1,-1,135,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９３】
150,185,-1,222,-1,-1,-1,-1,-1,-1,-1,-1,84,-1,-1,-1,160,-1,-1,154,-1,96,106,-1,36,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９４】
200,51,-1,-1,-1,-1,-1,-1,-1,-1,28,151,-1,8,-1,-1,-1,0,183,-1,201,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９５】
-1,77,1,-1,26,-1,-1,186,48,-1,-1,-1,-1,-1,127,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９６】
211,15,-1,-1,-1,-1,-1,-1,-1,-1,-1,-1,207,-1,-1,-1,141,-1,-1,-1,-1,2,150,172,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９７】
183,13,-1,-1,-1,-1,-1,-1,-1,-1,29,118,-1,200,-1,-1,-1,-1,97,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９８】
175,-1,-1,94,-1,-1,-1,96,-1,-1,-1,-1,-1,-1,-1,-1,-1,-1,-1,-1,54,-1,-1,101,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０８９９】
129,-1,-1,-1,-1,-1,-1,-1,-1,-1,-1,-1,200,-1,-1,180,26,66,-1,-1,-1,116,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９００】
57,127,-1,-1,-1,-1,-1,-1,-1,-1,50,-1,-1,70,-1,-1,-1,-1,219,-1,-1,-1,-1,-1,-1,77,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９０１】
-1,55,-1,133,-1,-1,-1,-1,-1,-1,-1,63,-1,-1,-1,-1,-1,-1,-1,-1,5,-1,70,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９０２】
88,-1,-1,-1,-1,-1,-1,-1,-1,-1,-1,-1,-1,-1,126,-1,217,54,-1,-1,-1,8,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０９０３】
-1,88,-1,-1,-1,-1,-1,-1,-1,-1,-1,-1,142,135,-1,-1,-1,-1,67,189,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０９０４】
52,166,-1,-1,-1,-1,-1,41,85,-1,4,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０９０５】
186,-1,-1,43,-1,-1,-1,-1,-1,60,-1,60,-1,-1,-1,-1,-1,-1,-1,-1,-1,-1,40,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０９０６】
-1,53,-1,-1,-1,199,-1,-1,-1,-1,-1,-1,-1,-1,-1,-1,168,-1,-1,-1,18,192,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０９０７】
125,-1,-1,-1,-1,-1,-1,-1,-1,-1,-1,-1,164,156,-1,-1,-1,43,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０９０８】
-1,18,70,-1,-1,-1,-1,-1,-1,-1,84,-1,-1,-1,-1,-1,-1,-1,49,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０９０９】
165,-1,-1,212,16,-1,-1,-1,-1,-1,-1,99,-1,-1,-1,-1,-1,-1,-1,-1,-1,-1,118,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０９１０】
-1,179,-1,-1,-1,-1,178,137,-1,-1,-1,-1,-1,-1,83,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０９１１】
57,-1,23,-1,16,-1,-1,-1,-1,-1,-1,-1,-1,-1,-1,215,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０９１２】
-1,0,-1,-1,-1,-1,12,-1,160,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０９１３】
54,-1,-1,-1,48,-1,-1,-1,-1,-1,-1,-1,-1,-1,-1,-1,-1,-1,-1,202,-1,122,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０９１４】
-1,216,-1,-1,-1,-1,-1,-1,-1,-1,-1,-1,-1,-1,169,-1,-1,-1,162,-1,-1,-1,-1,-1,-1,163,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０９１５】
146,-1,-1,-1,-1,-1,-1,-1,-1,-1,79,-1,-1,32,-1,-1,-1,-1,-1,-1,-1,-1,-1,-1,218,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０９１６】
-1,26,-1,-1,-1,-1,-1,210,-1,-1,-1,-1,-1,-1,-1,-1,-1,-1,-1,-1,-1,-1,208,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０９１７】
154,-1,-1,-1,-1,-1,-1,-1,-1,-1,-1,-1,125,-1,211,-1,-1,-1,-1,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０９１８】
-1,92,167,-1,-1,-1,-1,-1,-1,-1,-1,217,-1,-1,-1,-1,-1,-1,-1,-1,-1,32,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０９１９】
20,-1,-1,-1,-1,-1,-1,101,-1,-1,-1,-1,-1,-1,-1,157,-1,32,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０９２０】
-1,109,-1,-1,-1,-1,124,-1,-1,-1,-1,-1,140,-1,-1,-1,-1,-1,-1,-1,-1,-1,64,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０９２１】
36,-1,-1,-1,-1,-1,-1,-1,-1,-1,-1,-1,-1,-1,112,191,-1,-1,115,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０９２２】
-1,84,-1,-1,-1,-1,-1,-1,-1,-1,-1,-1,-1,66,-1,-1,-1,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０９２３】
86,-1,-1,-1,-1,-1,-1,-1,-1,0,218,-1,44,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０９２４】
-1,59,-1,112,-1,-1,-1,14,-1,-1,-1,-1,-1,-1,-1,-1,-1,-1,-1,74,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０９２５】
67,-1,-1,-1,-1,-1,-1,-1,138,-1,-1,-1,-1,-1,-1,-1,-1,90,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０９２６】
-1,216,-1,40,-1,-1,-1,-1,-1,212,-1,-1,-1,-1,-1,-1,-1,-1,151,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０９２７】
69,-1,-1,-1,14,-1,-1,-1,-1,-1,-1,-1,-1,-1,-1,-1,-1,-1,-1,-1,-1,-1,-1,-1,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０９２８】
-1,140,-1,-1,-1,-1,-1,-1,-1,-1,-1,-1,-1,-1,-1,-1,106,-1,111,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０９２９】
64,-1,-1,-1,-1,-1,-1,152,-1,198,-1,-1,-1,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０９３０】
-1,25,-1,-1,-1,-1,49,-1,-1,-1,29,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０９３１】
係数行列５は以下の通りである：
【０９３２】
6,120,58,248,-1,240,272,-1,-1,40,9,196,50,254,-1,149,69,-1,177,275,214,150,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３３】
247,-1,70,10,99,244,-1,56,208,56,-1,240,251,-1,252,155,97,230,-1,187,-1,181,145,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３４】
158,189,10,-1,128,250,3,142,128,42,67,-1,-1,92,201,144,-1,261,54,184,225,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３５】
89,21,-1,129,76,-1,0,174,209,-1,138,218,256,26,79,-1,136,200,79,-1,35,255,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３６】
65,241,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３７】
216,39,-1,226,-1,-1,-1,-1,-1,-1,-1,-1,0,-1,-1,-1,220,-1,-1,-1,-1,241,44,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３８】
266,-1,-1,-1,-1,-1,45,-1,-1,-1,284,178,-1,265,-1,-1,-1,54,158,-1,11,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９３９】
84,110,-1,-1,23,-1,-1,22,250,-1,-1,-1,-1,-1,232,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４０】
160,270,-1,35,-1,-1,-1,-1,-1,-1,-1,-1,281,-1,-1,-1,225,-1,-1,196,-1,1,63,-1,202,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４１】
252,9,-1,-1,-1,-1,-1,-1,-1,-1,254,223,-1,228,-1,-1,-1,248,142,-1,186,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４２】
-1,151,284,-1,138,-1,-1,12,154,-1,-1,-1,-1,-1,210,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４３】
78,143,-1,-1,-1,-1,-1,-1,-1,-1,-1,-1,12,-1,-1,-1,117,-1,-1,-1,-1,5,155,217,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４４】
238,259,-1,-1,-1,-1,-1,-1,-1,-1,146,93,-1,146,-1,-1,-1,-1,211,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４５】
68,-1,-1,253,-1,-1,-1,104,-1,-1,-1,-1,-1,-1,-1,-1,-1,-1,-1,-1,264,-1,-1,201,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４６】
152,-1,-1,-1,-1,-1,-1,-1,-1,-1,-1,-1,127,-1,-1,147,57,90,-1,-1,-1,20,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４７】
160,21,-1,-1,-1,-1,-1,-1,-1,-1,179,-1,-1,19,-1,-1,-1,-1,8,-1,-1,-1,-1,-1,-1,273,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４８】
-1,77,-1,132,-1,-1,-1,-1,-1,-1,-1,198,-1,-1,-1,-1,-1,-1,-1,-1,82,-1,188,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９４９】
20,-1,-1,-1,-1,-1,-1,-1,-1,-1,-1,-1,-1,-1,213,-1,107,79,-1,-1,-1,58,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０９５０】
-1,112,-1,-1,-1,-1,-1,-1,-1,-1,-1,-1,97,72,-1,-1,-1,-1,42,43,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０９５１】
24,94,-1,-1,-1,-1,-1,4,22,-1,230,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０９５２】
248,-1,-1,260,-1,-1,-1,-1,-1,253,-1,73,-1,-1,-1,-1,-1,-1,-1,-1,-1,-1,178,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【０９５３】
-1,6,-1,-1,-1,241,-1,-1,-1,-1,-1,-1,-1,-1,-1,-1,183,-1,-1,-1,131,184,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【０９５４】
109,-1,-1,-1,-1,-1,-1,-1,-1,-1,-1,-1,196,106,-1,-1,-1,127,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【０９５５】
-1,9,42,-1,-1,-1,-1,-1,-1,-1,35,-1,-1,-1,-1,-1,-1,-1,235,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【０９５６】
15,-1,-1,188,265,-1,-1,-1,-1,-1,-1,165,-1,-1,-1,-1,-1,-1,-1,-1,-1,-1,122,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【０９５７】
-1,94,-1,-1,-1,-1,31,66,-1,-1,-1,-1,-1,-1,209,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【０９５８】
104,-1,88,-1,159,-1,-1,-1,-1,-1,-1,-1,-1,-1,-1,202,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【０９５９】
-1,277,-1,-1,-1,-1,104,-1,150,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【０９６０】
136,-1,-1,-1,125,-1,-1,-1,-1,-1,-1,-1,-1,-1,-1,-1,-1,-1,-1,266,-1,173,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【０９６１】
-1,171,-1,-1,-1,-1,-1,-1,-1,-1,-1,-1,-1,-1,42,-1,-1,-1,97,-1,-1,-1,-1,-1,-1,177,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【０９６２】
209,-1,-1,-1,-1,-1,-1,-1,-1,-1,182,-1,-1,42,-1,-1,-1,-1,-1,-1,-1,-1,-1,-1,270,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【０９６３】
-1,173,-1,-1,-1,-1,-1,241,-1,-1,-1,-1,-1,-1,-1,-1,-1,-1,-1,-1,-1,-1,90,-1,-1,133,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【０９６４】
135,-1,-1,-1,-1,-1,-1,-1,-1,-1,-1,-1,57,-1,191,-1,-1,-1,-1,-1,-1,-1,-1,-1,277,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【０９６５】
-1,30,161,-1,-1,-1,-1,-1,-1,-1,-1,114,-1,-1,-1,-1,-1,-1,-1,-1,-1,89,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【０９６６】
53,-1,-1,-1,-1,-1,-1,160,-1,-1,-1,-1,-1,-1,-1,56,-1,214,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【０９６７】
-1,206,-1,-1,-1,-1,28,-1,-1,-1,-1,-1,87,-1,-1,-1,-1,-1,-1,-1,-1,-1,48,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【０９６８】
236,-1,-1,-1,-1,-1,-1,-1,-1,-1,-1,-1,-1,-1,212,201,-1,-1,133,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【０９６９】
-1,197,-1,-1,-1,-1,-1,-1,-1,-1,-1,-1,-1,155,-1,-1,-1,-1,-1,-1,-1,-1,-1,120,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【０９７０】
246,-1,-1,-1,-1,-1,-1,-1,-1,206,261,-1,280,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【０９７１】
-1,279,-1,264,-1,-1,-1,120,-1,-1,-1,-1,-1,-1,-1,-1,-1,-1,-1,68,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【０９７２】
146,-1,-1,-1,-1,-1,-1,-1,57,-1,-1,-1,-1,-1,-1,-1,-1,260,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【０９７３】
-1,15,-1,75,-1,-1,-1,-1,-1,144,-1,-1,-1,-1,-1,-1,-1,-1,44,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【０９７４】
169,-1,-1,-1,261,-1,-1,-1,-1,-1,-1,-1,-1,-1,-1,-1,-1,-1,-1,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【０９７５】
-1,59,-1,-1,-1,-1,-1,-1,-1,-1,-1,-1,-1,-1,-1,-1,273,-1,35,-1,-1,-1,-1,-1,-1,165,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【０９７６】
81,-1,-1,-1,-1,-1,-1,131,-1,234,-1,-1,-1,-1,-1,-1,-1,-1,-1,-1,-1,-1,180,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【０９７７】
-1,202,-1,-1,-1,-1,143,-1,-1,-1,82,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【０９７８】
係数行列６は以下の通りである：
【０９７９】
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８０】
131,-1,18,42,0,16,-1,0,0,10,-1,341,9,-1,0,6,59,0,-1,215,-1,69,177,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８１】
259,291,345,-1,293,4,277,240,181,12,222,-1,-1,36,102,330,-1,70,54,216,175,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８２】
18,29,-1,10,156,-1,16,36,18,-1,232,158,299,319,227,-1,1,22,239,-1,71,72,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８３】
160,322,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８４】
154,58,-1,10,-1,-1,-1,-1,-1,-1,-1,-1,317,-1,-1,-1,193,-1,-1,-1,-1,42,6,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８５】
287,-1,-1,-1,-1,-1,266,-1,-1,-1,214,33,-1,189,-1,-1,-1,325,73,-1,124,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８６】
21,146,-1,-1,166,-1,-1,262,35,-1,-1,-1,-1,-1,319,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８７】
256,99,-1,105,-1,-1,-1,-1,-1,-1,-1,-1,136,-1,-1,-1,20,-1,-1,247,-1,16,279,-1,316,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８８】
49,51,-1,-1,-1,-1,-1,-1,-1,-1,177,119,-1,224,-1,-1,-1,4,128,-1,6,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９８９】
-1,282,139,-1,4,-1,-1,45,3,-1,-1,-1,-1,-1,108,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９０】
311,141,-1,-1,-1,-1,-1,-1,-1,-1,-1,-1,318,-1,-1,-1,49,-1,-1,-1,-1,332,80,283,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９１】
62,118,-1,-1,-1,-1,-1,-1,-1,-1,6,117,-1,10,-1,-1,-1,-1,78,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９２】
87,-1,-1,82,-1,-1,-1,6,-1,-1,-1,-1,-1,-1,-1,-1,-1,-1,-1,-1,115,-1,-1,20,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９３】
1,-1,-1,-1,-1,-1,-1,-1,-1,-1,-1,-1,218,-1,-1,103,22,30,-1,-1,-1,68,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９４】
16,147,-1,-1,-1,-1,-1,-1,-1,-1,2,-1,-1,268,-1,-1,-1,-1,211,-1,-1,-1,-1,-1,-1,278,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９５】
-1,10,-1,36,-1,-1,-1,-1,-1,-1,-1,72,-1,-1,-1,-1,-1,-1,-1,-1,287,-1,79,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９６】
183,-1,-1,-1,-1,-1,-1,-1,-1,-1,-1,-1,-1,-1,208,-1,149,180,-1,-1,-1,47,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【０９９７】
-1,323,-1,-1,-1,-1,-1,-1,-1,-1,-1,-1,22,1,-1,-1,-1,-1,188,38,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【０９９８】
1,106,-1,-1,-1,-1,-1,10,247,-1,42,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【０９９９】
284,-1,-1,97,-1,-1,-1,-1,-1,58,-1,33,-1,-1,-1,-1,-1,-1,-1,-1,-1,-1,261,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１０００】
-1,343,-1,-1,-1,215,-1,-1,-1,-1,-1,-1,-1,-1,-1,-1,1,-1,-1,-1,36,140,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１００１】
20,-1,-1,-1,-1,-1,-1,-1,-1,-1,-1,-1,155,126,-1,-1,-1,48,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１００２】
-1,316,103,-1,-1,-1,-1,-1,-1,-1,63,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１００３】
168,-1,-1,52,128,-1,-1,-1,-1,-1,-1,215,-1,-1,-1,-1,-1,-1,-1,-1,-1,-1,210,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１００４】
-1,212,-1,-1,-1,-1,317,313,-1,-1,-1,-1,-1,-1,4,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１００５】
112,-1,208,-1,277,-1,-1,-1,-1,-1,-1,-1,-1,-1,-1,290,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１００６】
-1,349,-1,-1,-1,-1,26,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１００７】
27,-1,-1,-1,73,-1,-1,-1,-1,-1,-1,-1,-1,-1,-1,-1,-1,-1,-1,272,-1,36,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１００８】
-1,128,-1,-1,-1,-1,-1,-1,-1,-1,-1,-1,-1,-1,4,-1,-1,-1,152,-1,-1,-1,-1,-1,-1,58,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１００９】
1,-1,-1,-1,-1,-1,-1,-1,-1,-1,176,-1,-1,28,-1,-1,-1,-1,-1,-1,-1,-1,-1,-1,220,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１０１０】
-1,186,-1,-1,-1,-1,-1,40,-1,-1,-1,-1,-1,-1,-1,-1,-1,-1,-1,-1,-1,-1,118,-1,-1,297,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１０１１】
322,-1,-1,-1,-1,-1,-1,-1,-1,-1,-1,-1,139,-1,233,-1,-1,-1,-1,-1,-1,-1,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１０１２】
-1,2,236,-1,-1,-1,-1,-1,-1,-1,-1,22,-1,-1,-1,-1,-1,-1,-1,-1,-1,158,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１０１３】
6,-1,-1,-1,-1,-1,-1,120,-1,-1,-1,-1,-1,-1,-1,293,-1,96,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１０１４】
-1,339,-1,-1,-1,-1,266,-1,-1,-1,-1,-1,20,-1,-1,-1,-1,-1,-1,-1,-1,-1,99,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１０１５】
268,-1,-1,-1,-1,-1,-1,-1,-1,-1,-1,-1,-1,-1,22,57,-1,-1,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１０１６】
-1,150,-1,-1,-1,-1,-1,-1,-1,-1,-1,-1,-1,244,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１０１７】
346,-1,-1,-1,-1,-1,-1,-1,-1,265,327,-1,254,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１０１８】
-1,6,-1,104,-1,-1,-1,59,-1,-1,-1,-1,-1,-1,-1,-1,-1,-1,-1,64,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１０１９】
88,-1,-1,-1,-1,-1,-1,-1,125,-1,-1,-1,-1,-1,-1,-1,-1,164,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１０２０】
-1,220,-1,2,-1,-1,-1,-1,-1,243,-1,-1,-1,-1,-1,-1,-1,-1,72,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１０２１】
123,-1,-1,-1,304,-1,-1,-1,-1,-1,-1,-1,-1,-1,-1,-1,-1,-1,-1,-1,-1,-1,-1,-1,265,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１０２２】
-1,4,-1,-1,-1,-1,-1,-1,-1,-1,-1,-1,-1,-1,-1,-1,30,-1,42,-1,-1,-1,-1,-1,-1,11,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１０２３】
12,-1,-1,-1,-1,-1,-1,31,-1,289,-1,-1,-1,-1,-1,-1,-1,-1,-1,-1,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１０２４】
-1,33,-1,-1,-1,-1,125,-1,-1,-1,112,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１０２５】
係数行列７は以下の通りである：
【１０２６】
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０２７】
22,-1,11,124,0,10,-1,0,0,2,-1,16,60,-1,0,6,30,0,-1,168,-1,31,105,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０２８】
132,37,21,-1,180,4,149,48,38,122,195,-1,-1,155,28,85,-1,47,179,42,66,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０２９】
4,6,-1,33,113,-1,49,21,6,-1,151,83,154,87,5,-1,92,173,120,-1,2,142,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３０】
24,204,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３１】
185,100,-1,24,-1,-1,-1,-1,-1,-1,-1,-1,65,-1,-1,-1,207,-1,-1,-1,-1,161,72,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３２】
6,-1,-1,-1,-1,-1,27,-1,-1,-1,163,50,-1,48,-1,-1,-1,24,38,-1,91,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３３】
145,88,-1,-1,112,-1,-1,153,159,-1,-1,-1,-1,-1,76,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３４】
172,2,-1,131,-1,-1,-1,-1,-1,-1,-1,-1,141,-1,-1,-1,96,-1,-1,99,-1,101,35,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３５】
6,10,-1,-1,-1,-1,-1,-1,-1,-1,145,53,-1,201,-1,-1,-1,4,164,-1,173,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３６】
-1,126,77,-1,156,-1,-1,16,12,-1,-1,-1,-1,-1,70,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３７】
184,194,-1,-1,-1,-1,-1,-1,-1,-1,-1,-1,123,-1,-1,-1,16,-1,-1,-1,-1,104,109,124,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３８】
6,20,-1,-1,-1,-1,-1,-1,-1,-1,203,153,-1,104,-1,-1,-1,-1,207,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０３９】
52,-1,-1,147,-1,-1,-1,1,-1,-1,-1,-1,-1,-1,-1,-1,-1,-1,-1,-1,16,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０４０】
1,-1,-1,-1,-1,-1,-1,-1,-1,-1,-1,-1,202,-1,-1,118,130,1,-1,-1,-1,2,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０４１】
173,6,-1,-1,-1,-1,-1,-1,-1,-1,81,-1,-1,182,-1,-1,-1,-1,53,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０４２】
-1,88,-1,198,-1,-1,-1,-1,-1,-1,-1,160,-1,-1,-1,-1,-1,-1,-1,-1,122,-1,182,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０４３】
91,-1,-1,-1,-1,-1,-1,-1,-1,-1,-1,-1,-1,-1,184,-1,30,3,-1,-1,-1,155,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１０４４】
-1,1,-1,-1,-1,-1,-1,-1,-1,-1,-1,-1,41,167,-1,-1,-1,-1,68,148,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１０４５】
12,6,-1,-1,-1,-1,-1,166,184,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１０４６】
6,-1,-1,12,-1,-1,-1,-1,-1,15,-1,5,-1,-1,-1,-1,-1,-1,-1,-1,-1,-1,30,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１０４７】
-1,6,-1,-1,-1,86,-1,-1,-1,-1,-1,-1,-1,-1,-1,-1,96,-1,-1,-1,42,199,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１０４８】
44,-1,-1,-1,-1,-1,-1,-1,-1,-1,-1,-1,58,130,-1,-1,-1,131,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１０４９】
-1,45,18,-1,-1,-1,-1,-1,-1,-1,132,-1,-1,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１０５０】
9,-1,-1,125,191,-1,-1,-1,-1,-1,-1,28,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１０５１】
-1,4,-1,-1,-1,-1,74,16,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１０５２】
21,-1,142,-1,192,-1,-1,-1,-1,-1,-1,-1,-1,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１０５３】
-1,98,-1,-1,-1,-1,140,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１０５４】
4,-1,-1,-1,1,-1,-1,-1,-1,-1,-1,-1,-1,-1,-1,-1,-1,-1,-1,40,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１０５５】
-1,92,-1,-1,-1,-1,-1,-1,-1,-1,-1,-1,-1,-1,136,-1,-1,-1,106,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１０５６】
2,-1,-1,-1,-1,-1,-1,-1,-1,-1,88,-1,-1,112,-1,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１０５７】
-1,4,-1,-1,-1,-1,-1,49,-1,-1,-1,-1,-1,-1,-1,-1,-1,-1,-1,-1,-1,-1,125,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１０５８】
6,-1,-1,-1,-1,-1,-1,-1,-1,-1,-1,-1,126,-1,63,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１０５９】
-1,10,30,-1,-1,-1,-1,-1,-1,-1,-1,6,-1,-1,-1,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１０６０】
4,-1,-1,-1,-1,-1,-1,153,-1,-1,-1,-1,-1,-1,-1,197,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１０６１】
-1,4,-1,-1,-1,-1,45,-1,-1,-1,-1,-1,168,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１０６２】
6,-1,-1,-1,-1,-1,-1,-1,-1,-1,-1,-1,-1,-1,200,177,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１０６３】
-1,82,-1,-1,-1,-1,-1,-1,-1,-1,-1,-1,-1,2,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１０６４】
91,-1,-1,-1,-1,-1,-1,-1,-1,64,198,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１０６５】
-1,4,-1,28,-1,-1,-1,109,-1,-1,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１０６６】
10,-1,-1,-1,-1,-1,-1,-1,84,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１０６７】
-1,2,-1,75,-1,-1,-1,-1,-1,142,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１０６８】
163,-1,-1,-1,10,-1,-1,-1,-1,-1,-1,-1,-1,-1,-1,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１０６９】
-1,1,-1,-1,-1,-1,-1,-1,-1,-1,-1,-1,-1,-1,-1,-1,163,-1,99,-1,-1,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１０７０】
4,-1,-1,-1,-1,-1,-1,6,-1,142,-1,-1,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１０７１】
-1,181,-1,-1,-1,-1,45,-1,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１０７２】
係数行列８は以下の通りである：
【１０７３】
106,22,2,232,-1,109,166,-1,-1,29,162,123,102,144,-1,18,73,-1,233,93,54,147,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７４】
66,-1,201,214,137,103,-1,94,190,128,-1,175,74,-1,216,86,29,154,-1,68,-1,97,1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７５】
138,67,90,-1,68,37,221,80,75,196,169,-1,-1,208,170,165,-1,177,4,124,134,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７６】
82,44,-1,125,208,-1,157,179,175,-1,91,13,110,140,123,-1,166,152,238,-1,167,39,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７７】
68,37,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７８】
156,31,-1,50,-1,-1,-1,-1,-1,-1,-1,-1,79,-1,-1,-1,88,-1,-1,-1,-1,29,176,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０７９】
68,-1,-1,-1,-1,-1,17,-1,-1,-1,75,194,-1,195,-1,-1,-1,214,43,-1,112,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８０】
234,11,-1,-1,136,-1,-1,76,184,-1,-1,-1,-1,-1,195,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８１】
0,97,-1,196,-1,-1,-1,-1,-1,-1,-1,-1,187,-1,-1,-1,169,-1,-1,199,-1,118,129,-1,10,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８２】
74,59,-1,-1,-1,-1,-1,-1,-1,-1,92,169,-1,225,-1,-1,-1,138,46,-1,221,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８３】
-1,23,158,-1,170,-1,-1,183,125,-1,-1,-1,-1,-1,47,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８４】
191,83,-1,-1,-1,-1,-1,-1,-1,-1,-1,-1,225,-1,-1,-1,19,-1,-1,-1,-1,195,29,15,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８５】
231,204,-1,-1,-1,-1,-1,-1,-1,-1,163,99,-1,231,-1,-1,-1,-1,2,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８６】
15,-1,-1,11,-1,-1,-1,4,-1,-1,-1,-1,-1,-1,-1,-1,-1,-1,-1,-1,17,-1,-1,163,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８７】
131,-1,-1,-1,-1,-1,-1,-1,-1,-1,-1,-1,20,-1,-1,104,104,133,-1,-1,-1,199,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８８】
223,194,-1,-1,-1,-1,-1,-1,-1,-1,136,-1,-1,192,-1,-1,-1,-1,16,-1,-1,-1,-1,-1,-1,49,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０８９】
-1,98,-1,79,-1,-1,-1,-1,-1,-1,-1,235,-1,-1,-1,-1,-1,-1,-1,-1,7,-1,97,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１０９０】
224,-1,-1,-1,-1,-1,-1,-1,-1,-1,-1,-1,-1,-1,177,-1,229,14,-1,-1,-1,36,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１０９１】
-1,230,-1,-1,-1,-1,-1,-1,-1,-1,-1,-1,147,171,-1,-1,-1,-1,48,79,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１０９２】
7,178,-1,-1,-1,-1,-1,105,75,-1,230,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１０９３】
229,-1,-1,100,-1,-1,-1,-1,-1,229,-1,30,-1,-1,-1,-1,-1,-1,-1,-1,-1,-1,202,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１０９４】
-1,145,-1,-1,-1,199,-1,-1,-1,-1,-1,-1,-1,-1,-1,-1,167,-1,-1,-1,74,164,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１０９５】
89,-1,-1,-1,-1,-1,-1,-1,-1,-1,-1,-1,130,203,-1,-1,-1,199,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１０９６】
-1,204,144,-1,-1,-1,-1,-1,-1,-1,78,-1,-1,-1,-1,-1,-1,-1,210,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１０９７】
213,-1,-1,202,216,-1,-1,-1,-1,-1,-1,34,-1,-1,-1,-1,-1,-1,-1,-1,-1,-1,129,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１０９８】
-1,51,-1,-1,-1,-1,186,152,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１０９９】
150,-1,7,-1,173,-1,-1,-1,-1,-1,-1,-1,-1,-1,-1,224,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１１００】
-1,58,-1,-1,-1,-1,11,-1,194,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１１０１】
103,-1,-1,-1,161,-1,-1,-1,-1,-1,-1,-1,-1,-1,-1,-1,-1,-1,-1,188,-1,189,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１１０２】
-1,180,-1,-1,-1,-1,-1,-1,-1,-1,-1,-1,-1,-1,222,-1,-1,-1,175,-1,-1,-1,-1,-1,-1,144,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１１０３】
171,-1,-1,-1,-1,-1,-1,-1,-1,-1,55,-1,-1,69,-1,-1,-1,-1,-1,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１１０４】
-1,0,-1,-1,-1,-1,-1,91,-1,-1,-1,-1,-1,-1,-1,-1,-1,-1,-1,-1,-1,-1,142,-1,-1,164,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１１０５】
2,-1,-1,-1,-1,-1,-1,-1,-1,-1,-1,-1,63,-1,234,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１１０６】
-1,202,178,-1,-1,-1,-1,-1,-1,-1,-1,234,-1,-1,-1,-1,-1,-1,-1,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１１０７】
98,-1,-1,-1,-1,-1,-1,94,-1,-1,-1,-1,-1,-1,-1,73,-1,15,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１１０８】
-1,33,-1,-1,-1,-1,14,-1,-1,-1,-1,-1,104,-1,-1,-1,-1,-1,-1,-1,-1,-1,126,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１１０９】
223,-1,-1,-1,-1,-1,-1,-1,-1,-1,-1,-1,-1,-1,47,170,-1,-1,117,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１１１０】
-1,164,-1,-1,-1,-1,-1,-1,-1,-1,-1,-1,-1,81,-1,-1,-1,-1,-1,-1,-1,-1,-1,30,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１１１１】
206,-1,-1,-1,-1,-1,-1,-1,-1,120,121,-1,29,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１１１２】
-1,81,-1,134,-1,-1,-1,13,-1,-1,-1,-1,-1,-1,-1,-1,-1,-1,-1,236,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１１１３】
180,-1,-1,-1,-1,-1,-1,-1,116,-1,-1,-1,-1,-1,-1,-1,-1,231,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１１１４】
-1,130,-1,161,-1,-1,-1,-1,-1,24,-1,-1,-1,-1,-1,-1,-1,-1,202,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１１１５】
33,-1,-1,-1,50,-1,-1,-1,-1,-1,-1,-1,-1,-1,-1,-1,-1,-1,-1,-1,-1,-1,-1,-1,106,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１１１６】
-1,150,-1,-1,-1,-1,-1,-1,-1,-1,-1,-1,-1,-1,-1,-1,238,-1,108,-1,-1,-1,-1,-1,-1,219,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１１１７】
171,-1,-1,-1,-1,-1,-1,51,-1,236,-1,-1,-1,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１１１８】
-1,164,-1,-1,-1,-1,167,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１１１９】
係数行列によってサポートされる全リフトサイズはリフトサイズサブセットＺｓｅｔｉに対応し、ｉ＝１，２，３，・・・，８である。ｉ番目セットＺ０ｓｅｔｉは係数行列ｉに対応し、ｉ＝１，２，３，・・・，８である。
【１１２０】
オプション実装モードにおいて、第１係数行列セットは、以下のうち少なくとも１つの４６行６８列の係数行列を有する。
【１１２１】
係数行列１は以下の通りである：
【１１２２】
132,186,219,253,-1,42,235,-1,-1,10,128,51,135,40,-1,112,246,-1,8,75,43,222,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２３】
37,-1,245,63,19,179,-1,188,179,209,-1,184,123,-1,6,3,101,99,-1,70,-1,168,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２４】
235,243,80,-1,124,23,81,107,12,88,24,-1,-1,63,203,225,-1,160,84,103,61,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２５】
1,238,-1,181,250,-1,174,148,27,-1,27,109,165,9,189,-1,248,5,16,-1,87,167,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２６】
69,222,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２７】
201,167,-1,59,-1,-1,-1,-1,-1,-1,-1,-1,118,-1,-1,-1,88,-1,-1,-1,-1,101,182,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２８】
232,-1,-1,-1,-1,-1,145,-1,-1,-1,148,37,-1,199,-1,-1,-1,17,31,-1,252,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１２９】
217,148,-1,-1,4,-1,-1,0,98,-1,-1,-1,-1,-1,254,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３０】
209,97,-1,55,-1,-1,-1,-1,-1,-1,-1,-1,129,-1,-1,-1,223,-1,-1,182,-1,239,77,-1,225,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３１】
67,40,-1,-1,-1,-1,-1,-1,-1,-1,66,79,-1,156,-1,-1,-1,73,112,-1,136,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３２】
-1,109,3,-1,184,-1,-1,177,254,-1,-1,-1,-1,-1,118,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３３】
175,92,-1,-1,-1,-1,-1,-1,-1,-1,-1,-1,113,-1,-1,-1,229,-1,-1,-1,-1,217,68,165,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３４】
36,254,-1,-1,-1,-1,-1,-1,-1,-1,220,150,-1,105,-1,-1,-1,-1,214,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３５】
108,-1,-1,178,-1,-1,-1,208,-1,-1,-1,-1,-1,-1,-1,-1,-1,-1,-1,-1,24,-1,-1,17,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３６】
69,-1,-1,-1,-1,-1,-1,-1,-1,-1,-1,-1,228,-1,-1,238,39,25,-1,-1,-1,78,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３７】
229,133,-1,-1,-1,-1,-1,-1,-1,-1,67,-1,-1,176,-1,-1,-1,-1,68,-1,-1,-1,-1,-1,-1,70,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３８】
-1,229,-1,156,-1,-1,-1,-1,-1,-1,-1,83,-1,-1,-1,-1,-1,-1,-1,-1,7,-1,126,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１３９】
133,-1,-1,-1,-1,-1,-1,-1,-1,-1,-1,-1,-1,-1,41,-1,169,29,-1,-1,-1,132,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１１４０】
-1,148,-1,-1,-1,-1,-1,-1,-1,-1,-1,-1,113,112,-1,-1,-1,-1,162,79,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１１４１】
123,97,-1,-1,-1,-1,-1,224,160,-1,249,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１１４２】
184,-1,-1,128,-1,-1,-1,-1,-1,87,-1,177,-1,-1,-1,-1,-1,-1,-1,-1,-1,-1,52,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１１４３】
-1,157,-1,-1,-1,76,-1,-1,-1,-1,-1,-1,-1,-1,-1,-1,178,-1,-1,-1,179,244,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１１４４】
169,-1,-1,-1,-1,-1,-1,-1,-1,-1,-1,-1,10,32,-1,-1,-1,240,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１１４５】
-1,190,177,-1,-1,-1,-1,-1,-1,-1,237,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１１４６】
63,-1,-1,3,65,-1,-1,-1,-1,-1,-1,245,-1,-1,-1,-1,-1,-1,-1,-1,-1,-1,214,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１１４７】
-1,29,-1,-1,-1,-1,0,0,-1,-1,-1,-1,-1,-1,16,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１１４８】
3,-1,0,-1,25,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１１４９】
-1,0,-1,-1,-1,-1,12,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１１５０】
11,-1,-1,-1,0,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１１５１】
-1,4,-1,-1,-1,-1,-1,-1,-1,-1,-1,-1,-1,-1,15,-1,-1,-1,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１１５２】
0,-1,-1,-1,-1,-1,-1,-1,-1,-1,0,-1,-1,0,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１１５３】
-1,0,-1,-1,-1,-1,-1,10,-1,-1,-1,-1,-1,-1,-1,-1,-1,-1,-1,-1,-1,-1,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１１５４】
0,-1,-1,-1,-1,-1,-1,-1,-1,-1,-1,-1,0,-1,19,-1,-1,-1,-1,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１１５５】
-1,0,0,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１１５６】
24,-1,-1,-1,-1,-1,-1,21,-1,-1,-1,-1,-1,-1,-1,0,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１１５７】
-1,14,-1,-1,-1,-1,28,-1,-1,-1,-1,-1,0,-1,-1,-1,-1,-1,-1,-1,-1,-1,27,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１１５８】
0,-1,-1,-1,-1,-1,-1,-1,-1,-1,-1,-1,-1,-1,17,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１１５９】
-1,0,-1,-1,-1,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１１６０】
18,-1,-1,-1,-1,-1,-1,-1,-1,1,0,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１１６１】
-1,31,-1,0,-1,-1,-1,0,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１１６２】
0,-1,-1,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１１６３】
-1,0,-1,0,-1,-1,-1,-1,-1,0,-1,-1,-1,-1,-1,-1,-1,-1,9,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１１６４】
0,-1,-1,-1,0,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１１６５】
-1,0,-1,-1,-1,-1,-1,-1,-1,-1,-1,-1,-1,-1,-1,-1,0,-1,0,-1,-1,-1,-1,-1,-1,30,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１１６６】
0,-1,-1,-1,-1,-1,-1,8,-1,0,-1,-1,-1,-1,-1,-1,-1,-1,-1,-1,-1,-1,7,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１１６７】
-1,13,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１１６８】
係数行列２は以下の通りである：
【１１６９】
169,118,114,114,-1,190,127,-1,-1,53,89,180,169,132,-1,165,36,-1,28,30,105,103,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７０】
125,-1,159,191,60,143,-1,82,121,69,-1,106,33,-1,94,127,49,176,-1,48,-1,106,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７１】
124,87,71,-1,31,2,64,88,5,95,48,-1,-1,109,160,137,-1,159,116,44,185,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７２】
87,145,-1,107,80,-1,30,20,38,-1,163,169,116,90,15,-1,142,6,57,-1,33,131,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７３】
48,49,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７４】
58,99,-1,87,-1,-1,-1,-1,-1,-1,-1,-1,21,-1,-1,-1,190,-1,-1,-1,-1,152,71,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７５】
6,-1,-1,-1,-1,-1,57,-1,-1,-1,90,9,-1,166,-1,-1,-1,131,22,-1,191,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７６】
126,145,-1,-1,159,-1,-1,46,176,-1,-1,-1,-1,-1,181,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７７】
85,117,-1,32,-1,-1,-1,-1,-1,-1,-1,-1,75,-1,-1,-1,24,-1,-1,139,-1,64,80,-1,144,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７８】
57,149,-1,-1,-1,-1,-1,-1,-1,-1,28,44,-1,63,-1,-1,-1,54,46,-1,106,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１７９】
-1,168,153,-1,132,-1,-1,191,148,-1,-1,-1,-1,-1,100,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８０】
125,153,-1,-1,-1,-1,-1,-1,-1,-1,-1,-1,37,-1,-1,-1,164,-1,-1,-1,-1,22,25,177,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８１】
30,86,-1,-1,-1,-1,-1,-1,-1,-1,28,138,-1,5,-1,-1,-1,-1,160,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８２】
177,-1,-1,129,-1,-1,-1,21,-1,-1,-1,-1,-1,-1,-1,-1,-1,-1,-1,-1,23,-1,-1,19,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８３】
62,-1,-1,-1,-1,-1,-1,-1,-1,-1,-1,-1,12,-1,-1,149,123,40,-1,-1,-1,84,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８４】
136,32,-1,-1,-1,-1,-1,-1,-1,-1,36,-1,-1,91,-1,-1,-1,-1,57,-1,-1,-1,-1,-1,-1,122,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８５】
-1,15,-1,68,-1,-1,-1,-1,-1,-1,-1,76,-1,-1,-1,-1,-1,-1,-1,-1,147,-1,62,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８６】
169,-1,-1,-1,-1,-1,-1,-1,-1,-1,-1,-1,-1,-1,71,-1,120,132,-1,-1,-1,116,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１１８７】
-1,12,-1,-1,-1,-1,-1,-1,-1,-1,-1,-1,178,91,-1,-1,-1,-1,72,33,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１１８８】
160,73,-1,-1,-1,-1,-1,78,106,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１１８９】
155,-1,-1,13,-1,-1,-1,-1,-1,25,-1,4,-1,-1,-1,-1,-1,-1,-1,-1,-1,-1,179,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１１９０】
-1,79,-1,-1,-1,37,-1,-1,-1,-1,-1,-1,-1,-1,-1,-1,118,-1,-1,-1,51,153,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１１９１】
137,-1,-1,-1,-1,-1,-1,-1,-1,-1,-1,-1,81,43,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１１９２】
-1,38,149,-1,-1,-1,-1,-1,-1,-1,135,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１１９３】
83,-1,-1,39,51,-1,-1,-1,-1,-1,-1,178,-1,-1,-1,-1,-1,-1,-1,-1,-1,-1,134,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１１９４】
-1,22,-1,-1,-1,-1,17,0,-1,-1,-1,-1,-1,-1,11,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１１９５】
0,-1,0,-1,0,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１１９６】
-1,9,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１１９７】
12,-1,-1,-1,0,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１１９８】
-1,0,-1,-1,-1,-1,-1,-1,-1,-1,-1,-1,-1,-1,16,-1,-1,-1,0,-1,-1,-1,-1,-1,-1,2,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１１９９】
0,-1,-1,-1,-1,-1,-1,-1,-1,-1,199,-1,-1,0,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１２００】
-1,0,-1,-1,-1,-1,-1,0,-1,-1,-1,-1,-1,-1,-1,-1,-1,-1,-1,-1,-1,-1,22,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１２０１】
202,-1,-1,-1,-1,-1,-1,-1,-1,-1,-1,-1,23,-1,0,-1,-1,-1,-1,-1,-1,-1,-1,-1,192,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１２０２】
-1,0,0,-1,-1,-1,-1,-1,-1,-1,-1,12,-1,-1,-1,-1,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１２０３】
20,-1,-1,-1,-1,-1,-1,0,-1,-1,-1,-1,-1,-1,-1,4,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１２０４】
-1,3,-1,-1,-1,-1,192,-1,-1,-1,-1,-1,13,-1,-1,-1,-1,-1,-1,-1,-1,-1,192,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１２０５】
0,-1,-1,-1,-1,-1,-1,-1,-1,-1,-1,-1,-1,-1,13,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１２０６】
-1,8,-1,-1,-1,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１２０７】
206,-1,-1,-1,-1,-1,-1,-1,-1,5,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１２０８】
-1,212,-1,0,-1,-1,-1,0,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１２０９】
192,-1,-1,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１２１０】
-1,0,-1,0,-1,-1,-1,-1,-1,207,-1,-1,-1,-1,-1,-1,-1,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１２１１】
0,-1,-1,-1,15,-1,-1,-1,-1,-1,-1,-1,-1,-1,-1,-1,-1,-1,-1,-1,-1,-1,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１２１２】
-1,213,-1,-1,-1,-1,-1,-1,-1,-1,-1,-1,-1,-1,-1,-1,19,-1,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１２１３】
0,-1,-1,-1,-1,-1,-1,0,-1,0,-1,-1,-1,-1,-1,-1,-1,-1,-1,-1,-1,-1,16,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１２１４】
-1,11,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１２１５】
係数行列３は以下の通りである：
【１２１６】
98,24,28,92,-1,124,148,-1,-1,72,41,88,142,118,-1,67,45,-1,43,129,39,6,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２１７】
39,-1,51,94,147,73,-1,133,69,83,-1,67,135,-1,133,121,10,40,-1,65,-1,123,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２１８】
75,130,144,-1,122,90,55,139,40,10,143,-1,-1,109,5,97,-1,2,82,50,34,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２１９】
131,22,-1,4,133,-1,4,80,114,-1,138,77,157,102,84,-1,93,4,26,-1,92,120,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２０】
142,69,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２１】
136,137,-1,92,-1,-1,-1,-1,-1,-1,-1,-1,110,-1,-1,-1,37,-1,-1,-1,-1,137,70,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２２】
121,-1,-1,-1,-1,-1,121,-1,-1,-1,16,16,-1,30,-1,-1,-1,38,97,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２３】
33,56,-1,-1,9,-1,-1,159,144,-1,-1,-1,-1,-1,21,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２４】
3,157,-1,89,-1,-1,-1,-1,-1,-1,-1,-1,127,-1,-1,-1,85,-1,-1,110,-1,125,129,-1,126,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２５】
38,50,-1,-1,-1,-1,-1,-1,-1,-1,150,142,-1,23,-1,-1,-1,153,79,-1,56,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２６】
-1,87,127,-1,144,-1,-1,68,50,-1,-1,-1,-1,-1,31,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２７】
40,130,-1,-1,-1,-1,-1,-1,-1,-1,-1,-1,147,-1,-1,-1,40,-1,-1,-1,-1,39,105,158,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２８】
134,33,-1,-1,-1,-1,-1,-1,-1,-1,100,81,-1,141,-1,-1,-1,-1,91,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２２９】
144,-1,-1,71,-1,-1,-1,135,-1,-1,-1,-1,-1,-1,-1,-1,-1,-1,-1,-1,139,-1,-1,78,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２３０】
34,-1,-1,-1,-1,-1,-1,-1,-1,-1,-1,-1,136,-1,-1,110,1,156,-1,-1,-1,151,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２３１】
131,6,-1,-1,-1,-1,-1,-1,-1,-1,52,-1,-1,141,-1,-1,-1,-1,119,-1,-1,-1,-1,-1,-1,31,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２３２】
-1,69,-1,56,-1,-1,-1,-1,-1,-1,-1,90,-1,-1,-1,-1,-1,-1,-1,-1,10,-1,18,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２３３】
78,-1,-1,-1,-1,-1,-1,-1,-1,-1,-1,-1,-1,-1,20,-1,116,101,-1,-1,-1,1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１２３４】
-1,7,-1,-1,-1,-1,-1,-1,-1,-1,-1,-1,12,21,-1,-1,-1,-1,53,23,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１２３５】
19,100,-1,-1,-1,-1,-1,96,154,-1,116,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１２３６】
157,-1,-1,17,-1,-1,-1,-1,-1,55,-1,138,-1,-1,-1,-1,-1,-1,-1,-1,-1,-1,31,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１２３７】
-1,139,-1,-1,-1,113,-1,-1,-1,-1,-1,-1,-1,-1,-1,-1,75,-1,-1,-1,56,116,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１２３８】
48,-1,-1,-1,-1,-1,-1,-1,-1,-1,-1,-1,44,71,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１２３９】
-1,120,15,-1,-1,-1,-1,-1,-1,-1,13,-1,-1,-1,-1,-1,-1,-1,38,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１２４０】
104,-1,-1,49,65,-1,-1,-1,-1,-1,-1,74,-1,-1,-1,-1,-1,-1,-1,-1,-1,-1,114,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１２４１】
-1,39,-1,-1,-1,-1,0,0,-1,-1,-1,-1,-1,-1,107,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１２４２】
10,-1,0,-1,0,-1,-1,-1,-1,-1,-1,-1,-1,-1,-1,36,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１２４３】
-1,31,-1,-1,-1,-1,160,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１２４４】
80,-1,-1,-1,0,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１２４５】
-1,113,-1,-1,-1,-1,-1,-1,-1,-1,-1,-1,-1,-1,0,-1,-1,-1,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１２４６】
0,-1,-1,-1,-1,-1,-1,-1,-1,-1,0,-1,-1,0,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１２４７】
-1,0,-1,-1,-1,-1,-1,97,-1,-1,-1,-1,-1,-1,-1,-1,-1,-1,-1,-1,-1,-1,20,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１２４８】
0,-1,-1,-1,-1,-1,-1,-1,-1,-1,-1,-1,0,-1,0,-1,-1,-1,-1,-1,-1,-1,-1,-1,15,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１２４９】
-1,178,0,-1,-1,-1,-1,-1,-1,-1,-1,160,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１２５０】
16,-1,-1,-1,-1,-1,-1,266,-1,-1,-1,-1,-1,-1,-1,240,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１２５１】
-1,0,-1,-1,-1,-1,160,-1,-1,-1,-1,-1,183,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１２５２】
0,-1,-1,-1,-1,-1,-1,-1,-1,-1,-1,-1,-1,-1,19,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１２５３】
-1,38,-1,-1,-1,-1,-1,-1,-1,-1,-1,-1,-1,80,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１２５４】
197,-1,-1,-1,-1,-1,-1,-1,-1,0,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１２５５】
-1,25,-1,0,-1,-1,-1,0,-1,-1,-1,-1,-1,-1,-1,-1,-1,-1,-1,24,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１２５６】
21,-1,-1,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１２５７】
-1,29,-1,0,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１２５８】
0,-1,-1,-1,35,-1,-1,-1,-1,-1,-1,-1,-1,-1,-1,-1,-1,-1,-1,-1,-1,-1,-1,-1,32,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１２５９】
-1,30,-1,-1,-1,-1,-1,-1,-1,-1,-1,-1,-1,-1,-1,-1,0,-1,0,-1,-1,-1,-1,-1,-1,13,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１２６０】
0,-1,-1,-1,-1,-1,-1,80,-1,0,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１２６１】
-1,182,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１２６２】
係数行列４は以下の通りである：
【１２６３】
67,49,179,180,-1,44,209,-1,-1,5,10,143,123,130,-1,84,29,-1,49,168,217,104,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６４】
101,-1,105,195,79,124,-1,76,108,165,-1,5,88,-1,215,190,8,98,-1,54,-1,37,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６５】
174,66,163,-1,194,111,107,152,153,163,210,-1,-1,27,121,131,-1,41,190,199,146,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６６】
36,63,-1,31,38,-1,15,51,148,-1,181,107,112,180,203,-1,42,191,103,-1,168,215,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６７】
86,209,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６８】
126,210,-1,112,-1,-1,-1,-1,-1,-1,-1,-1,136,-1,-1,-1,64,-1,-1,-1,-1,84,184,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２６９】
140,-1,-1,-1,-1,-1,214,-1,-1,-1,113,80,-1,16,-1,-1,-1,191,0,-1,67,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７０】
214,171,-1,-1,162,-1,-1,25,0,-1,-1,-1,-1,-1,222,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７１】
145,52,-1,31,-1,-1,-1,-1,-1,-1,-1,-1,135,-1,-1,-1,61,-1,-1,1,-1,23,30,-1,183,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７２】
105,52,-1,-1,-1,-1,-1,-1,-1,-1,25,27,-1,27,-1,-1,-1,99,15,-1,47,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７３】
-1,211,60,-1,92,-1,-1,136,10,-1,-1,-1,-1,-1,108,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７４】
33,157,-1,-1,-1,-1,-1,-1,-1,-1,-1,-1,85,-1,-1,-1,93,-1,-1,-1,-1,204,125,146,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７５】
23,173,-1,-1,-1,-1,-1,-1,-1,-1,185,153,-1,154,-1,-1,-1,-1,88,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７６】
34,-1,-1,215,-1,-1,-1,91,-1,-1,-1,-1,-1,-1,-1,-1,-1,-1,-1,-1,78,-1,-1,112,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７７】
194,-1,-1,-1,-1,-1,-1,-1,-1,-1,-1,-1,97,-1,-1,90,221,101,-1,-1,-1,113,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７８】
177,119,-1,-1,-1,-1,-1,-1,-1,-1,38,-1,-1,80,-1,-1,-1,-1,42,-1,-1,-1,-1,-1,-1,125,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２７９】
-1,95,-1,115,-1,-1,-1,-1,-1,-1,-1,202,-1,-1,-1,-1,-1,-1,-1,-1,114,-1,167,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１２８０】
164,-1,-1,-1,-1,-1,-1,-1,-1,-1,-1,-1,-1,-1,145,-1,199,100,-1,-1,-1,16,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１２８１】
-1,88,-1,-1,-1,-1,-1,-1,-1,-1,-1,-1,102,153,-1,-1,-1,-1,122,169,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１２８２】
0,210,-1,-1,-1,-1,-1,125,181,-1,44,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１２８３】
180,-1,-1,75,-1,-1,-1,-1,-1,144,-1,25,-1,-1,-1,-1,-1,-1,-1,-1,-1,-1,187,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１２８４】
-1,101,-1,-1,-1,31,-1,-1,-1,-1,-1,-1,-1,-1,-1,-1,26,-1,-1,-1,135,76,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１２８５】
151,-1,-1,-1,-1,-1,-1,-1,-1,-1,-1,-1,22,72,-1,-1,-1,39,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１２８６】
-1,208,185,-1,-1,-1,-1,-1,-1,-1,46,-1,-1,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１２８７】
177,-1,-1,38,56,-1,-1,-1,-1,-1,-1,82,-1,-1,-1,-1,-1,-1,-1,-1,-1,-1,59,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１２８８】
-1,25,-1,-1,-1,-1,0,23,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１２８９】
13,-1,0,-1,0,-1,-1,-1,-1,-1,-1,-1,-1,-1,-1,16,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１２９０】
-1,12,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１２９１】
0,-1,-1,-1,22,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１２９２】
-1,0,-1,-1,-1,-1,-1,-1,-1,-1,-1,-1,-1,-1,24,-1,-1,-1,1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１２９３】
0,-1,-1,-1,-1,-1,-1,-1,-1,-1,25,-1,-1,0,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１２９４】
-1,0,-1,-1,-1,-1,-1,0,-1,-1,-1,-1,-1,-1,-1,-1,-1,-1,-1,-1,-1,-1,15,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１２９５】
0,-1,-1,-1,-1,-1,-1,-1,-1,-1,-1,-1,27,-1,0,-1,-1,-1,-1,-1,-1,-1,-1,-1,17,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１２９６】
-1,0,0,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１２９７】
18,-1,-1,-1,-1,-1,-1,11,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１２９８】
-1,9,-1,-1,-1,-1,0,-1,-1,-1,-1,-1,0,-1,-1,-1,-1,-1,-1,-1,-1,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１２９９】
0,-1,-1,-1,-1,-1,-1,-1,-1,-1,-1,-1,-1,-1,19,0,-1,-1,6,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１３００】
-1,0,-1,-1,-1,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１３０１】
0,-1,-1,-1,-1,-1,-1,-1,-1,4,0,-1,14,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１３０２】
-1,5,-1,0,-1,-1,-1,0,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１３０３】
7,-1,-1,-1,-1,-1,-1,-1,2,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１３０４】
-1,10,-1,0,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１３０５】
27,-1,-1,-1,0,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１３０６】
-1,0,-1,-1,-1,-1,-1,-1,-1,-1,-1,-1,-1,-1,-1,-1,0,-1,26,-1,-1,-1,-1,-1,-1,8,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１３０７】
0,-1,-1,-1,-1,-1,-1,0,-1,0,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１３０８】
-1,0,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１３０９】
係数行列５は以下の通りである：
【１３１０】
63,62,118,133,-1,28,133,-1,-1,50,67,68,27,15,-1,85,70,-1,13,91,137,118,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１１】
129,-1,107,26,124,130,-1,138,50,25,-1,16,133,-1,72,135,8,68,-1,83,-1,52,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１２】
102,50,19,-1,44,102,84,87,24,31,82,-1,-1,5,38,56,-1,82,40,30,128,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１３】
28,137,-1,50,14,-1,55,45,79,-1,85,115,47,91,143,-1,139,21,140,-1,100,6,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１４】
5,89,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１５】
84,139,-1,92,-1,-1,-1,-1,-1,-1,-1,-1,24,-1,-1,-1,132,-1,-1,-1,-1,135,44,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１６】
70,-1,-1,-1,-1,-1,20,-1,-1,-1,88,93,-1,103,-1,-1,-1,102,27,-1,141,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１７】
83,135,-1,-1,9,-1,-1,89,18,-1,-1,-1,-1,-1,99,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１８】
113,68,-1,141,-1,-1,-1,-1,-1,-1,-1,-1,84,-1,-1,-1,135,-1,-1,143,-1,106,118,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３１９】
119,22,-1,-1,-1,-1,-1,-1,-1,-1,94,44,-1,122,-1,-1,-1,93,31,-1,94,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２０】
-1,45,20,-1,85,-1,-1,112,18,-1,-1,-1,-1,-1,134,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２１】
127,90,-1,-1,-1,-1,-1,-1,-1,-1,-1,-1,6,-1,-1,-1,9,-1,-1,-1,-1,36,126,5,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２２】
135,81,-1,-1,-1,-1,-1,-1,-1,-1,91,61,-1,45,-1,-1,-1,-1,9,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２３】
94,-1,-1,110,-1,-1,-1,121,-1,-1,-1,-1,-1,-1,-1,-1,-1,-1,-1,-1,80,-1,-1,86,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２４】
90,-1,-1,-1,-1,-1,-1,-1,-1,-1,-1,-1,58,-1,-1,127,113,17,-1,-1,-1,53,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２５】
40,114,-1,-1,-1,-1,-1,-1,-1,-1,19,-1,-1,128,-1,-1,-1,-1,51,-1,-1,-1,-1,-1,-1,59,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２６】
-1,95,-1,41,-1,-1,-1,-1,-1,-1,-1,96,-1,-1,-1,-1,-1,-1,-1,-1,102,-1,133,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２７】
109,-1,-1,-1,-1,-1,-1,-1,-1,-1,-1,-1,-1,-1,67,-1,28,1,-1,-1,-1,7,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１３２８】
-1,109,-1,-1,-1,-1,-1,-1,-1,-1,-1,-1,137,43,-1,-1,-1,-1,98,99,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１３２９】
12,91,-1,-1,-1,-1,-1,136,70,-1,75,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１３３０】
105,-1,-1,142,-1,-1,-1,-1,-1,120,-1,100,-1,-1,-1,-1,-1,-1,-1,-1,-1,-1,15,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１３３１】
-1,70,-1,-1,-1,3,-1,-1,-1,-1,-1,-1,-1,-1,-1,-1,140,-1,-1,-1,48,104,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１３３２】
98,-1,-1,-1,-1,-1,-1,-1,-1,-1,-1,-1,6,127,-1,-1,-1,56,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１３３３】
-1,100,112,-1,-1,-1,-1,-1,-1,-1,6,-1,-1,-1,-1,-1,-1,-1,22,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１３３４】
61,-1,-1,19,97,-1,-1,-1,-1,-1,-1,8,-1,-1,-1,-1,-1,-1,-1,-1,-1,-1,50,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１３３５】
-1,34,-1,-1,-1,-1,0,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１３３６】
1,-1,0,-1,0,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１３３７】
-1,13,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１３３８】
0,-1,-1,-1,32,-1,-1,-1,-1,-1,-1,-1,-1,-1,-1,-1,-1,-1,-1,22,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１３３９】
-1,29,-1,-1,-1,-1,-1,-1,-1,-1,-1,-1,-1,-1,144,-1,-1,-1,0,-1,-1,-1,-1,-1,-1,17,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１３４０】
168,-1,-1,-1,-1,-1,-1,-1,-1,-1,0,-1,-1,0,-1,-1,-1,-1,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１３４１】
-1,0,-1,-1,-1,-1,-1,0,-1,-1,-1,-1,-1,-1,-1,-1,-1,-1,-1,-1,-1,-1,12,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１３４２】
0,-1,-1,-1,-1,-1,-1,-1,-1,-1,-1,-1,11,-1,144,-1,-1,-1,-1,-1,-1,-1,-1,-1,18,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１３４３】
-1,0,0,-1,-1,-1,-1,-1,-1,-1,-1,19,-1,-1,-1,-1,-1,-1,-1,-1,-1,5,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１３４４】
25,-1,-1,-1,-1,-1,-1,0,-1,-1,-1,-1,-1,-1,-1,0,-1,27,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１３４５】
-1,0,-1,-1,-1,-1,0,-1,-1,-1,-1,-1,0,-1,-1,-1,-1,-1,-1,-1,-1,-1,33,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１３４６】
34,-1,-1,-1,-1,-1,-1,-1,-1,-1,-1,-1,-1,-1,0,0,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１３４７】
-1,14,-1,-1,-1,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１３４８】
2,-1,-1,-1,-1,-1,-1,-1,-1,26,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１３４９】
-1,144,-1,144,-1,-1,-1,159,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１３５０】
0,-1,-1,-1,-1,-1,-1,-1,0,-1,-1,-1,-1,-1,-1,-1,-1,9,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１３５１】
-1,34,-1,0,-1,-1,-1,-1,-1,0,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１３５２】
3,-1,-1,-1,0,-1,-1,-1,-1,-1,-1,-1,-1,-1,-1,-1,-1,-1,-1,-1,-1,-1,-1,-1,31,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１３５３】
-1,4,-1,-1,-1,-1,-1,-1,-1,-1,-1,-1,-1,-1,-1,-1,0,-1,0,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１３５４】
0,-1,-1,-1,-1,-1,-1,0,-1,0,-1,-1,-1,-1,-1,-1,-1,-1,-1,-1,-1,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１３５５】
-1,16,-1,-1,-1,-1,0,-1,-1,-1,8,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１３５６】
係数行列６は以下の通りである：
【１３５７】
168,99,146,33,-1,89,137,-1,-1,165,113,51,28,80,-1,33,0,-1,11,52,80,74,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３５８】
122,-1,120,43,52,57,-1,32,114,168,-1,0,11,-1,3,79,129,9,-1,135,-1,131,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３５９】
64,80,163,-1,79,97,70,122,80,172,57,-1,-1,74,158,170,-1,125,114,0,47,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６０】
128,54,-1,168,22,-1,11,57,174,-1,59,174,82,69,148,-1,141,173,77,-1,11,142,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６１】
23,51,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６２】
26,27,-1,24,-1,-1,-1,-1,-1,-1,-1,-1,157,-1,-1,-1,92,-1,-1,-1,-1,7,19,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６３】
162,-1,-1,-1,-1,-1,55,-1,-1,-1,170,35,-1,78,-1,-1,-1,146,82,-1,18,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６４】
39,134,-1,-1,83,-1,-1,6,22,-1,-1,-1,-1,-1,112,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６５】
29,146,-1,158,-1,-1,-1,-1,-1,-1,-1,-1,69,-1,-1,-1,152,-1,-1,124,-1,108,61,-1,46,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６６】
17,60,-1,-1,-1,-1,-1,-1,-1,-1,24,61,-1,140,-1,-1,-1,97,51,-1,86,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６７】
-1,79,68,-1,130,-1,-1,32,96,-1,-1,-1,-1,-1,78,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６８】
98,144,-1,-1,-1,-1,-1,-1,-1,-1,-1,-1,4,-1,-1,-1,138,-1,-1,-1,-1,159,12,167,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３６９】
171,145,-1,-1,-1,-1,-1,-1,-1,-1,154,2,-1,63,-1,-1,-1,-1,97,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７０】
106,-1,-1,174,-1,-1,-1,161,-1,-1,-1,-1,-1,-1,-1,-1,-1,-1,-1,-1,7,-1,-1,71,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７１】
4,-1,-1,-1,-1,-1,-1,-1,-1,-1,-1,-1,154,-1,-1,118,78,46,-1,-1,-1,151,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７２】
103,97,-1,-1,-1,-1,-1,-1,-1,-1,82,-1,-1,37,-1,-1,-1,-1,0,-1,-1,-1,-1,-1,-1,152,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７３】
-1,146,-1,141,-1,-1,-1,-1,-1,-1,-1,172,-1,-1,-1,-1,-1,-1,-1,-1,156,-1,63,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７４】
8,-1,-1,-1,-1,-1,-1,-1,-1,-1,-1,-1,-1,-1,68,-1,100,128,-1,-1,-1,94,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１３７５】
-1,132,-1,-1,-1,-1,-1,-1,-1,-1,-1,-1,19,87,-1,-1,-1,-1,125,75,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１３７６】
98,57,-1,-1,-1,-1,-1,133,20,-1,166,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１３７７】
120,-1,-1,154,-1,-1,-1,-1,-1,83,-1,33,-1,-1,-1,-1,-1,-1,-1,-1,-1,-1,64,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１３７８】
-1,36,-1,-1,-1,126,-1,-1,-1,-1,-1,-1,-1,-1,-1,-1,35,-1,-1,-1,78,136,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１３７９】
63,-1,-1,-1,-1,-1,-1,-1,-1,-1,-1,-1,32,38,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１３８０】
-1,76,78,-1,-1,-1,-1,-1,-1,-1,132,-1,-1,-1,-1,-1,-1,-1,133,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１３８１】
66,-1,-1,35,124,-1,-1,-1,-1,-1,-1,156,-1,-1,-1,-1,-1,-1,-1,-1,-1,-1,40,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１３８２】
-1,39,-1,-1,-1,-1,0,0,-1,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１３８３】
31,-1,0,-1,0,-1,-1,-1,-1,-1,-1,-1,-1,-1,-1,88,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１３８４】
-1,29,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１３８５】
17,-1,-1,-1,0,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１３８６】
-1,23,-1,-1,-1,-1,-1,-1,-1,-1,-1,-1,-1,-1,36,-1,-1,-1,0,-1,-1,-1,-1,-1,-1,302,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１３８７】
0,-1,-1,-1,-1,-1,-1,-1,-1,-1,22,-1,-1,102,-1,-1,-1,-1,-1,-1,-1,-1,-1,-1,118,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１３８８】
-1,176,-1,-1,-1,-1,-1,0,-1,-1,-1,-1,-1,-1,-1,-1,-1,-1,-1,-1,-1,-1,27,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１３８９】
0,-1,-1,-1,-1,-1,-1,-1,-1,-1,-1,-1,20,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１３９０】
-1,0,0,-1,-1,-1,-1,-1,-1,-1,-1,0,-1,-1,-1,-1,-1,-1,-1,-1,-1,213,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１３９１】
264,-1,-1,-1,-1,-1,-1,176,-1,-1,-1,-1,-1,-1,-1,176,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１３９２】
-1,176,-1,-1,-1,-1,120,-1,-1,-1,-1,-1,0,-1,-1,-1,-1,-1,-1,-1,-1,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１３９３】
104,-1,-1,-1,-1,-1,-1,-1,-1,-1,-1,-1,-1,-1,42,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１３９４】
-1,176,-1,-1,-1,-1,-1,-1,-1,-1,-1,-1,-1,0,-1,-1,-1,-1,-1,-1,-1,-1,-1,88,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１３９５】
0,-1,-1,-1,-1,-1,-1,-1,-1,0,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１３９６】
-1,11,-1,0,-1,-1,-1,0,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１３９７】
24,-1,-1,-1,-1,-1,-1,-1,264,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１３９８】
-1,25,-1,292,-1,-1,-1,-1,-1,0,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１３９９】
15,-1,-1,-1,0,-1,-1,-1,-1,-1,-1,-1,-1,-1,-1,-1,-1,-1,-1,-1,-1,-1,-1,-1,33,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１４００】
-1,194,-1,-1,-1,-1,-1,-1,-1,-1,-1,-1,-1,-1,-1,-1,0,-1,0,-1,-1,-1,-1,-1,-1,40,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１４０１】
0,-1,-1,-1,-1,-1,-1,100,-1,283,-1,-1,-1,-1,-1,-1,-1,-1,-1,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１４０２】
-1,0,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１４０３】
係数行列７は以下の通りである：
【１４０４】
44,155,200,15,-1,92,106,-1,-1,100,66,111,83,52,-1,23,112,-1,176,8,115,109,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４０５】
67,-1,154,11,124,23,-1,31,38,39,-1,130,173,-1,172,28,201,196,-1,87,-1,197,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４０６】
111,107,188,-1,198,89,197,206,11,81,26,-1,-1,188,182,48,-1,25,51,104,49,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４０７】
29,183,-1,170,60,-1,81,203,65,-1,34,129,73,59,207,-1,207,182,169,-1,26,52,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４０８】
111,63,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４０９】
172,138,-1,110,-1,-1,-1,-1,-1,-1,-1,-1,176,-1,-1,-1,197,-1,-1,-1,-1,21,102,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１０】
24,-1,-1,-1,-1,-1,64,-1,-1,-1,117,201,-1,13,-1,-1,-1,70,169,-1,51,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１１】
171,44,-1,-1,22,-1,-1,148,37,-1,-1,-1,-1,-1,69,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１２】
50,203,-1,28,-1,-1,-1,-1,-1,-1,-1,-1,126,-1,-1,-1,164,-1,-1,22,-1,207,114,-1,24,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１３】
163,139,-1,-1,-1,-1,-1,-1,-1,-1,7,130,-1,52,-1,-1,-1,195,94,-1,179,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１４】
-1,85,21,-1,2,-1,-1,142,164,-1,-1,-1,-1,-1,200,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１５】
59,137,-1,-1,-1,-1,-1,-1,-1,-1,-1,-1,180,-1,-1,-1,4,-1,-1,-1,-1,45,112,133,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１６】
5,184,-1,-1,-1,-1,-1,-1,-1,-1,45,186,-1,114,-1,-1,-1,-1,60,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１７】
88,-1,-1,34,-1,-1,-1,34,-1,-1,-1,-1,-1,-1,-1,-1,-1,-1,-1,-1,53,-1,-1,5,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１８】
145,-1,-1,-1,-1,-1,-1,-1,-1,-1,-1,-1,15,-1,-1,31,7,136,-1,-1,-1,98,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４１９】
8,41,-1,-1,-1,-1,-1,-1,-1,-1,157,-1,-1,106,-1,-1,-1,-1,204,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４２０】
-1,26,-1,118,-1,-1,-1,-1,-1,-1,-1,75,-1,-1,-1,-1,-1,-1,-1,-1,200,-1,72,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４２１】
20,-1,-1,-1,-1,-1,-1,-1,-1,-1,-1,-1,-1,-1,179,-1,133,10,-1,-1,-1,31,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１４２２】
-1,190,-1,-1,-1,-1,-1,-1,-1,-1,-1,-1,100,53,-1,-1,-1,-1,52,179,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１４２３】
72,10,-1,-1,-1,-1,-1,154,67,-1,118,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１４２４】
69,-1,-1,19,-1,-1,-1,-1,-1,152,-1,29,-1,-1,-1,-1,-1,-1,-1,-1,-1,-1,185,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１４２５】
-1,120,-1,-1,-1,181,-1,-1,-1,-1,-1,-1,-1,-1,-1,-1,202,-1,-1,-1,143,38,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１４２６】
116,-1,-1,-1,-1,-1,-1,-1,-1,-1,-1,-1,40,88,-1,-1,-1,147,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１４２７】
-1,158,170,-1,-1,-1,-1,-1,-1,-1,143,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１４２８】
17,-1,-1,201,202,-1,-1,-1,-1,-1,-1,21,-1,-1,-1,-1,-1,-1,-1,-1,-1,-1,145,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１４２９】
-1,25,-1,-1,-1,-1,0,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１４３０】
0,-1,24,-1,23,-1,-1,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１４３１】
-1,0,-1,-1,-1,-1,11,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１４３２】
20,-1,-1,-1,0,-1,-1,-1,-1,-1,-1,-1,-1,-1,-1,-1,-1,-1,-1,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１４３３】
-1,18,-1,-1,-1,-1,-1,-1,-1,-1,-1,-1,-1,-1,8,-1,-1,-1,0,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１４３４】
0,-1,-1,-1,-1,-1,-1,-1,-1,-1,7,-1,-1,16,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１４３５】
-1,0,-1,-1,-1,-1,-1,17,-1,-1,-1,-1,-1,-1,-1,-1,-1,-1,-1,-1,-1,-1,21,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１４３６】
22,-1,-1,-1,-1,-1,-1,-1,-1,-1,-1,-1,19,-1,0,-1,-1,-1,-1,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１４３７】
-1,0,0,-1,-1,-1,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１４３８】
0,-1,-1,-1,-1,-1,-1,0,-1,-1,-1,-1,-1,-1,-1,4,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１４３９】
-1,13,-1,-1,-1,-1,0,-1,-1,-1,-1,-1,0,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１４４０】
0,-1,-1,-1,-1,-1,-1,-1,-1,-1,-1,-1,-1,-1,0,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１４４１】
-1,0,-1,-1,-1,-1,-1,-1,-1,-1,-1,-1,-1,25,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１４４２】
18,-1,-1,-1,-1,-1,-1,-1,-1,6,0,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１４４３】
-1,19,-1,10,-1,-1,-1,0,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１４４４】
0,-1,-1,-1,-1,-1,-1,-1,0,-1,-1,-1,-1,-1,-1,-1,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１４４５】
-1,0,-1,0,-1,-1,-1,-1,-1,9,-1,-1,-1,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１４４６】
15,-1,-1,-1,0,-1,-1,-1,-1,-1,-1,-1,-1,-1,-1,-1,-1,-1,-1,-1,-1,-1,-1,-1,24,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１４４７】
-1,0,-1,-1,-1,-1,-1,-1,-1,-1,-1,-1,-1,-1,-1,-1,0,-1,0,-1,-1,-1,-1,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１４４８】
0,-1,-1,-1,-1,-1,-1,14,-1,0,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１４４９】
-1,0,-1,-1,-1,-1,0,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１４５０】
係数行列８は以下の通りである：
【１４５１】
25,52,4,152,-1,3,9,-1,-1,60,0,0,60,44,-1,79,156,-1,100,129,120,14,1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５２】
41,-1,17,141,2,148,-1,2,45,32,-1,203,72,-1,234,176,180,57,-1,15,-1,70,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５３】
64,9,132,-1,146,120,70,9,125,198,10,-1,-1,36,67,0,-1,0,1,74,14,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５４】
30,168,-1,91,0,-1,122,194,150,-1,223,139,63,38,158,-1,8,14,187,-1,37,0,1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５５】
42,43,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５６】
141,29,-1,67,-1,-1,-1,-1,-1,-1,-1,-1,20,-1,-1,-1,165,-1,-1,-1,-1,188,0,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５７】
19,-1,-1,-1,-1,-1,154,-1,-1,-1,170,30,-1,204,-1,-1,-1,167,237,-1,41,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５８】
92,126,-1,-1,68,-1,-1,87,50,-1,-1,-1,-1,-1,217,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４５９】
234,0,-1,0,-1,-1,-1,-1,-1,-1,-1,-1,106,-1,-1,-1,40,-1,-1,82,-1,58,178,-1,146,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６０】
6,210,-1,-1,-1,-1,-1,-1,-1,-1,149,143,-1,95,-1,-1,-1,137,145,-1,127,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６１】
-1,166,189,-1,86,-1,-1,201,52,-1,-1,-1,-1,-1,68,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６２】
123,85,-1,-1,-1,-1,-1,-1,-1,-1,-1,-1,27,-1,-1,-1,146,-1,-1,-1,-1,237,120,28,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６３】
38,145,-1,-1,-1,-1,-1,-1,-1,-1,178,127,-1,3,-1,-1,-1,-1,56,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６４】
228,-1,-1,194,-1,-1,-1,0,-1,-1,-1,-1,-1,-1,-1,-1,-1,-1,-1,-1,24,-1,-1,25,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６５】
1,-1,-1,-1,-1,-1,-1,-1,-1,-1,-1,-1,134,-1,-1,126,56,120,-1,-1,-1,123,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６６】
58,0,-1,-1,-1,-1,-1,-1,-1,-1,127,-1,-1,138,-1,-1,-1,-1,160,-1,-1,-1,-1,-1,-1,215,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６７】
-1,97,-1,55,-1,-1,-1,-1,-1,-1,-1,22,-1,-1,-1,-1,-1,-1,-1,-1,163,-1,77,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６８】
117,-1,-1,-1,-1,-1,-1,-1,-1,-1,-1,-1,-1,-1,179,-1,150,90,-1,-1,-1,4,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
【１４６９】
-1,75,-1,-1,-1,-1,-1,-1,-1,-1,-1,-1,89,0,-1,-1,-1,-1,191,34,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
【１４７０】
151,116,-1,-1,-1,-1,-1,226,16,-1,83,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
【１４７１】
52,-1,-1,66,-1,-1,-1,-1,-1,200,-1,30,-1,-1,-1,-1,-1,-1,-1,-1,-1,-1,73,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
【１４７２】
-1,67,-1,-1,-1,0,-1,-1,-1,-1,-1,-1,-1,-1,-1,-1,131,-1,-1,-1,30,38,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
【１４７３】
162,-1,-1,-1,-1,-1,-1,-1,-1,-1,-1,-1,88,180,-1,-1,-1,109,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
【１４７４】
-1,128,9,-1,-1,-1,-1,-1,-1,-1,32,-1,-1,-1,-1,-1,-1,-1,70,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
【１４７５】
212,-1,-1,120,0,-1,-1,-1,-1,-1,-1,96,-1,-1,-1,-1,-1,-1,-1,-1,-1,-1,110,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
【１４７６】
-1,121,-1,-1,-1,-1,177,0,-1,-1,-1,-1,-1,-1,229,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
【１４７７】
97,-1,86,-1,64,-1,-1,-1,-1,-1,-1,-1,-1,-1,-1,23,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
【１４７８】
-1,112,-1,-1,-1,-1,15,-1,145,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
【１４７９】
106,-1,-1,-1,125,-1,-1,-1,-1,-1,-1,-1,-1,-1,-1,-1,-1,-1,-1,62,-1,180,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
【１４８０】
-1,120,-1,-1,-1,-1,-1,-1,-1,-1,-1,-1,-1,-1,231,-1,-1,-1,189,-1,-1,-1,-1,-1,-1,233,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
【１４８１】
0,-1,-1,-1,-1,-1,-1,-1,-1,-1,78,-1,-1,4,-1,-1,-1,-1,-1,-1,-1,-1,-1,-1,35,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
【１４８２】
-1,30,-1,-1,-1,-1,-1,25,-1,-1,-1,-1,-1,-1,-1,-1,-1,-1,-1,-1,-1,-1,96,-1,-1,60,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
【１４８３】
0,-1,-1,-1,-1,-1,-1,-1,-1,-1,-1,-1,28,-1,82,-1,-1,-1,-1,-1,-1,-1,-1,-1,127,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
【１４８４】
-1,90,0,-1,-1,-1,-1,-1,-1,-1,-1,159,-1,-1,-1,-1,-1,-1,-1,-1,-1,168,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
【１４８５】
45,-1,-1,-1,-1,-1,-1,139,-1,-1,-1,-1,-1,-1,-1,155,-1,21,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
【１４８６】
-1,167,-1,-1,-1,-1,7,-1,-1,-1,-1,-1,120,-1,-1,-1,-1,-1,-1,-1,-1,-1,46,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
【１４８７】
42,-1,-1,-1,-1,-1,-1,-1,-1,-1,-1,-1,-1,-1,54,120,-1,-1,137,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
【１４８８】
-1,193,-1,-1,-1,-1,-1,-1,-1,-1,-1,-1,-1,38,-1,-1,-1,-1,-1,-1,-1,-1,-1,180,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
【１４８９】
19,-1,-1,-1,-1,-1,-1,-1,-1,201,89,-1,150,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
【１４９０】
-1,44,-1,12,-1,-1,-1,59,-1,-1,-1,-1,-1,-1,-1,-1,-1,-1,-1,221,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
【１４９１】
60,-1,-1,-1,-1,-1,-1,-1,203,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
【１４９２】
-1,74,-1,0,-1,-1,-1,-1,-1,155,-1,-1,-1,-1,-1,-1,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
【１４９３】
70,-1,-1,-1,0,-1,-1,-1,-1,-1,-1,-1,-1,-1,-1,-1,-1,-1,-1,-1,-1,-1,-1,-1,235,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
【１４９４】
-1,0,-1,-1,-1,-1,-1,-1,-1,-1,-1,-1,-1,-1,-1,-1,0,-1,30,-1,-1,-1,-1,-1,-1,158,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
【１４９５】
11,-1,-1,-1,-1,-1,-1,91,-1,0,-1,-1,-1,-1,-1,-1,-1,-1,-1,-1,-1,-1,123,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
【１４９６】
-1,24,-1,-1,-1,-1,40,-1,-1,-1,119,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0.
【１４９７】
係数行列がサポートする全リフトサイズはリフトサイズサブセットＺｓｅｔｉに対応し、ｉ＝１，２，３，・・・，８である；ｉ番目セットＺ０ｓｅｔｉは係数行列ｉに対応し、ｉ＝１，２，３，・・・，８である。８個のリフトサイズサブセットは以下の通りである：Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}。
【１４９８】
上記実施形態から、上記実施形態の方法はソフトウェアプラス必要な汎用目的ハードウェアプラットフォームによって実装でき、あるいはハードウェアによって実装できることは、当業者にとって明らかである。ただし多くの場合において、前者が望ましい実装モードである。この理解に基づき、本発明が提供する技術的手段は実質的に、あるいは従来技術に対して寄与する部分は、ソフトウェア製品の形態で実施できる。コンピュータソフトウェア製品は、記憶媒体に格納され（例えば読取専用メモリ（ＲＯＭ）／ランダムアクセスメモリ（ＲＡＭ）、、磁気ディスク、光ディスク）、端末デバイス（例えば携帯電話、コンピュータ、サーバ、ネットワークデバイス、など）が本発明の各実施形態に係る方法を実行できるようにする命令を有する。
【１４９９】
＜実施形態２＞
【１５００】
本実施形態はさらに、疑似サイクリック低密度パリティチェック符号化の設計装置を提供する。本装置は、上記実施形態および望ましい実装モードを実装するように構成されている。説明済のことは繰り返さない。以下において、用語「モジュール」は、規定機能を実装できるソフトウェア、ハードウェア、またはその組み合わせである。以下の実施形態で説明する本装置は、望ましくはソフトウェアによって実装されるが、ハードウェアによる実装またはソフトウェアとハードウェアの組み合わせも可能である。
【１５０１】
図２は、本発明の実施形態に係る疑似サイクリック低密度パリティチェック符号化の設計装置である。図２に示すように、本装置は疑似サイクリックＬＤＰＣ符号化モジュール２０を備える。
【１５０２】
疑似サイクリックＬＤＰＣ符号化モジュール２０は、疑似サイクリックＬＤＰＣ符号のパリティチェック行列にしたがって、符号化するＫビット情報シーケンスに対してＬＤＰＣ符号化を実施して、ＮビットＬＤＰＣ符号化シーケンスを取得するように構成されている。
【１５０３】
パリティチェック行列は、基本行列係数とリフトサイズＺにしたがって決定される。Ｋは正整数、ＮはＫよりも大きい整数、Ｚは正整数である。
【１５０４】
オプションとして本装置はさらに、第１記憶モジュールと第２記憶モジュールを備える。第１記憶モジュールは、リフトサイズセットＺｓｅｔを記憶するように構成されている。英負とサイズＺは、リフトサイズセットＺｓｅｔ内の要素である。リフトサイズサブセットは、それぞれＺｓｅｔｉ（ｉ＝１，２，３，・・・，Ａ）である。Ａ個のリフトサイズサブセット内の全要素は、リフトサイズセットＺｓｅｔを構成する。Ａ個のリフトサイズサブセットは、共通要素がない。第２記憶モジュールは、係数行列セットを記憶するように構成されている。係数行列は、係数行列セット内の行列である。係数行列セット内のｉ番目係数行列がサポートするリフトサイズは、ｉ番目リフトサイズサブセットｓｅｔｉを構成する。
【１５０５】
係数行列セットはＡ個の係数行列を有し、Ａは１よりも大きい整数である。Ａ個の係数行列は、同じ数の行、同じ数の列を有し、非−１要素が配置されている位置も同じである。リフトサイズセットＺｓｅｔ内の全要素は正整数である。
【１５０６】
オプションとして、リフトサイズセットＺｓｅｔ内の各リフトサイズおよび係数行列セット内のｉ番目係数行列によって規定される全基本行列の６以上のｇｉｒｔｈを有するパリティチェック行列に対応する全リフトサイズは、セットＺ０ｓｅｔｉを構成する。セットＺ０ｓｅｔｉは、 ｉ番目リフトサイズサブセットＺｓｅｔｉに属するＬ０ｉ個の要素とｉ番目リフトサイズサブセットＺｓｅｔｉに属さないＬ１ｉ子の要素を有する。Ｌ０ｉはＬｉ以下の正整数であり、ＬｉはリフトサイズサブセットＺｓｅｔｉ内の要素数であり、Ｌ１ｉ≧２，Ｌ１ｉ≧３，Ｌ１ｉ≧４，Ｌ１ｉ≧５，Ｌ１ｉ≧６，Ｌ１ｉ≧７，Ｌ１ｉ≧８，Ｌ１ｉ≧９，Ｌ１ｉ≧１０，またはＬ１ｉ≧１１である。
【１５０７】
オプションとして、本装置はさらに第３記憶モジュールを備える。第３記憶モジュールは、第１係数行列セットを記憶するように構成されている。第１係数行列セット内の全係数行列は、同じ数の行と同じ数の列を有し、第１係数行列セット内の任意の係数行列は、第２記憶モジュールが記憶する係数行列セット内のＡ個の係数行列と同じ行数と列数を有する。
【１５０８】
オプションとして、第２記憶モジュールが格納する係数行列セットは、第１係数行列セット内の少なくとも１つの係数行列を有する。
【１５０９】
オプションとして、第２記憶モジュールが格納する係数行列セットは、第１係数行列セット内の１つの係数行列を調整することにより取得した少なくとも１つの調整済係数行列を有する。
【１５１０】
オプションとして、調整済係数行列のｓ番目行内の第１要素から（Ｋｂ＋Ｍ）番目要素までの−１ではない全要素は、リフト係数Ｚｍａｘの元の係数行列プラスＲｓのｓ番目行内の第１要素から（Ｋｂ＋Ｍ）番目要素までの−１ではない各要素の剰余演算から取得した全整数と等しい。ｓ＝１，２，３，・・・，ｒｏｗ、Ｒｓはｓ番目行に対応する加算する整数、Ｒ０，Ｒ１，・・・，Ｒ（ｒｏｗ）のうち少なくとも１つは非ゼロ整数である。これに代えて、調整済係数行列のｔ番目列内の第１要素からｒｏｗ番目要素までの−１ではない全要素は、リフト係数Ｚｍａｘの元の係数行列プラスＣｔのｔ番目行内の第１要素からｒｏｗ番目要素までの−１ではない各要素の剰余演算から取得した全整数と等しい。ｔ＝１，２，３，・・・，ｃｏｌ、Ｃｔはｔ番目列に対応する加算する整数、Ｃ０，Ｃ１，・・・，Ｃ（ｃｏｌ）のうち少なくとも１つはは非ゼロ整数である。ｒｏｗは係数行列の行数、ｃｏｌは係数行列の列数、ｋｂはｃｏｌとｒｏｗとの間の差分、Ｍは１０未満の非負整数、Ｚｍａｘは調整済係数行列がサポートする最小リフトサイズ、Ｚｍａｘは正整数である。
【１５１１】
オプションとして、調整済係数行列のｓ番目行とｔ番目列内の要素は、リフトサイズＺｍａｘの元の係数行列プラス（Ｘｓ＋Ｙｔ）のｓ番目行とｔ番目列内の要素の剰余演算から取得した整数と等しい。元の係数行列のｓ番目行とｔ番目列内の要素は、非−１要素である。ｓ＝１，２，３，・・・，ｒｏｗ，ｔ＝１，２，３，・・・，ｋｂ＋Ｍ，ｋｂはｃｏｌとｒｏｗとの間の差分、ｒｏｗは係数行列の行数、ｃｏｌは係数行列の列数、Ｍは１０未満の非負整数、ＸｓとＹｔはともに整数、Ｘ０，Ｘ１，・・・，Ｘ（ｒｏｗ）とＹ０，Ｙ１，・・・，Ｙ（ｋｂ＋Ｍ）のうち少なくとも１つは非ゼロ整数である。
【１５１２】
オプションとして、Ａは８であり、８個のリフトサイズサブセットはそれぞれ以下の通りである：
【１５１３】
Zset1={2, 4, 8, 16, 32, 64, 128, 256}, Zset2={3, 6, 12, 24, 48, 96, 192}, Zset3={5, 10, 20, 40, 80, 160}, Zset4={7, 14, 28, 56, 112, 224}, Zset5={9, 18, 36, 72, 144}, Zset6={11, 22, 44, 88, 176}, Zset7={13, 26, 52, 104, 208}, and Zset8={15, 30, 60, 120, 240}。
【１５１４】
オプションとして、セットＺ０ｓｅｔｉは以下の通りである：Z0set1={ 56, 80, 104, 112, 120, 128, 160, 176, 192, 208, 224, 240, 256}, Z0set2={ 44, 48, 72, 88, 96, 144, 160, 176, 192, 208, 224, 240, 256}, Z0set3={ 60, 80, 120, 128, 160, 208, 224, 240, 256}, Z0set4={ 56, 60, 104, 112, 120, 128, 192, 208, 224, 240, 256}, Z0set5={ 72, 128, 144, 160, 176, 192, 224, 240, 256}, Z0set6={ 88, 96, 104, 128, 176, 192, 208, 224, 240, 256}, Z0set7={ 26, 52, 80, 104, 144, 160, 176, 192, 208, 224, 240}, and Z0set8={ 30, 60, 112, 120, 144, 160, 208, 224, 240, 256}。
【１５１５】
オプションとして、Ａは８であり、８個のリフトサイズサブセットはそれぞれ以下の通りである：
【１５１６】
Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}。
【１５１７】
オプションとして、セットＺ０ｓｅｔｉは以下の通りである：Z0set1={16, 32, 48, 64, 80, 96, 112, 128, 144, 160, 176, 192, 208, 224, 240, 256, 288, 320, 352, 384}, Z0set2={12, 24, 36, 48, 60, 72, 96, 120, 144, 192, 240, 256, 288, 352, 384}, Z0set3={20, 40, 60, 80, 120, 160, 240, 320, 352}, Z0set4={56, 112, 224, 288, 352, 384}, Z0set5={18, 36, 72, 144, 176, 192, 288, 352, 384}, Z0set6={22, 44, 88, 176, 256, 320, 352, 384}, Z0set7={13, 26, 52, 104, 176, 208, 224, 240, 256, 288, 320, 352, 384}, and Z0set8={30, 60, 120, 240, 320, 352}。
【１５１８】
オプションとして、６以上のｇｉｒｔｈを有する全基本行列に対応し、リフトサイズセットＺｓｅｔ内の各リフトサイズと係数行列セット内のｉ番目係数行列によって規定される符号化レートＲａｔｅ０に対応する全リフトサイズは、セットＺ０ｓｅｔｉを構成し；６以上のｇｉｒｔｈを有する全基本行列に対応し、リフトサイズセットＺｓｅｔ内の各リフトサイズと係数行列セット内のｉ番目係数行列によって規定される符号化レートＲａｔｅ１に対応する全リフトサイズは、セットＺ０ｓｅｔ１ｉを構成する。Ｒａｔｅ０はＲａｔｅ１よりも小さく、Ｚ０ｓｅｔ０ｉの要素数はＺ０ｓｅｔ１ｉの要素数以下であり、Ｒａｔｅ０とＲａｔｅ１はともに０よりも大きく１未満の実数であり、セットＺ０ｓｅｔ０ｉとセットＺ０ｓｅｔ１ｉはともに空セットではない。
【１５１９】
上記各モジュールは、ソフトウェアまたはハードウェアによって実装できる。ハードウェアによる実装は以下のように実施できるが、これに限らない：上記各モジュールを同じプロセッサ上に配置し、あるいは上記各モジュールを任意組み合わせ形態の各プロセッサに配置する。
【１５２０】
＜実施形態３＞
【１５２１】
本実施形態は、本発明のオプション実施形態であり、本願の詳細を補足説明するために用いる。本実施形態は以下の例を有する。
【１５２２】
＜例１＞
【１５２３】
本発明の実施形態は、疑似サイクリック低密度パリティチェック符号化の設計方法の例を提供する。図３は、本発明の例１に係る疑似サイクリック低密度パリティチェック符号化の設計方法のフローチャートである。図３に示すように、本方法は以下のステップを有する。
【１５２４】
ステップ３０２において、符号化する情報シーケンスの長さＫにしたがって、疑似サイクリックＬＤＰＣ符号化のリフトサイズＺを決定する。
【１５２５】
ステップ３０４において、決定したリフトサイズＺにしたがって、疑似サイクリックＬＤＰＣ符号化のために用いる係数行列を、係数行列セットのなかから選択する。
【１５２６】
ステップ３０６において、リフトサイズＺおよび決定した係数行列にしたがって、リフトサイズＺに対応する基本行列を取得する。基本行列は、ｍｂ行ｎｂ列を有する。基本行列のシステム列の最大個数は、ｋｂｍａｘ＝ｎｂ−ｍｂである。
【１５２７】
ステップ３０８において、基本行列とリフトサイズＺにしたがって、疑似サイクリックＬＤＰＣ符号化のパリティチェック行列を取得し、パリティチェック行列にしたがって情報シーケンスを符号化して、ＮビットＬＤＰＣ符号化シーケンスを取得する。Ｋは正整数、ＮはＫよりも大きい整数、Ｚは正整数である。
【１５２８】
具体的には、符号化する情報シーケンスの長さＫにしたがって、疑似サイクリックＬＤＰＣ符号化のリフトサイズＺを決定するステップ３０２は、以下を有する：リフトサイズセットＺｓｅｔから、現在の疑似サイクリックＬＤＰＣ符号化のために用いる、Ｋ／ｋｂ以上の最小リフトサイズを選択するステップ；ｋｂは、符号化する情報シーケンスの長さＫに対応するシステム列の最大決定個数、ｋｂは基本行列のシステム列の最大個数ｋｂｍａｘ以下である。この処理の有用な効果は、疑似サイクリックＬＤＰＣ符号化のために必要なパディングビット個数が最小となり、性能低下を避けられることである。
【１５２９】
ステップ３０４において、係数行列セットはＡ＝８個の係数行列を有し、８個の係数行列がサポートするリフトサイズは共通要素を有していない。したがって、係数行列セット内の必要な係数行列のインデックスは、決定したリフトサイズＺにしたがって決定され、現在のＬＤＰＣ符号化のために用いる係数行列は、そのインデックスにしたがって、係数行列セットから決定される。
【１５３０】
ステップ３０６において、リフトサイズＺに対応する基本行列は、決定したリフトサイズと係数行列にしたがって計算できる。望ましくは、計算方法は、以下の計算式を用いるによって取得される：ｋｂ、Ｖｉ，ｊは、リフトサイズＺに対応する係数行列のｉ番目行ｊ番目列内の要素であり、非−１要素である、Ｐｉ，ｊは、リフトサイズＺに対応する基本行列のｉ番目行ｊ番目列内の要素である、関数ｆ（ａ，ｂ）はｒｅｍａｉｎｄｅｒ（ｍｏｄｕｌｏ）演算、すなわち整数ａを整数ｂで除算した剰余。例えばａ＝５、ｂ＝１０である場合、ｆ（ａ，ｂ）＝５である；ａ＝３９、ｂ＝３２である場合、ｆ（ａ，ｂ）＝７である。
【１５３１】
計算式はｆｌｏｏｒ演算であってもよい。例えばＰｉ，ｊ＝ｆ（Ｖｉ，ｊ，Ｚ，Ｚｍａｘ）＝ｆｌｏｏｒ（Ｖｉ，ｊ×Ｚ／Ｚｍａｘ）、Ｐｉ，ｊは３つの変数Ｖｉ，ｊ，Ｚ，Ｚｍａｘに関連する。したがって、取得した係数行列は、実際にはＺｍａｘに対応する基本行列であることが分かる。Ｚｍａｘは、係数行列がサポートする最大リフトサイズである。
【１５３２】
ステップ３０８において、疑似サイクリックＬＤＰＣ符号化のパリティチェック行列は、取得した基本行列とリフトサイズＺにしたがって取得できる。長さＫの符号化する情報シーケンスを、パリティチェック行列にしたがって符号化して、ＬＤＰＣ符号化シーケンスを取得できる。疑似サイクリックＬＤＰＣ符号化の前に、符号化する情報シーケンスは、ｋｂ×Ｚ−Ｋパディングビットによって充填して、ｋｂ×Ｚビットの情報シーケンスを取得する必要がある。疑似サイクリックＬＤＰＣ符号化を、ダミービットで充填したｋｂ×Ｚビットの情報シーケンスに対して実施して、元のｎｂ×ＺビットのＬＤＰＣ符号化シーケンスを取得する。元のＬＤＰＣ符号化シーケンスに対してビット選択を実施して、コードレートに対応するＮビットのＬＤＰＣ符号化シーケンスを取得する。ビット選択方法は、（Ｚ×２＋１）番目ビットから選択し、パディングビットをスキップして、Ｎビット符号化シーケンスを巡回的に選択する。充填したｋｂ×Ｚ−Ｋダミービットを採用することにより符号化をアシストし、このダミービットは送信側と受信側ともに既知のものである。したがって、これらビットは送信する必要はない。パリティチェック行列は、疑似サイクリックＬＤＰＣ符号化プロセスにおいて必ずしも必要ない。疑似サイクリックＬＤＰＣ符号化は、非常に規則的かつ強固な構造性を有するので、符号化するシーケンスは基本行列とリフトサイズにしたがって直接符号化できる。
【１５３３】
より具体的な例において、係数行列セットは実施形態１の８個の４６行６８列の係数行列を有し、８個の係数行列がサポートするリフトサイズサブセットはそれぞれ以下の通りである：Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, Zset8={15, 30, 60, 120, 240}。全リフトサイズサブセット内の全要素は、リフトサイズセットZset={Zset1, Zset2, Zset3, Zset4, Zset5, Zset6, Zset7, Zset8}を構成する。係数行列１に対応するリフトサイズサブセットはＺｓｅｔ１であり、係数行列２に対応するリフトサイズサブセットはＺｓｅｔ２であり、係数行列３に対応するリフトサイズサブセットはＺｓｅｔ３であり、係数行列４に対応するリフトサイズサブセットはＺｓｅｔ４であり、係数行列５に対応するリフトサイズサブセットはＺｓｅｔ５であり、係数行列６に対応するリフトサイズサブセットはＺｓｅｔ６であり、係数行列７に対応するリフトサイズサブセットはＺｓｅｔ７であり、係数行列８に対応するリフトサイズサブセットはＺｓｅｔ８である。行数ｍｂ＝４６、列数ｎｂ＝６８の係数行列にしたがって、本例におけるｋｂｍａｘ＝６８−４６＝２２、ｋｂ＝ｋｂｍａｘ＝２２であることが分かる。
【１５３４】
ＬＤＰＣ符号化をＫ＝６０００の情報シーケンスに対して実施し、Ｎ＝１２０００のＬＤＰＣ符号化シーケンスを出力する。本方法は以下のステップを有する。
【１５３５】
１．Ｋ／ｋｂ＝６０００／２２以上の最小リフトサイズを、リフトサイズセットＺｓｅｔから選択する。Ｚ＝２８８は上記条件を充足する。
【１５３６】
２．決定したリフトサイズＺ＝２８８から、リフトサイズＺ＝２８８は、係数行列インデックス５に対応するＺｓｅｔ５に属することが分かる。したがって、リフトサイズＺに対応する係数行列として、５番目の係数行列を係数行列セットから選択する。
【１５３７】
３．リフトサイズＺおよび決定した係数行列にしたがって、リフトサイズＺに対応する基本行列を取得する。リフトサイズＺ＝２８８に対応する基本行列は、上記ｒｅｍａｉｎｄｅｒ演算を用いることによって取得できる。リフトサイズＺ＝２８８は５番目リフトサイズサブセットの最大値であるので、基本行列は係数行列と等しく、ｍｂ＝４６行とｎｂ＝６８列を有する。
【１５３８】
４．上記のように取得した基本行列のシステム列個数は２２であるので、２２×２８８−６０００＝３３６個のダミービットを充填して疑似サイクリックＬＤＰＣ符号化を実施する必要があり、符号化する情報シーケンス長は２２×２８８＝６３３６ビットとなる。疑似サイクリックＬＤＰＣ符号化のパリティチェック行列は、基本行列とリフトサイズＺ＝２８８によって取得され、情報シーケンスをそのパリティチェック行列にしたがって符号化して、元のＬＤＰＣ符号化シーケンスｎｂ×Ｚ＝１９５８４ビットを取得し、ＬＤＰＣ符号化シーケンスＮ＝１２０００ビットを元のＬＤＰＣ符号化シーケンスから選択する。
【１５３９】
＜例２＞
【１５４０】
本発明の実施形態は、疑似サイクリック低密度パリティチェック符号化の設計装置の例を提供する。図４は、本発明の例２に係る、疑似サイクリック低密度パリティチェック符号化の設計装置のブロック図である。図４に示すように、本装置は、決定モジュール４０、選択モジュール４２、取得モジュール４４、処理モジュール４６を備える。
【１５４１】
取得モジュール４０は、符号化する情報シーケンスの長さＫにしたがって、疑似サイクリックＬＤＰＣ符号化のリフトサイズＺを決定するように構成されている。
【１５４２】
取得モジュール４２は、決定したリフトサイズＺにしたがって、疑似サイクリックＬＤＰＣ符号化のために用いる係数行列を、係数行列セットのなかから選択するように構成されている。
【１５４３】
取得モジュール４４は、リフトサイズＺおよび決定した係数行列にしたがって、リフトサイズＺに対応する基本行列を取得するように構成されている。基本行列は、ｍｂ行ｎｂ列を有する。基本行列のシステム列の最大個数は、ｋｂｍａｘ＝ｎｂ−ｍｂである。
【１５４４】
処理モジュール４６は、基本行列とリフトサイズＺにしたがって、疑似サイクリックＬＤＰＣ符号化のパリティチェック行列を取得し、パリティチェック行列にしたがって情報シーケンスを符号化して、ＮビットＬＤＰＣ符号化シーケンスを取得するように構成されている。Ｋは正整数、ＮはＫよりも大きい整数、Ｚは正整数である。
【１５４５】
具体的には、決定モジュール４０は、符号化する情報シーケンスの長さＫにしたがって、疑似サイクリックＬＤＰＣ符号化のリフトサイズＺを決定するに際して、リフトサイズセットＺｓｅｔから、現在の疑似サイクリックＬＤＰＣ符号化のために用いる、Ｋ／ｋｂ以上の最小リフトサイズを選択する。ｋｂは、符号化する情報シーケンスの長さＫに対応するシステム列の最大決定個数、ｋｂは基本行列のシステム列の最大個数ｋｂｍａｘ以下である。この処理の有用な効果は、疑似サイクリックＬＤＰＣ符号化のために必要なパディングビット個数が最小となり、性能低下を避けられることである。
【１５４６】
選択モジュール４２について、係数行列セットはＡ＝８個の係数行列を有し、８個の係数行列がサポートするリフトサイズは共通要素を有していない。したがって、係数行列セット内の必要な係数行列のインデックスは、決定したリフトサイズＺにしたがって決定され、現在のＬＤＰＣ符号化のために用いる係数行列は、そのインデックスにしたがって、係数行列セットから決定される。
【１５４７】
取得モジュール４４について、リフトサイズＺに対応する基本行列は、決定したリフトサイズと係数行列にしたがって計算できる。望ましくは、計算方法は、以下の計算式を用いるによって取得される：ｋｂ、Ｖｉ，ｊは、リフトサイズＺに対応する係数行列のｉ番目行ｊ番目列内の要素であり、非−１要素である、Ｐｉ，ｊは、リフトサイズＺに対応する基本行列のｉ番目行ｊ番目列内の要素である、関数ｆ（ａ，ｂ）はｒｅｍａｉｎｄｅｒ（ｍｏｄｕｌｏ）演算、すなわち整数ａを整数ｂで除算した剰余。例えばａ＝５、ｂ＝１０である場合、ｆ（ａ，ｂ）＝５である；ａ＝３９、ｂ＝３２である場合、ｆ（ａ，ｂ）＝７である。
【１５４８】
計算式はｆｌｏｏｒ演算であってもよい。例えばＰｉ，ｊ＝ｆ（Ｖｉ，ｊ，Ｚ，Ｚｍａｘ）＝ｆｌｏｏｒ（Ｖｉ，ｊ×Ｚ／Ｚｍａｘ）、Ｐｉ，ｊは３つの変数Ｖｉ，ｊ，Ｚ，Ｚｍａｘに関連する。したがって、取得した係数行列は、実際にはＺｍａｘに対応する基本行列であることが分かる。Ｚｍａｘは、係数行列がサポートする最大リフトサイズである。
【１５４９】
処理モジュール４６について、疑似サイクリックＬＤＰＣ符号化のパリティチェック行列は、取得した基本行列とリフトサイズＺにしたがって取得できる。長さＫの符号化する情報シーケンスを、パリティチェック行列にしたがって符号化して、ＬＤＰＣ符号化シーケンスを取得できる。疑似サイクリックＬＤＰＣ符号化の前に、符号化する情報シーケンスは、ｋｂ×Ｚ−Ｋダミービットによって充填して、ｋｂ×Ｚビットの情報シーケンスを取得する必要がある。疑似サイクリックＬＤＰＣ符号化を、ダミービットで充填したｋｂ×Ｚビットの情報シーケンスに対して実施して、元のｎｂ×ＺビットのＬＤＰＣ符号化シーケンスを取得する。元のＬＤＰＣ符号化シーケンスに対してビット選択を実施して、コードレートに対応するＮビットのＬＤＰＣ符号化シーケンスを取得する。ビット選択方法は、（Ｚ×２＋１）番目ビットから選択し、パディングビットをスキップして、Ｎビット符号化シーケンスを巡回的に選択する。充填したｋｂ×Ｚ−Ｋダミービットを採用することにより符号化をアシストし、このダミービットは送信側と受信側ともに既知のものである。したがって、これらビットは送信する必要はない。パリティチェック行列は、疑似サイクリックＬＤＰＣ符号化プロセスにおいて必ずしも必要ない。疑似サイクリックＬＤＰＣ符号化は、非常に規則的かつ強固な構造性を有するので、符号化するシーケンスは基本行列とリフトサイズにしたがって直接符号化できる。
【１５５０】
より具体的な例において、係数行列セットは実施形態１の８個の４６行６８列の係数行列を有し、８個の係数行列がサポートするリフトサイズサブセットはそれぞれ以下の通りである：Zset1={2, 4, 8, 16, 32, 64, 128, 256}, Zset2={3, 6, 12, 24, 48, 96, 192, 384}, Zset3={5, 10, 20, 40, 80, 160, 320}, Zset4={7, 14, 28, 56, 112, 224}, Zset5={9, 18, 36, 72, 144, 288}, Zset6={11, 22, 44, 88, 176, 352}, Zset7={13, 26, 52, 104, 208}, and Zset8={15, 30, 60, 120, 240}。全リフトサイズサブセット内の全要素は、リフトサイズセットZset={Zset1, Zset2, Zset3, Zset4, Zset5, Zset6, Zset7, Zset8}を構成する。係数行列１に対応するリフトサイズサブセットはＺｓｅｔ１であり、係数行列２に対応するリフトサイズサブセットはＺｓｅｔ２であり、係数行列３に対応するリフトサイズサブセットはＺｓｅｔ３であり、係数行列４に対応するリフトサイズサブセットはＺｓｅｔ４であり、係数行列５に対応するリフトサイズサブセットはＺｓｅｔ５であり、係数行列６に対応するリフトサイズサブセットはＺｓｅｔ６であり、係数行列７に対応するリフトサイズサブセットはＺｓｅｔ７であり、係数行列８に対応するリフトサイズサブセットはＺｓｅｔ８である。行数ｍｂ＝４６、列数ｎｂ＝６８の係数行列にしたがって、本例におけるｋｂｍａｘ＝６８−４６＝２２、ｋｂ＝ｋｂｍａｘ＝２２であることが分かる。
【１５５１】
ＬＤＰＣ符号化をＫ＝６０００の情報シーケンスに対して実施し、Ｎ＝１２０００のＬＤＰＣ符号化シーケンスを出力する。本方法は以下のステップを有する。
【１５５２】
１．Ｋ／ｋｂ＝６０００／２２以上の最小リフトサイズを、リフトサイズセットＺｓｅｔから選択する。Ｚ＝２８８は上記条件を充足する。
【１５５３】
２．決定したリフトサイズＺ＝２８８から、リフトサイズＺ＝２８８は、係数行列インデックス５に対応するＺｓｅｔ５に属することが分かる。したがって、リフトサイズＺに対応する係数行列として、５番目の係数行列を係数行列セットから選択する。
【１５５４】
３．リフトサイズＺおよび決定した係数行列にしたがって、リフトサイズＺに対応する基本行列を取得する。リフトサイズＺ＝２８８に対応する基本行列は、上記ｒｅｍａｉｎｄｅｒ演算を用いることによって取得できる。リフトサイズＺ＝２８８は５番目リフトサイズサブセットの最大値であるので、基本行列は係数行列と等しく、ｍｂ＝４６行とｎｂ＝６８列を有する。
【１５５５】
４．上記のように取得した基本行列のシステム列個数は２２であるので、２２×２８８−６０００＝３３６個のダミービットを充填して疑似サイクリックＬＤＰＣ符号化を実施する必要があり、符号化する情報シーケンス長は２２×２８８＝６３３６ビットとなる。疑似サイクリックＬＤＰＣ符号化のパリティチェック行列は、基本行列とリフトサイズＺ＝２８８によって取得され、情報シーケンスをそのパリティチェック行列にしたがって符号化して、元のＬＤＰＣ符号化シーケンスｎｂ×Ｚ＝１９５８４ビットを取得し、ＬＤＰＣ符号化シーケンスＮ＝１２０００ビットを元のＬＤＰＣ符号化シーケンスから選択する。
【１５５６】
本実施形態の技術的手段において、疑似サイクリックＬＤＰＣ符号化の設計方法および対応する装置は、疑似サイクリックＬＤＰＣ符号の性能が悪い課題を効果的に解決し、疑似サイクリックＬＤＰＣ符号化性能を改善できる。
【１５５７】
＜実施形態４＞
【１５５８】
本発明の実施形態はさらに、記憶媒体を提供する。オプションとして、本実施形態において、記憶媒体は以下のステップを実行するプログラムコードを格納するように構成することができる。
【１５５９】
Ｓ１において、疑似サイクリック低密度パリティチェック（ＬＤＰＣ）コードのパリティチェック行列にしたがって、Ｋビット情報シーケンスに対してＬＤＰＣ符号化を実施して、ＮビットＬＤＰＣ符号化シーケンスを取得する。
【１５６０】
オプションとして、本実施形態において、記憶媒体は以下を含むがこれに限るものではない：ＵＳＢフラッシュディスク；読取専用メモリ（ＲＯＭ）；ランダムアクセスメモリ‘ＲＡＭ）；モバイルハードディスク；磁気ディスク；光ディスク；その他プログラムコードを格納できる媒体。
【１５６１】
オプションとして、本実施形態において、記憶媒体が格納しているプログラムコードにしたがって、プロセッサは以下のステップを実施する：疑似サイクリック低密度パリティチェック（ＬＤＰＣ）符号のパリティチェック行列にしたがって、Ｋビット情報シーケンスに対してＬＤＰＣ符号化を実施して、ＮビットＬＤＰＣ符号化シーケンスを取得する。
【１５６２】
オプションとして、本実施形態の具体例として、上記実施形態とオプション実装モードを参照し、繰り返しの説明はしない。
【１５６３】
本発明の上記各モジュールまたはステップは、汎用目的コンピュータ装置によって実装でき、モジュールまたはステップは単一のコンピュータ装置に集約するかまたは複数コンピュータ装置によって構成されたネットワークへ分散してもよいことを、当業者は理解すべきである。これに代えてモジュールまたはステップは、コンピュータ装置が実行できるプログラムコードによって実装してもよく、これによりモジュールとステップは記憶装置内に格納してコンピュータ装置によって実行される。場合によっては、説明したステップはその説明とは異なるシーケンスで実行でき、あるいはモジュールやステップは集積回路モジュール内に分離して実装できる。あるいはモジュールやステップは、単一の集積回路モジュールに実装してもよい。このように本発明は、ハードウェアとソフトウェアの特定の組み合わせに限定されるものではない。
【１５６４】
以上は本発明の望ましい実施形態に過ぎず、本発明を限定する意図ではない。当業者にとって、本発明は様々に変更修正できる。本発明の趣旨と原理に基づきなした任意の変更、等価置換、改善などは、本発明の範囲に含まれる。
【１５６５】
本発明の実施形態は、方法、システム、コンピュータプログラム製品として提供できることを、当業者は理解すべきである。したがって本発明は、ハードウェア実施形態、ソフトウェア実施形態、ハードウェアとソフトウェアの組み合わせ実施形態を採用できる。また本発明は、コンピュータ利用あのうプログラムコードを有する１以上のコンピュータ利用可能記憶媒体（ディスクメモリ、光メモリ、などを含むがこれに限らない）上に実装したコンピュータプログラム製品の形態を採用できる。
【１５６６】
本発明の実施形態に係る方法、デバイス（システム）、コンピュータプログラム製品のフローチャートおよび／またはブロック図を参照して、本発明を説明した。コンピュータプログラム命令は、フローチャートおよび／またはブロック図内の各フローおよび／またはブロックを実装できることを理解されたい。これらコンピュータプログラム命令は、汎用目的コンピュータ、特定用途コンピュータ、組込プロセッサ、その他プログラム可能データ処理デバイスに対して提供して、マシンを生成し、これによりコンピュータやプロセッサその他プログラム可能データ処理デバイスが実行する命令が、フローチャート内の１以上のフローおよび／またはブロック図内の１以上のブロックが指定する機能を実装する手段を生成できる。
【１５６７】
これらコンピュータプログラム命令は、コンピュータ読取可能メモリ内に格納できる。この命令はコンピュータまたはその他プログラム可能データ処理デバイスに対して、特定の態様で動作するように指示し、これによりコンピュータ読取可能メモリが格納している命令は、命令手段を含む製造製品を生成する。命令手段は、フローチャート内の１以上のフローおよび／またはブロック図内の１以上のブロックが指定する機能を実装する。
【１５６８】
これらコンピュータプログラム命令は、コンピュータまたはその他プログラム可能データ処理デバイスに読み込んで、一連の動作ステップを実施し、コンピュータが実装する処理を生成できる。したがって、コンピュータその他プログラム可能デバイスが実行する命令は、ローチャート内の１以上のフローおよび／またはブロック図内の１以上のブロックが指定する機能を実装する。
【１５６９】
以上は本発明の望ましい実施形態に過ぎず、本発明の範囲を限定する意図ではない。
【産業上の利用可能性】
【１５７０】
本発明の実施形態において、疑似サイクリックＬＤＰＣ符号のパリティチェック行列にしたがって、符号化するＫビット情報シーケンスに対してＬＤＰＣ符号化を実施する。前記パリティチェック行列は、基本行列とリフトサイズＺにしたがって規定され、前記基本行列は、前記リフトサイズＺと係数行列にしたがって規定される。本発明は、疑似サイクリックＬＤＰＣ符号の性能悪化についての当該分野における課題を解決し、疑似サイクリックＬＤＰＣ符号化の性能を改善する。
【図１】
2020526117.tif 000009
【図２】
2020526117.tif 000010
【図３】
2020526117.tif 000011
【図４】
2020526117.tif 000012
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
無線通信方法であって、
低密度パリティチェック（ＬＤＰＣ）符号のパリティチェック行列にしたがって、Ｋビットを有する入力ビットシーケンスに対してＬＤＰＣ符号化を実施するステップ；
Ｎビットを有する符号化シーケンスを取得するステップ；
を有し、
前記パリティチェック行列は、リフトサイズＺおよび係数行列セット内の係数行列にしたがって規定される置換値行列に少なくとも基づき規定され、Ｋは正整数であり、ＮはＫよりも大きい正整数であり、Ｚは正整数であり、
前記係数行列の要素は以下を有し、−１はｎｕｌｌ値を表す：
3,26,53,35,-1,-1,115,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
19,-1,-1,94,104,66,84,98,69,50,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
95,106,-1,92,110,-1,-1,-1,111,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,120,121,-1,22,4,73,49,128,79,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
42,24,-1,-1,-1,-1,-1,-1,-1,-1,-1,51,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
40,140,-1,-1,-1,84,-1,137,-1,-1,-1,71,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
109,-1,-1,-1,-1,87,-1,107,-1,133,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,135,-1,35,-1,-1,-1,108,-1,65,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
70,69,-1,-1,-1,-1,-1,-1,-1,-1,-1,-1,88,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,-1,-1,-1,40,-1,24,49,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
46,41,-1,-1,-1,-1,101,96,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
28,-1,-1,-1,-1,-1,-1,30,-1,116,-1,-1,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,33,-1,122,-1,-1,-1,-1,-1,-1,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
76,37,-1,-1,-1,-1,-1,-1,62,-1,-1,-1,-1,47,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,143,-1,-1,-1,-1,51,-1,-1,-1,-1,130,-1,97,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
139,-1,-1,-1,-1,-1,-1,-1,-1,-1,96,128,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
-1,48,-1,-1,-1,-1,-1,-1,-1,9,-1,28,8,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,120,-1,-1,-1,43,-1,-1,-1,-1,-1,65,42,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
17,-1,-1,-1,-1,-1,106,142,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
79,28,-1,-1,-1,-1,-1,-1,-1,-1,41,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
-1,2,-1,-1,103,-1,-1,-1,-1,-1,-1,78,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
91,-1,-1,-1,-1,-1,-1,-1,75,-1,-1,-1,-1,81,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
-1,54,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
68,-1,-1,115,-1,56,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
-1,30,42,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
128,-1,-1,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
-1,-1,142,-1,-1,-1,-1,28,-1,-1,-1,-1,100,133,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
13,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
-1,106,77,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
133,-1,-1,-1,25,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
-1,-1,87,-1,-1,56,-1,104,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,80,-1,-1,-1,-1,-1,-1,-1,-1,-1,-1,-1,139,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
32,-1,-1,-1,-1,89,-1,-1,-1,-1,-1,-1,71,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,-1,135,-1,-1,-1,-1,6,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
37,-1,-1,-1,-1,-1,-1,-1,-1,-1,-1,-1,25,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,60,-1,-1,-1,137,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
121,-1,129,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,-1,-1,-1,-1,-1,-1,-1,-1,-1,97,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
-1,1,-1,-1,-1,70,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
119,-1,-1,-1,-1,-1,-1,32,-1,-1,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
-1,-1,6,-1,-1,-1,-1,-1,-1,-1,73,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,48,-1,-1,-1,47,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0
ことを特徴とする方法。
【請求項２】
無線通信方法であって、
低密度パリティチェック（ＬＤＰＣ）符号のパリティチェック行列にしたがって、Ｋビットを有する入力ビットシーケンスに対してＬＤＰＣ符号化を実施するステップ；
Ｎビットを有する符号化シーケンスを取得するステップ；
を有し、
前記パリティチェック行列は、リフトサイズＺおよび係数行列セットにしたがって規定される置換値行列に少なくとも基づき規定され、Ｋは正整数であり、ＮはＫよりも大きい正整数であり、Ｚは正整数であり、
前記係数行列の要素は以下を有し、−１はｎｕｌｌ値を表す：
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
22,-1,11,124,0,10,-1,0,0,2,-1,16,60,-1,0,6,30,0,-1,168,-1,31,105,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
132,37,21,-1,180,4,149,48,38,122,195,-1,-1,155,28,85,-1,47,179,42,66,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
4,6,-1,33,113,-1,49,21,6,-1,151,83,154,87,5,-1,92,173,120,-1,2,142,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
24,204,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
185,100,-1,24,-1,-1,-1,-1,-1,-1,-1,-1,65,-1,-1,-1,207,-1,-1,-1,-1,161,72,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,-1,-1,-1,-1,-1,27,-1,-1,-1,163,50,-1,48,-1,-1,-1,24,38,-1,91,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
145,88,-1,-1,112,-1,-1,153,159,-1,-1,-1,-1,-1,76,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
172,2,-1,131,-1,-1,-1,-1,-1,-1,-1,-1,141,-1,-1,-1,96,-1,-1,99,-1,101,35,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,10,-1,-1,-1,-1,-1,-1,-1,-1,145,53,-1,201,-1,-1,-1,4,164,-1,173,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,126,77,-1,156,-1,-1,16,12,-1,-1,-1,-1,-1,70,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
184,194,-1,-1,-1,-1,-1,-1,-1,-1,-1,-1,123,-1,-1,-1,16,-1,-1,-1,-1,104,109,124,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,20,-1,-1,-1,-1,-1,-1,-1,-1,203,153,-1,104,-1,-1,-1,-1,207,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
52,-1,-1,147,-1,-1,-1,1,-1,-1,-1,-1,-1,-1,-1,-1,-1,-1,-1,-1,16,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
1,-1,-1,-1,-1,-1,-1,-1,-1,-1,-1,-1,202,-1,-1,118,130,1,-1,-1,-1,2,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
173,6,-1,-1,-1,-1,-1,-1,-1,-1,81,-1,-1,182,-1,-1,-1,-1,53,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,88,-1,198,-1,-1,-1,-1,-1,-1,-1,160,-1,-1,-1,-1,-1,-1,-1,-1,122,-1,182,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
91,-1,-1,-1,-1,-1,-1,-1,-1,-1,-1,-1,-1,-1,184,-1,30,3,-1,-1,-1,155,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,1,-1,-1,-1,-1,-1,-1,-1,-1,-1,-1,41,167,-1,-1,-1,-1,68,148,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
12,6,-1,-1,-1,-1,-1,166,184,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
6,-1,-1,12,-1,-1,-1,-1,-1,15,-1,5,-1,-1,-1,-1,-1,-1,-1,-1,-1,-1,30,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,6,-1,-1,-1,86,-1,-1,-1,-1,-1,-1,-1,-1,-1,-1,96,-1,-1,-1,42,199,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
44,-1,-1,-1,-1,-1,-1,-1,-1,-1,-1,-1,58,130,-1,-1,-1,131,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
-1,45,18,-1,-1,-1,-1,-1,-1,-1,132,-1,-1,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
9,-1,-1,125,191,-1,-1,-1,-1,-1,-1,28,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
-1,4,-1,-1,-1,-1,74,16,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
21,-1,142,-1,192,-1,-1,-1,-1,-1,-1,-1,-1,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
-1,98,-1,-1,-1,-1,140,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
4,-1,-1,-1,1,-1,-1,-1,-1,-1,-1,-1,-1,-1,-1,-1,-1,-1,-1,40,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
-1,92,-1,-1,-1,-1,-1,-1,-1,-1,-1,-1,-1,-1,136,-1,-1,-1,106,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
2,-1,-1,-1,-1,-1,-1,-1,-1,-1,88,-1,-1,112,-1,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
-1,4,-1,-1,-1,-1,-1,49,-1,-1,-1,-1,-1,-1,-1,-1,-1,-1,-1,-1,-1,-1,125,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
6,-1,-1,-1,-1,-1,-1,-1,-1,-1,-1,-1,126,-1,63,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
-1,10,30,-1,-1,-1,-1,-1,-1,-1,-1,6,-1,-1,-1,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
4,-1,-1,-1,-1,-1,-1,153,-1,-1,-1,-1,-1,-1,-1,197,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,4,-1,-1,-1,-1,45,-1,-1,-1,-1,-1,168,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
6,-1,-1,-1,-1,-1,-1,-1,-1,-1,-1,-1,-1,-1,200,177,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,82,-1,-1,-1,-1,-1,-1,-1,-1,-1,-1,-1,2,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
91,-1,-1,-1,-1,-1,-1,-1,-1,64,198,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,4,-1,28,-1,-1,-1,109,-1,-1,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
10,-1,-1,-1,-1,-1,-1,-1,84,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,2,-1,75,-1,-1,-1,-1,-1,142,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
163,-1,-1,-1,10,-1,-1,-1,-1,-1,-1,-1,-1,-1,-1,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
-1,1,-1,-1,-1,-1,-1,-1,-1,-1,-1,-1,-1,-1,-1,-1,163,-1,99,-1,-1,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
4,-1,-1,-1,-1,-1,-1,6,-1,142,-1,-1,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,181,-1,-1,-1,-1,45,-1,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0
ことを特徴とする方法。
【請求項３】
前記リフトサイズＺは、リフトサイズセットＺｓｅｔ内の要素であり、前記リフトサイズセットＺｓｅｔ内の要素はＡ個のリフトサイズサブセットにグループ化され、前記Ａ個のリフトサイズサブセット内のｉ番目リフトサイズサブセットはＺｓｅｔｉ（ｉ＝１，２，３，・・・，Ａ）と表記し、前記Ａ個のリフトサイズサブセットは共通要素を有しておらず、Ａは１よりも大きい整数であり、
前記係数行列セット内のｉ番目係数行列は、ｉ番目リフトサイズサブセットＺｓｅｔｉに対応し、
前記係数行列セットはＡ個の係数行列を有する
ことを特徴とする請求項１または２記載の方法。
【請求項４】
無線通信装置であって、
プロセッサ、
プロセッサ実行可能命令を格納したメモリ、
を備え、
前記プロセッサ実行可能命令は、前記プロセッサに、
低密度パリティチェック（ＬＤＰＣ）符号のパリティチェック行列にしたがって、Ｋビットを有する入力ビットシーケンスに対してＬＤＰＣ符号化を実施するステップ；
Ｎビットを有する符号化シーケンスを取得するステップ； 
を実行させ、
前記パリティチェック行列は、リフトサイズＺおよび係数行列セット内の係数行列にしたがって規定される置換値行列に少なくとも基づき規定され、Ｋは正整数であり、ＮはＫよりも大きい正整数であり、Ｚは正整数であり、
前記係数行列の要素は以下を有し、−１はｎｕｌｌ値を表す：
3,26,53,35,-1,-1,115,-1,-1,127,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
19,-1,-1,94,104,66,84,98,69,50,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
95,106,-1,92,110,-1,-1,-1,111,-1,1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,120,121,-1,22,4,73,49,128,79,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
42,24,-1,-1,-1,-1,-1,-1,-1,-1,-1,51,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
40,140,-1,-1,-1,84,-1,137,-1,-1,-1,71,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
109,-1,-1,-1,-1,87,-1,107,-1,133,-1,139,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,135,-1,35,-1,-1,-1,108,-1,65,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
70,69,-1,-1,-1,-1,-1,-1,-1,-1,-1,-1,88,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,97,-1,-1,-1,-1,-1,-1,40,-1,24,49,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
46,41,-1,-1,-1,-1,101,96,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
28,-1,-1,-1,-1,-1,-1,30,-1,116,-1,-1,-1,64,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,33,-1,122,-1,-1,-1,-1,-1,-1,-1,131,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
76,37,-1,-1,-1,-1,-1,-1,62,-1,-1,-1,-1,47,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,143,-1,-1,-1,-1,51,-1,-1,-1,-1,130,-1,97,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
139,-1,-1,-1,-1,-1,-1,-1,-1,-1,96,128,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
-1,48,-1,-1,-1,-1,-1,-1,-1,9,-1,28,8,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,120,-1,-1,-1,43,-1,-1,-1,-1,-1,65,42,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
17,-1,-1,-1,-1,-1,106,142,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
79,28,-1,-1,-1,-1,-1,-1,-1,-1,41,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
-1,2,-1,-1,103,-1,-1,-1,-1,-1,-1,78,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
91,-1,-1,-1,-1,-1,-1,-1,75,-1,-1,-1,-1,81,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
-1,54,132,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
68,-1,-1,115,-1,56,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
-1,30,42,-1,-1,-1,-1,-1,-1,101,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
128,-1,-1,-1,-1,63,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
-1,-1,142,-1,-1,-1,-1,28,-1,-1,-1,-1,100,133,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
13,-1,-1,-1,-1,-1,10,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
-1,106,77,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
133,-1,-1,-1,25,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
-1,-1,87,-1,-1,56,-1,104,-1,70,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,80,-1,-1,-1,-1,-1,-1,-1,-1,-1,-1,-1,139,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
32,-1,-1,-1,-1,89,-1,-1,-1,-1,-1,-1,71,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,-1,135,-1,-1,-1,-1,6,-1,-1,2,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
37,-1,-1,-1,-1,-1,-1,-1,-1,-1,-1,-1,25,114,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,60,-1,-1,-1,137,-1,-1,-1,-1,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
121,-1,129,-1,-1,-1,-1,26,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,-1,-1,-1,-1,-1,-1,-1,-1,-1,97,-1,-1,56,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
-1,1,-1,-1,-1,70,-1,-1,-1,-1,-1,1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
119,-1,-1,-1,-1,-1,-1,32,-1,-1,-1,-1,142,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
-1,-1,6,-1,-1,-1,-1,-1,-1,-1,73,-1,-1,102,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,48,-1,-1,-1,47,-1,-1,-1,-1,-1,19,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0
ことを特徴とする装置。
【請求項５】
無線通信装置であって、
プロセッサ、
プロセッサ実行可能命令を格納したメモリ、
を備え、
前記プロセッサ実行可能命令は、前記プロセッサに、
低密度パリティチェック（ＬＤＰＣ）符号のパリティチェック行列にしたがって、Ｋビットを有する入力ビットシーケンスに対してＬＤＰＣ符号化を実施するステップ；
Ｎビットを有する符号化シーケンスを取得するステップ； 
を実行させ、
前記パリティチェック行列は、リフトサイズＺおよび係数行列セットにしたがって規定される置換値行列に少なくとも基づき規定され、Ｋは正整数であり、ＮはＫよりも大きい正整数であり、Ｚは正整数であり、
前記係数行列の要素は以下を有し、−１はｎｕｌｌ値を表す：
0,0,0,0,-1,0,0,-1,-1,0,0,0,0,0,-1,0,0,-1,0,0,0,0,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
22,-1,11,124,0,10,-1,0,0,2,-1,16,60,-1,0,6,30,0,-1,168,-1,31,105,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
132,37,21,-1,180,4,149,48,38,122,195,-1,-1,155,28,85,-1,47,179,42,66,-1,-1,-1,0,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
4,6,-1,33,113,-1,49,21,6,-1,151,83,154,87,5,-1,92,173,120,-1,2,142,0,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
24,204,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
185,100,-1,24,-1,-1,-1,-1,-1,-1,-1,-1,65,-1,-1,-1,207,-1,-1,-1,-1,161,72,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,-1,-1,-1,-1,-1,27,-1,-1,-1,163,50,-1,48,-1,-1,-1,24,38,-1,91,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
145,88,-1,-1,112,-1,-1,153,159,-1,-1,-1,-1,-1,76,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
172,2,-1,131,-1,-1,-1,-1,-1,-1,-1,-1,141,-1,-1,-1,96,-1,-1,99,-1,101,35,-1,116,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,10,-1,-1,-1,-1,-1,-1,-1,-1,145,53,-1,201,-1,-1,-1,4,164,-1,173,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,126,77,-1,156,-1,-1,16,12,-1,-1,-1,-1,-1,70,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
184,194,-1,-1,-1,-1,-1,-1,-1,-1,-1,-1,123,-1,-1,-1,16,-1,-1,-1,-1,104,109,124,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
6,20,-1,-1,-1,-1,-1,-1,-1,-1,203,153,-1,104,-1,-1,-1,-1,207,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
52,-1,-1,147,-1,-1,-1,1,-1,-1,-1,-1,-1,-1,-1,-1,-1,-1,-1,-1,16,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
1,-1,-1,-1,-1,-1,-1,-1,-1,-1,-1,-1,202,-1,-1,118,130,1,-1,-1,-1,2,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
173,6,-1,-1,-1,-1,-1,-1,-1,-1,81,-1,-1,182,-1,-1,-1,-1,53,-1,-1,-1,-1,-1,-1,46,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1;
-1,88,-1,198,-1,-1,-1,-1,-1,-1,-1,160,-1,-1,-1,-1,-1,-1,-1,-1,122,-1,182,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1,-1;
91,-1,-1,-1,-1,-1,-1,-1,-1,-1,-1,-1,-1,-1,184,-1,30,3,-1,-1,-1,155,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1,-1;
-1,1,-1,-1,-1,-1,-1,-1,-1,-1,-1,-1,41,167,-1,-1,-1,-1,68,148,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1,-1;
12,6,-1,-1,-1,-1,-1,166,184,-1,191,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1,-1;
6,-1,-1,12,-1,-1,-1,-1,-1,15,-1,5,-1,-1,-1,-1,-1,-1,-1,-1,-1,-1,30,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1,-1;
-1,6,-1,-1,-1,86,-1,-1,-1,-1,-1,-1,-1,-1,-1,-1,96,-1,-1,-1,42,199,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1,-1;
44,-1,-1,-1,-1,-1,-1,-1,-1,-1,-1,-1,58,130,-1,-1,-1,131,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1,-1;
-1,45,18,-1,-1,-1,-1,-1,-1,-1,132,-1,-1,-1,-1,-1,-1,-1,100,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1,-1;
9,-1,-1,125,191,-1,-1,-1,-1,-1,-1,28,-1,-1,-1,-1,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1,-1;
-1,4,-1,-1,-1,-1,74,16,-1,-1,-1,-1,-1,-1,28,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1,-1;
21,-1,142,-1,192,-1,-1,-1,-1,-1,-1,-1,-1,-1,-1,197,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1,-1;
-1,98,-1,-1,-1,-1,140,-1,22,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1,-1;
4,-1,-1,-1,1,-1,-1,-1,-1,-1,-1,-1,-1,-1,-1,-1,-1,-1,-1,40,-1,93,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1,-1;
-1,92,-1,-1,-1,-1,-1,-1,-1,-1,-1,-1,-1,-1,136,-1,-1,-1,106,-1,-1,-1,-1,-1,-1,6,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1,-1;
2,-1,-1,-1,-1,-1,-1,-1,-1,-1,88,-1,-1,112,-1,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1,-1;
-1,4,-1,-1,-1,-1,-1,49,-1,-1,-1,-1,-1,-1,-1,-1,-1,-1,-1,-1,-1,-1,125,-1,-1,194,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1,-1;
6,-1,-1,-1,-1,-1,-1,-1,-1,-1,-1,-1,126,-1,63,-1,-1,-1,-1,-1,-1,-1,-1,-1,20,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1,-1;
-1,10,30,-1,-1,-1,-1,-1,-1,-1,-1,6,-1,-1,-1,-1,-1,-1,-1,-1,-1,92,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1,-1;
4,-1,-1,-1,-1,-1,-1,153,-1,-1,-1,-1,-1,-1,-1,197,-1,155,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1,-1;
-1,4,-1,-1,-1,-1,45,-1,-1,-1,-1,-1,168,-1,-1,-1,-1,-1,-1,-1,-1,-1,185,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1,-1;
6,-1,-1,-1,-1,-1,-1,-1,-1,-1,-1,-1,-1,-1,200,177,-1,-1,43,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1,-1;
-1,82,-1,-1,-1,-1,-1,-1,-1,-1,-1,-1,-1,2,-1,-1,-1,-1,-1,-1,-1,-1,-1,135,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1,-1;
91,-1,-1,-1,-1,-1,-1,-1,-1,64,198,-1,100,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1,-1;
-1,4,-1,28,-1,-1,-1,109,-1,-1,-1,-1,-1,-1,-1,-1,-1,-1,-1,188,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1,-1;
10,-1,-1,-1,-1,-1,-1,-1,84,-1,-1,-1,-1,-1,-1,-1,-1,12,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1,-1;
-1,2,-1,75,-1,-1,-1,-1,-1,142,-1,-1,-1,-1,-1,-1,-1,-1,128,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1,-1;
163,-1,-1,-1,10,-1,-1,-1,-1,-1,-1,-1,-1,-1,-1,-1,-1,-1,-1,-1,-1,-1,-1,-1,162,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1,-1;
-1,1,-1,-1,-1,-1,-1,-1,-1,-1,-1,-1,-1,-1,-1,-1,163,-1,99,-1,-1,-1,-1,-1,-1,98,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1,-1;
4,-1,-1,-1,-1,-1,-1,6,-1,142,-1,-1,-1,-1,-1,-1,-1,-1,-1,-1,-1,-1,3,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0,-1;
-1,181,-1,-1,-1,-1,45,-1,-1,-1,153,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,-1,0. 
ことを特徴とする装置。
【請求項６】
前記装置はさらに、
リフトサイズセットＺｓｅｔを記憶するように構成された第１記憶モジュールであって、前記リフトサイズＺは、リフトサイズセットＺｓｅｔ内の要素であり、Ａ個のリフトサイズサブセットはそれぞれＺｓｅｔｉ（ｉ＝１，２，３，・・・，Ａ）であり、前記Ａ個のリフトサイズサブセット内の全要素はリフトサイズセットＺｓｅｔを構成し、Ａ個のリフトサイズサブセットは共通要素を有していない、第１記憶モジュール、
係数行列を記憶するように構成された第２記憶モジュールであって、前記係数行列は、規定係数行列セット内の係数行列であり、前記係数行列セット内のｉ番目係数行列がサポートする全リフトサイズは、ｉ番目リフトサイズサブセットＺｓｅｔｉを構成する、第２記憶モジュール、
を備え、
前記係数行列セットはＡ個の係数行列を有し、Ａは１よりも大きい整数であり、前記Ａ個の係数行列は同じ行数と同じ列数を有し、かつ−１ではない要素が配置される位置も同じであり、前記リフトサイズセットＺｓｅｔ内の全要素は正整数である
ことを特徴とする請求項４または５記載の装置。
【請求項７】
プログラムコードを格納するコンピュータ読取可能記憶媒体であって、前記プログラムコードは、請求項１から６いずれか１項記載の方法をコンピュータに実行させる
ことを特徴とする記憶媒体。
【請求項８】
前記係数行列セット内の全係数行列は、４２行５２列を有する
ことを特徴とする請求項１記載の方法。
【請求項９】
前記係数行列セット内の全係数行列は、４６行６８列を有する
ことを特徴とする請求項２記載の方法。
【請求項１０】
前記パリティチェック行列は、前記係数行列と同じ行数と列数を有する第２行列にさらに基づき規定される
ことを特徴とする請求項１または２記載の方法。
【請求項１１】
前記パリティチェック行列は、前記リフトサイズＺにさらに基づき規定される
ことを特徴とする請求項１または２記載の方法。
【請求項１２】
前記係数行列セット内の全係数行列は、４２行５２列を有する
ことを特徴とする請求項４記載の装置。
【請求項１３】
前記係数行列セット内の全係数行列は、４６行６８列を有する
ことを特徴とする請求項５記載の装置。
【請求項１４】
前記リフトサイズＺは、リフトサイズセットＺｓｅｔ内の要素であり、前記リフトサイズセットＺｓｅｔ内の要素はＡ個のリフトサイズサブセットにグループ化され、前記Ａ個のリフトサイズサブセット内のｉ番目リフトサイズサブセットはＺｓｅｔｉ（ｉ＝１，２，３，・・・，Ａ）と表記し、前記Ａ個のリフトサイズサブセットは共通要素を有しておらず、Ａは１よりも大きい整数であり、
前記係数行列セットはＡ個の係数行列を有し、
前記係数行列セット内のｉ番目係数行列は、ｉ番目リフトサイズサブセットＺｓｅｔｉに対応する
ことを特徴とする請求項４または５記載の装置。
【請求項１５】
前記パリティチェック行列は、前記係数行列と同じ行数と列数を有する第２行列にさらに基づき規定される
ことを特徴とする請求項４または５記載の装置。
【請求項１６】
前記パリティチェック行列は、前記リフトサイズＺにさらに基づき規定される
ことを特徴とする請求項４または５記載の装置。
【国際調査報告】
2020526117.tif 000013
2020526117.tif 000014
2020526117.tif 000015
2020526117.tif 000016